(57)【特許請求の範囲】
【請求項１】
複数の眼鏡レンズの複数の光学特性についてのデータを取得することと、
前記複数の眼鏡レンズにおける前記複数の光学特性のそれぞれについてどの程度類似しているかまたはどの程度異なっているかに基づいて、前記複数の眼鏡レンズの間の装用感の違いを示す指標を算出することと、
前記指標を用いて、評価対象レンズの評価を行うことと、
を含む眼鏡レンズの評価方法であって、
前記複数の光学特性のうち、類似させたい光学特性と、異ならせたい光学特性とが選択された装用感情報を取得することをさらに含み、
前記類似させたい光学特性がどの程度類似しているか、および、前記異ならせたい光学特性がどの程度異なっているかに基づいて、複数の前記指標を算出する
眼鏡レンズの評価方法。
【請求項２】
請求項１に記載の眼鏡レンズの評価方法において、
前記複数の眼鏡レンズにおける前記複数の光学特性のそれぞれについてどの程度類似しているかまたはどの程度異なっているかについての情報を表示装置に表示すること
をさらに含む眼鏡レンズの評価方法。
【請求項３】
請求項１または２に記載の眼鏡レンズの評価方法において、
過去に取得された、前記光学特性の変化に対する前記装用感の変化に関するデータに基づいて前記指標を算出する眼鏡レンズの評価方法。
【請求項４】
請求項３に記載の眼鏡レンズの評価方法において、
前記光学特性の変化に対する前記装用感の変化に関するデータは、非線形の部分を含む関数である眼鏡レンズの評価方法。
【請求項５】
請求項１から４までのいずれか一項に記載の眼鏡レンズの評価方法において、
装用者が前記評価対象レンズの少なくとも一部の領域に求める装用感にさらに基づいて、前記指標を算出する眼鏡レンズの評価方法。
【請求項６】
請求項５に記載の眼鏡レンズの評価方法において、
前記装用者が前記光学特性の少なくとも一つを類似させたいかおよび／または異ならせたいかに基づいて、前記指標を算出する眼鏡レンズの評価方法。
【請求項７】
請求項１から６までのいずれか一項に記載の眼鏡レンズの評価方法において、
前記評価対象レンズが既存の眼鏡レンズから切り替える眼鏡レンズであるか、あるいは、前記評価対象レンズが使い分けて併用する複数のレンズであるかに基づいて、前記指標を算出する方法を異ならせる眼鏡レンズの評価方法。
【請求項８】
請求項１から７までのいずれか一項に記載の眼鏡レンズの評価方法において、
前記評価対象レンズが切り替えのための眼鏡レンズの場合、前記複数の眼鏡レンズは既存の眼鏡レンズを含み、前記既存の眼鏡レンズを基準として、前記指標を算出する眼鏡レンズの評価方法。
【請求項９】
請求項１から７までのいずれか一項に記載の眼鏡レンズの評価方法において、
前記評価対象レンズが併用する複数の眼鏡レンズである場合、前記併用する複数の眼鏡レンズのそれぞれを基準として、前記指標を算出する眼鏡レンズの評価方法。
【請求項１０】
請求項１から９までのいずれか一項に記載の眼鏡レンズの評価方法において、
前記複数の眼鏡レンズは、複数の累進屈折力レンズであって、前記眼鏡レンズのアイポイントよりも上方にある上方領域または前記眼鏡レンズのアイポイントよりも下方にある下方領域で視認する想定距離が異なり、
前記複数の眼鏡レンズのうち、一方の眼鏡レンズの一部領域である第１領域と、他方の眼鏡レンズの、前記第１領域よりも大きな第２領域とで、前記光学特性がどの程度類似しているかまたはどの程度異なっているかに基づいて、前記指標を算出する眼鏡レンズの評価方法。
【請求項１１】
請求項１０に記載の眼鏡レンズの評価方法において、
前記一方の眼鏡レンズは、遠近両用レンズであるとともに、前記第１領域は、近用部から中間部を含む領域であり、
前記他方の眼鏡レンズは、中近両用レンズであり、
前記第１領域を前記第２領域と同じ大きさに拡大したときの、前記光学特性がどの程度類似しているかまたはどの程度異なっているかに基づいて、前記指標を算出する眼鏡レンズの評価方法。
【請求項１２】
請求項１から１１までのいずれか一項に記載の眼鏡レンズの評価方法において、
前記光学特性は、処方データ、加入度曲線、眼鏡レンズの少なくとも一部の領域の加入度分布および収差分布、ならびに眼鏡レンズの少なくとも一部の領域による視野のゆがみおよび揺れからなる群から選択される少なくとも一つである眼鏡レンズの評価方法。
【請求項１３】
請求項１２に記載の眼鏡レンズの評価方法において、
前記光学特性は、前記眼鏡レンズの少なくとも一部の領域による視野のゆがみを含み、
前記領域を通して所定の対象物を見る場合の網膜像における前記対象物の形状および／または大きさの変化に基づいて、前記指標を算出する眼鏡レンズの評価方法。
【請求項１４】
請求項１２または１３に記載の眼鏡レンズの評価方法において、
前記光学特性は、前記眼鏡レンズのアイポイントよりも上方にある上方領域による視野のゆがみおよび／または前記眼鏡レンズのアイポイントよりも下方にある下方領域による視野のゆがみを含む眼鏡レンズの評価方法。
【請求項１５】
請求項１２から１４までのいずれか一項に記載の眼鏡レンズの評価方法において、
前記光学特性は、加入度曲線を含み、
前記複数の眼鏡レンズは複数の累進屈折力レンズであり、
前記累進屈折力レンズの一または複数の所定の位置または範囲における加入度の差に基づいて、前記指標を算出する眼鏡レンズの評価方法。
【請求項１６】
請求項１５に記載の眼鏡レンズの評価方法において、
前記所定の位置は、遠用参照点を含む眼鏡レンズの評価方法。
【請求項１７】
請求項１５または１６に記載の眼鏡レンズの評価方法において、
前記累進屈折力レンズの遠用部および／または中間部における一または複数の所定の位置または範囲における加入度の差に基づいて、前記光学特性がどの程度類似しているかの指標を算出する眼鏡レンズの評価方法。
【請求項１８】
請求項１５または１６に記載の眼鏡レンズの評価方法において、
前記累進屈折力レンズの近用部における一または複数の所定の位置または範囲における加入度の差に基づいて、前記光学特性がどの程度異なっているかの指標を算出する眼鏡レンズの評価方法。
【請求項１９】
請求項１２から１８までのいずれか一項に記載の眼鏡レンズの評価方法において、
前記光学特性は、眼鏡レンズの少なくとも一部の領域の加入度分布および／または収差分布であり、
前記領域の加入度分布、収差分布および／または装用者の調節力に基づいて算出した、一または複数の所定の位置における明視域の広さに基づいて、前記指標を算出する眼鏡レンズの評価方法。
【請求項２０】
請求項１２から１９までのいずれか一項に記載の眼鏡レンズの評価方法において、
前記光学特性は、処方データを含み、
前記複数の眼鏡レンズの球面度数、円柱度数、および／または乱視軸角度に基づいて、前記指標を算出する眼鏡レンズの評価方法。
【請求項２１】
請求項２０に記載の眼鏡レンズの評価方法において、
装用者が完全矯正となる球面度数、円柱度数、および／または乱視軸角度にさらに基づいて、前記指標を算出する眼鏡レンズの評価方法。
【請求項２２】
請求項２１に記載の眼鏡レンズの評価方法において、
前記球面度数、円柱度数、および／または乱視軸角度が前記装用者にとって過矯正となるか否かに基づいて、前記指標を算出する方法を異ならせる眼鏡レンズの評価方法。
【請求項２３】
請求項１から２２までのいずれか一項に記載の眼鏡レンズの評価方法において、
装用者の完全矯正での視力、前記装用者の調節力、前記装用者が前記眼鏡レンズに優先的に求める性能にさらに基づいて前記指標を算出する眼鏡レンズの評価方法。
【請求項２４】
請求項１から２３までのいずれか一項に記載の眼鏡レンズの評価方法において、
前記複数の眼鏡レンズは、遠近両用レンズと中近両用レンズとを含み、
前記評価対象レンズは、前記遠近両用レンズおよび／または前記中近両用レンズである眼鏡レンズの評価方法。
【請求項２５】
請求項１から２４までのいずれか一項に記載の眼鏡レンズの評価方法による評価に基づいて眼鏡レンズを設計する眼鏡レンズの設計方法。
【請求項２６】
請求項１から２４までのいずれか一項に記載の眼鏡レンズの評価方法による前記眼鏡レンズの評価に基づいて、前記装用感の違いが小さくなるように眼鏡レンズを設計する眼鏡レンズの設計方法。
【請求項２７】
請求項２５または２６に記載の眼鏡レンズの設計方法において、
設計する複数の眼鏡レンズのうち少なくとも一つの前記評価が基準より悪かった場合に、設計する全ての前記眼鏡レンズを再設計する眼鏡レンズの設計方法。
【請求項２８】
請求項２５から２７までのいずれか一項に記載の眼鏡レンズの設計方法により設計された眼鏡レンズを製造する眼鏡レンズの製造方法。
【請求項２９】
複数の眼鏡レンズの複数の光学特性についてのデータを取得するデータ取得部と、
前記複数の眼鏡レンズにおける前記複数の光学特性のそれぞれについてどの程度類似しているかまたはどの程度異なっているかに基づいて、前記複数の眼鏡レンズの間の装用感の違いを示す指標を算出する指標算出部と、
前記指標を用いて、評価対象レンズの評価を行う評価部と、
を備え、
前記データ取得部は、前記複数の光学特性のうち、類似させたい光学特性と、異ならせたい光学特性とが選択された装用感情報を取得し、
前記指標算出部は、前記類似させたい光学特性がどの程度類似しているか、および、前記異ならせたい光学特性がどの程度異なっているかに基づいて、複数の前記指標を算出する眼鏡レンズ評価装置。
【請求項３０】
請求項２９に記載の眼鏡レンズ評価装置を備える眼鏡レンズ発注装置。
【請求項３１】
請求項２９に記載の眼鏡レンズ評価装置を備える眼鏡レンズ受注装置。
【請求項３２】
請求項２９に記載の眼鏡レンズ評価装置と、
眼鏡レンズ発注装置と、
眼鏡レンズ受注装置と、
を備える眼鏡レンズ受発注システム。
【請求項３３】
複数の眼鏡レンズの複数の光学特性についてのデータを取得するデータ取得処理と、
前記複数の眼鏡レンズにおける前記複数の光学特性のそれぞれについてどの程度類似しているかまたはどの程度異なっているかに基づいて、前記複数の眼鏡レンズの間の装用感の違いを示す指標を算出する指標算出処理と、
を処理装置に行わせるためのプログラムであって、
前記データ取得処理は前記複数の光学特性のうち、類似させたい光学特性と、異ならせたい光学特性とが選択された装用感情報を取得する処理をさらに含み、
前記指標算出処理は前記類似させたい光学特性がどの程度類似しているか、および、前記異ならせたい光学特性がどの程度異なっているかに基づいて、複数の前記指標を算出する処理を含むプログラム。
【発明の詳細な説明】
【技術分野】
【０００１】
本発明は、眼鏡レンズの評価方法、眼鏡レンズの設計方法、眼鏡レンズの製造方法、眼鏡レンズ評価装置、眼鏡レンズ発注装置、眼鏡レンズ受注装置、眼鏡レンズ受発注システムおよびプログラムに関する。
【背景技術】
【０００２】
眼鏡レンズの装用者は、眼鏡レンズを新しいレンズに掛け替えたときに、違和感を覚えることがある。この点に鑑み、掛け替えの前のレンズと、掛け替えの後のレンズとを比較することが提案されている（特許文献１）。
【先行技術文献】
【特許文献】
【０００３】
【特許文献１】日本国特許第４２３３２４４号公報
【発明の概要】
【０００４】
本発明の第１の態様によると、眼鏡レンズの評価方法は、複数の眼鏡レンズの複数の光学特性についてのデータを取得することと、前記複数の眼鏡レンズにおける前記複数の光学特性のそれぞれについてどの程度類似しているかまたはどの程度異なっているかに基づいて、前記複数の眼鏡レンズの間の装用感の違いを示す指標を算出することと、前記指標を用いて、評価対象レンズの評価を行うことと、を含む眼鏡レンズの評価方法であって、前記複数の光学特性のうち、類似させたい光学特性と、異ならせたい光学特性とが選択された装用感情報を取得することをさらに含み、前記類似させたい光学特性がどの程度類似しているか、および、前記異ならせたい光学特性がどの程度異なっているかに基づいて、複数の前記指標を算出する。
本発明の第２の態様によると、眼鏡レンズ評価装置は、複数の眼鏡レンズの複数の光学特性についてのデータを取得するデータ取得部と、前記複数の眼鏡レンズにおける前記複数の光学特性のそれぞれについてどの程度類似しているかまたはどの程度異なっているかに基づいて、前記複数の眼鏡レンズの間の装用感の違いを示す指標を算出する指標算出部と、前記指標を用いて、評価対象レンズの評価を行う評価部と、を備え、前記データ取得部は、前記複数の光学特性のうち、類似させたい光学特性と、異ならせたい光学特性とが選択された装用感情報を取得し、前記指標算出部は、前記類似させたい光学特性がどの程度類似しているか、および、前記異ならせたい光学特性がどの程度異なっているかに基づいて、複数の前記指標を算出することを含む。
本発明の第３の態様によると、プログラムは、複数の眼鏡レンズの複数の光学特性についてのデータを取得するデータ取得処理と、前記複数の眼鏡レンズにおける前記複数の光学特性のそれぞれについてどの程度類似しているかまたはどの程度異なっているかに基づいて、前記複数の眼鏡レンズの間の装用感の違いを示す指標を算出する指標算出処理と、を処理装置に行わせるためのプログラムであって、前記データ取得処理は前記複数の光学特性のうち、類似させたい光学特性と、異ならせたい光学特性とが選択された装用感情報を取得する処理をさらに含み、前記指標算出処理は前記類似させたい光学特性がどの程度類似しているか、および、前記異ならせたい光学特性がどの程度異なっているかに基づいて、複数の前記指標を算出する処理を含む。
【図面の簡単な説明】
【０００５】
【図１】図１は、一実施形態の眼鏡レンズ評価装置の構成を示す概念図である。
【図２】図２は、一実施形態の眼鏡レンズ評価装置の評価部の構成を示す概念図である。
【図３】図３（Ａ）は、遠近両用累進屈折力レンズの一例を示す概念図であり、図３（Ｂ）は、中近両用累進屈折力レンズの一例を示す概念図である。
【図４】図４は、加入度曲線を示すグラフである。
【図５】図５は、眼鏡レンズ上の位置に対し、ピントの合う距離範囲を示すグラフである。
【図６】図６は、加入度について特性値と指標との関係を示すグラフである。
【図７】図７は、加入度について特性値と指標との関係を示すグラフである。
【図８】図８は、加入度について特性値と指標との関係を示すグラフである。
【図９】図９（Ａ）は、眼鏡レンズＡ上の加入度および非点収差の分布を示す図であり、図９（Ｂ）は、眼鏡レンズＢ上の加入度および非点収差の分布を示す図である。
【図１０】図１０は、明視域について特性値と指標との関係を示すグラフである。
【図１１】図１１は、明視域について特性値と指標との関係を示すグラフである。
【図１２】図１２は、明視域について特性値と指標との関係を示すグラフである。
【図１３】図１３は、ゆがみについての特性値を算出する方法を説明するための概念図である。
【図１４】図１４は、格子状の対象物の一例を示す図である。
【図１５】図１５（Ａ）は、眼鏡レンズＡを通して格子状の対象物を見る場合の網膜像を示す概念図であり、図１５（Ｂ）は、眼鏡レンズＢを通して格子状の対象物を見る場合の網膜像を示す概念図である。
【図１６】図１６は、格子状の対象物ならびに、眼鏡レンズＡおよびＢのそれぞれを通して格子状の対象物を見る場合の網膜像を重ねて示した概念図である。
【図１７】図１７は、ゆがみについての特性値を算出する方法を説明するための概念図である。
【図１８】図１８（Ａ）は、眼鏡レンズＡによるゆがみについての特性値を算出する方法を説明するための概念図であり、図１８（Ｂ）は、眼鏡レンズＢによるゆがみについての特性値を算出する方法を説明するための概念図である。
【図１９】図１９は、ゆがみについて特性値と指標との関係を示すグラフである。
【図２０】図２０は、ゆがみについての特性値を算出する方法を説明するための概念図である。
【図２１】図２１（Ａ）は、眼鏡レンズＡによるゆがみについての特性値を算出する方法を説明するための概念図であり、図２１（Ｂ）は、眼鏡レンズＢによるゆがみについての特性値を算出する方法を説明するための概念図である。
【図２２】図２２は、ゆがみについて特性値と指標との関係を示すグラフである。
【図２３】図２３は、揺れについての特性値を算出する方法を説明するための概念図である。
【図２４】図２４は、揺れについて特性値と指標との関係を示すグラフである。
【図２５】図２５は、処方について特性値と指標との関係を示すグラフである。
【図２６】図２６は、処方について特性値と指標との関係を示すグラフである。
【図２７】図２７は、処方について特性値と指標との関係を示すグラフである。
【図２８】図２８は、処方について特性値と指標との関係を示すグラフである。
【図２９】図２９は、評価結果の表示方法を示す概念図である。
【図３０】図３０は、評価結果の表示方法を示す概念図である。
【図３１】図３１は、評価結果の表示方法を示す概念図である。
【図３２】図３２は、眼鏡レンズ受発注システムの構成を示す概念図である。
【図３３】図３３は、眼鏡レンズの製造方法の流れを示すフローチャートである。
【図３４】図３４は、眼鏡レンズの選択方法の流れを示すフローチャートである。
【図３５】図３５は、加入度についての特性値を算出する方法を説明するための概念図である。
【図３６】図３６は、加入度について特性値と指標との関係を示すグラフである。
【図３７】図３７は、眼鏡レンズ受発注システムの構成を示す概念図である。
【図３８】図３８は、眼鏡レンズの製造方法の流れを示すフローチャートである。
【図３９】図３９は、発注画面の一例を示す概念図である。
【図４０】図４０は、眼鏡レンズの設計方法の流れを示すフローチャートである。
【図４１】図４１は、評価結果の表示方法を示す概念図である。
【図４２】図４２は、プログラムを説明するための概念図である。
【図４３】図４３は、眼鏡レンズの設計方法の流れを示すフローチャートである。
【図４４】図４４は、眼鏡レンズの設計方法の流れを示すフローチャートである。
【図４５】図４５（Ａ）は、実施例の眼鏡レンズの加入度分布を示す図であり、図４５（Ｂ）は、実施例の眼鏡レンズの明視度の分布を示す図である。
【図４６】図４６（Ａ）は、実施例の眼鏡レンズの非点収差分布を示す図であり、図４６（Ｂ）は、実施例の眼鏡レンズの加入度曲線を示す図である。
【図４７】図４７（Ａ）は、実施例の眼鏡レンズの加入度分布を示す図であり、図４７（Ｂ）は、実施例の眼鏡レンズの明視度の分布を示す図である。
【図４８】図４８（Ａ）は、実施例の眼鏡レンズの非点収差分布を示す図であり、図４８（Ｂ）は、実施例の眼鏡レンズの加入度曲線を示す図である。
【図４９】図４９（Ａ）は、実施例の眼鏡レンズの加入度分布を示す図であり、図４９（Ｂ）は、実施例の眼鏡レンズの明視度の分布を示す図である。
【図５０】図５０（Ａ）は、実施例の眼鏡レンズの非点収差分布を示す図であり、図５０（Ｂ）は、実施例の眼鏡レンズの加入度曲線を示す図である。
【図５１】図５１は、実施例の眼鏡レンズの明視度の特性を示すグラフである。
【図５２】図５２は、実施例の眼鏡レンズの明視度の特性を示すグラフである。
【図５３】図５３は、実施例の眼鏡レンズの明視度の特性を示すグラフである。
【図５４】図５４は、実施例の眼鏡レンズのゆがみについての特性値を算出するための概念図である。
【図５５】図５５は、実施例の眼鏡レンズのゆがみについての特性値を算出するための概念図である。
【図５６】図５６は、実施例の眼鏡レンズの評価を表示する画像を示す図である。
【発明を実施するための形態】
【０００６】
以下では、適宜図面を参照しながら、一実施形態の眼鏡レンズの評価方法等について説明する。以下の記載において、屈折力の単位は、特に言及しない場合にはディオプター（Ｄ）によって表されるものとする。また、以下の説明において、眼鏡レンズの「上方」、「下方」、「上部」、「下部」等と表記する場合は、当該眼鏡レンズが装用されたときのレンズの位置関係に基づくものとする。
【０００７】
図１は、本実施形態の眼鏡レンズ評価方法に係る眼鏡レンズ評価装置の構成を示す概念図である。眼鏡レンズ評価装置２００（以下、評価装置２００と呼ぶ）は、制御部２１０と、記憶部２２０と、通信部２３０と、表示部２４０と、入力部２５０とを備える。制御部２１０は、データ取得部２１１と、評価部３００と、画像作成部２１２と、表示制御部２１３とを備える。評価部３００は、個別特性指標算出部３１０と、統合特性指標算出部３３０とを備える。
【０００８】
図２は、評価部３００の構成を示す概念図である。評価部３００の個別特性指標算出部３１０は、加入度特性値算出部３１１と、加入度指標算出部３２１と、明視域特性値算出部３１２と、明視域指標算出部３２２と、ゆがみ特性値算出部３１３と、ゆがみ指標算出部３２３と、揺れ特性値算出部３１４と、揺れ指標算出部３２４と、処方特性値算出部３１５と、処方指標算出部３２５とを備える。
【０００９】
評価装置２００は、複数の眼鏡レンズにおける光学特性がどの程度類似しているかまたはどの程度異なっているかに基づいて、複数の眼鏡レンズの間の装用感の違いを示す指標を算出する。評価装置２００は、算出された指標を用いて、上記複数の眼鏡レンズ（以下、適宜「対象レンズ」と呼ぶ）のうち評価の対象となる少なくとも一つの眼鏡レンズ（以下、「評価対象レンズ」と呼ぶ）の評価を行う。
【００１０】
評価装置２００による評価対象レンズの評価は、例えば、眼鏡レンズの装用者（以下、単に「装用者」と呼ぶ）および／または眼鏡店の販売員（以下、単に「販売員」と呼ぶ）に向けて表示される。装用者および／または販売員は、この評価から、眼鏡レンズを今まで使用してきたレンズから新しいレンズに切り替えたときの違和感についての情報や、用途等に基づいて使い分ける複数の眼鏡レンズにおいて、光学特性が所望の程度に異なっているかについての情報等を得ることができる。装用者はこのような情報に基づいて、装用する眼鏡レンズを選択することができる。販売員はこのような情報に基づいて装用者に提示するまたは勧める眼鏡レンズを選択することができる。
【００１１】
装用者は、眼鏡を掛け替えたときの違和感が小さくなるように複数の眼鏡レンズの装用感の違いを小さくしたい場合もあれば、異なる距離の対象物を見るために複数の眼鏡レンズを使い分ける場合のように、装用感を異ならせたい場合もある。このような、装用者が眼鏡レンズに求める装用感についての情報を、装用感情報と呼ぶ。評価装置２００はこの装用感情報に基づいて評価対象レンズの評価を行うことも好ましい。
【００１２】
眼鏡レンズの光学特性とは、眼鏡レンズの加入度分布等の屈折力分布および非点収差等の収差分布、球面度数、円柱度数および乱視軸角度等を含む処方データで示される特性、ならびにこれらの分布、処方、または眼鏡レンズの形状若しくは物性から値（以下、特性値と呼ぶ）を算出することができる特性を含む。当該特性としては、例えば眼鏡レンズの少なくとも一部の領域による視野のゆがみおよび揺れ等が含まれる。
【００１３】
眼鏡レンズの加入度について説明する。眼鏡レンズの装用状態における、眼球の回旋点（回旋中心）を通る光線が眼鏡レンズの物体側（若しくは眼球側）の面と交差する位置における、眼鏡レンズの最大屈折力と最小屈折力の算術平均を狭義の平均屈折力とする。以下の実施形態における眼鏡レンズの加入度とは、狭義の平均屈折力から、装用者の処方データにおいて指定された装用者の眼の収差を補正して完全矯正にするために必要な眼鏡レンズの度数である、球面度数、円柱度数および乱視軸角度の分を、適宜眼球運動におけるリスティングの法則を考慮して取り除いた一種の残存収差であり、残存平均屈折力とも呼ばれる。
【００１４】
眼鏡レンズの非点収差について説明する。上記回旋点を通る光線における、最大屈折力と最小屈折力の差を狭義の非点収差とする。以下の実施形態における非点収差とは、狭義の非点収差から、加入度の場合と同様に、装用者の処方データにおいて指定された装用者の眼の、収差を補正して完全矯正にするために必要な眼鏡レンズの度数を取り除いた、一種の残存収差であり、残存非点収差や残存屈折力差とも呼ばれる。
なお、上記のように定義した加入度および非点収差に代わり、それぞれ狭義の平均屈折力および狭義の非点収差を用いてもよい。
【００１５】
よって、以下の実施形態における加入度分布および非点収差分布は、装用者の眼の処方に依存する成分を取り除いた、眼鏡レンズの製品としての特徴を表す分布となる。さらに、遠用参照点で無限遠方に完全矯正された眼鏡レンズであれば、以下の実施形態における加入度は、遠用参照点では、０Ｄとなり、加入度分布は遠用参照点での加入度を０Ｄとした分布となる。ただし、完全矯正するための処方に合わせた度数を持つ眼鏡レンズであっても、設計誤差や製造誤差の影響がある場合は、遠用参照点での加入度や非点収差は完全に０Ｄとはならない。
なお、上記のように定義した加入度および非点収差に代わり、後述する基本設計における加入度と非点収差とを用いてもよい。これは例えば、眼鏡レンズの個別最適化設計によって眼鏡レンズの形状が決定される前の眼鏡レンズのように、残存収差が決定していない場合により好適に用いることができる。
【００１６】
図１に戻って評価装置２００の各部の説明を行う。記憶部２２０は、不揮発性の記憶媒体を備える。記憶部２２０は、眼鏡レンズの加入度分布等の屈折力分布および／若しくは非点収差等の収差分布を示すデータ、ならびに／または装用者の処方データ等を含む眼鏡レンズの光学特性に関するデータ（これらを全て、以下、光学特性データと呼ぶ）、制御部２１０が処理を実行するためのプログラム等を記憶する。
【００１７】
通信部２３０は、インターネット等のネットワークに無線または有線接続により通信可能な通信装置を含んで構成され、光学特性データを受信したり、適宜必要なデータを送受信する。
【００１８】
表示部２４０は、液晶モニタ等の表示装置を備え、評価部３００の眼鏡レンズの評価に関する情報等を表示制御部２１３の制御により表示する。
なお、表示部２４０は、評価装置２００の外部に設けられてもよい。この場合、表示部２４０は、評価装置２００とネットワークを介して無線または有線により通信可能に接続される。
【００１９】
入力部２５０は、マウス、キーボード、各種ボタンおよび／またはタッチパネル等の入力装置を含んで構成される。入力部２５０は、対象レンズおよび評価対象レンズについての情報や装用感情報等、制御部２１０の行う処理に必要な情報を、評価装置２００のユーザ（以下、単に「ユーザ」と呼ぶ）から受け付ける。
なお、入力部２５０は、評価装置２００の外部に設けられてもよい。この場合、入力部２５０は、評価装置２００とネットワークを介して無線または有線により通信可能に接続される。
【００２０】
制御部２１０は、ＣＰＵ等のプロセッサを含んで構成され、記憶部２２０に記憶されたプログラムを実行し、評価装置２００の各動作の主体となる。制御部２１０は、複数の眼鏡レンズの光学特性データに基づいて評価対象レンズの評価を行い、当該評価に関する情報を表示部２４０に表示させる。
なお、本実施形態の眼鏡レンズの評価方法に用いるデータの一部は遠隔のサーバ等に保存してもよく、当該評価方法で行う演算処理の一部は遠隔のサーバ等で行ってもよい。
【００２１】
制御部２１０のデータ取得部２１１は、入力部２５０から入力された対象レンズおよび評価対象レンズの情報に基づいて、記憶部２２０に記憶された光学特性データを取得し、制御部２１０内の記憶媒体に保持する。光学特性データでは、各光学特性とその値が対応付けられている。
【００２２】
ユーザが対象レンズおよび評価対象レンズを入力する際には、例えば以下のように設定することができる。眼鏡レンズを１対装用している装用者が既存の眼鏡レンズ（旧レンズと呼ぶ）から新しい眼鏡レンズ（新レンズと呼ぶ）に切り替える場合、旧レンズおよび新レンズの２対を対象レンズとし、新レンズの一対を評価対象レンズとする。他の例として、装用者が遠近両用の累進屈折力レンズと中近両用の累進屈折力レンズとをそれぞれ１対購入する場合、これら２対の累進屈折力レンズの両方を対象レンズとし、かつ、評価対象レンズとすることができる。更に他の例として、眼鏡レンズを１対以上所持して装用している装用者が既存の眼鏡レンズ（旧レンズと呼ぶ）を所持し適時装用しながら、新しく遠近両用の累進屈折力レンズと中近両用の累進屈折力レンズとをそれぞれ１対購入する場合、これら旧レンズを含め全ての対の眼鏡レンズを対象レンズとし、新しく購入する２対の累進屈折力レンズを評価対象レンズとすることができる。
【００２３】
データ取得部２１１は、入力部２５０から入力された装用感情報についてのデータ（以下、装用感データと呼ぶ）を取得し、制御部２１０内の記憶媒体に保持する。装用感データでは、眼鏡レンズ上の一部または全部の領域と、光学特性と、装用者が当該光学特性を類似させたいかまたは異ならせたいかを示す情報とが対応付けられている（例えば図３９参照）。眼鏡レンズ上の一部の領域の例としては、累進屈折力レンズでは後述する遠用部、中間部または近用部、単焦点レンズではレンズの外周に近い辺縁部等が挙げられる。
【００２４】
評価部３００は、データ取得部２１１が取得した光学特性データおよび／または装用感データに基づいて、評価対象レンズの評価を行う。評価部３００は、複数の光学特性のそれぞれについて、光学特性データから、光学特性がどの程度類似しているかまたはどの程度異なっているかを示す特性値を算出する。評価部３００は、算出された特性値から、複数の光学特性のそれぞれについて装用感の違いを示す指標（以下、「個別特性指標」と呼ぶ）を算出する。評価部３００は、類似させたい光学特性がどの程度類似しているか、および、異ならせたい光学特性がどの程度異なっているかに基づいて、個別特性指標を算出することも好ましい。評価部３００は、個別特性指標から、複数の光学特性に基づいた装用感の違いを示す指標（以下、「統合特性指標」と呼ぶ）を算出する。
【００２５】
（個別特性指標の算出方法）
以下では、個別特性指標算出部３１０が、複数の光学特性のそれぞれについて、個別特性指標を算出する方法を、光学特性ごとに説明する。以下の実施形態では、個別特性指標および統合特性指標はそれぞれ０から１までの値をとり、値が大きい程装用者にとって好ましくないものとするが、個別特性指標および統合特性指標の値と評価との対応付けの方法は特に限定されない。
【００２６】
（加入度についての個別特性指標の算出方法）
個別特性指標算出部３１０は、累進屈折力レンズ等の眼鏡レンズの一または複数の所定の位置または範囲における加入度の差に基づいて、個別特性指標を算出する。以下では、説明をわかりやすくするため、遠近両用の累進屈折力レンズおよび中近両用の累進屈折力レンズの２対を対象レンズとし、これらの一方または両方を評価対象レンズとして評価する場合を例に説明する。
なお、対象レンズおよび評価対象レンズは３以上のレンズでもよく、眼鏡レンズの種類も特に限定されず単焦点レンズ等を含んでもよい。
【００２７】
図３（Ａ）は、遠近両用累進屈折力レンズの一例を示す概念図である。遠近両用累進屈折力レンズＬＳＡ（以下、「遠近両用レンズＬＳＡ」と呼ぶ）は、眼鏡用フレームの形状に合わせてレンズを加工する前の状態（玉摺り加工前の状態）になっており、平面視で円形に形成されている。遠近両用レンズＬＳＡは、図中上側が装用時において上方に配置されることとなり、図中下側が装用時において下方に配置されることとなる。遠近両用レンズＬＳＡは、遠用部Ｆと、近用部Ｎと、中間部Ｐとを有している。
【００２８】
遠用部Ｆは、遠近両用レンズＬＳＡの上部に配置されており、近用部Ｎは、遠近両用レンズＬＳＡの下部に配置されている。遠近両用レンズＬＳＡが眼鏡用に加工された後には遠用部Ｆは、近用部Ｎと比較して、より長い距離に対応する屈折力を有する部分となる。中間部Ｐは、遠近両用レンズＬＳＡのうち遠用部Ｆと近用部Ｎの中間に配置されており、遠用部Ｆと近用部Ｎとの間の屈折力を適宜連続的に滑らかに変化させて接続する。
【００２９】
遠近両用レンズＬＳＡは、複数の基準点を有している。このような基準点として、例えば、図３（Ａ）に示すように、アイポイント（フィッティングポイントとも呼ばれる）ＥＰ、遠用基準点ＦＶ、近用基準点ＮＶ等が挙げられる。アイポイントＥＰは、装用者がレンズを装用する時の基準点となる。遠用基準点ＦＶは、遠用部Ｆに位置し、遠用部Ｆにおいてレンズの遠用度数を測定する測定基準点となる。近用基準点ＮＶは、近用部Ｎに位置し、近用部Ｎにおいてレンズの近用度数を測定する測定基準点となる。
【００３０】
遠近両用レンズＬＳＡのほぼ中央には、装用者が正面上方から正面下方にある物体を見た場合に視線が通過するレンズ上の仮想線である主注視線Ｍが設けられている。主注視線Ｍは、主子午線とも呼ばれる。主注視線Ｍは、遠用部Ｆにおいて、遠用基準点ＦＶとアイポイントＥＰとを通り、装用時における鉛直方向に対応する方向（以下、「高さ方向」と呼ぶ）に沿って設定される。主注視線Ｍは、近用部において、近用基準点ＮＶを通り、高さ方向に沿って設定される。近用基準点ＮＶは、輻輳を考慮して鼻側（図３（Ａ）（Ｂ）では右側）に内寄せされている。主注視線Ｍの一部は、中間部Ｐにおいて、遠用基準点ＦＶと近用基準点ＮＶとを接続するため、高さ方向に対して斜めに設定されている。
【００３１】
図３（Ｂ）は、中近両用累進屈折力レンズの一例を示す概念図である。中近両用累進屈折力レンズＬＳＢ（以下、「中近両用レンズＬＳＢ」と呼ぶ）は、遠用参照点ＦＶの位置が、遠近両用レンズＬＳＡの遠用参照点ＦＶの位置よりも上方にある点、および加入度や非点収差の分布が異なる点で、遠近両用レンズＬＳＡとは異なっている。中近両用レンズＬＳＢにおいて、遠近両用レンズＬＳＡと同一の部分は同一の符号で参照して説明を省略する。以下の実施形態では、高さ方向に沿った遠用基準点ＦＶと近用基準点ＮＶとの間の距離Ｄが２４ｍｍ未満であり、アイポイントＥＰでの加入度が、遠用基準点ＦＶにおける加入度（通常は実質的に０Ｄ）と近用基準点ＮＶにおける加入度の差（以下、「公称加入度」と呼ぶ）の１５％未満である累進屈折力レンズを遠近両用累進屈折力レンズとする。距離Ｄが２４ｍｍ以上であるか、アイポイントＥＰでの加入度が、公称加入度の１５％以上である累進屈折力レンズを中近両用累進屈折力レンズとする。
なお、遠近両用累進屈折力レンズと中近両用累進屈折力レンズとの定義は、上記に限られず、適宜設定される。
【００３２】
遠近両用レンズＬＳＡにおいては、例えば遠用部Ｆを通して遠距離の対象物を好適に見るように設計され、近用部Ｎを通して近距離の対象物を好適に見るように設計される。中近両用レンズＬＳＢにおいては、例えば遠用部Ｆよりも広い領域である中間部Ｐを通して中間距離の対象物を好適に見るように設計され、近用部Ｎを通して近距離の対象物を好適にみるように設計される。遠距離、中間距離および近距離に対応する距離は、国・地域や眼鏡レンズの用途等によっても変化し特に限定されないが、例えば遠距離が１ｍ以上、中間距離が５０ｃｍ以上１ｍ未満、近距離が２５ｃｍ以上５０ｃｍ未満である。
【００３３】
図４は、以下の例で対象レンズとして用いる眼鏡レンズＡおよびＢの加入度曲線ＡｃａおよびＡｃｂを示すグラフである。眼鏡レンズＡは遠近両用レンズＬＳＡであり、眼鏡レンズＢは中近両用レンズＬＳＢとする。図４のグラフは、アイポイントＥＰからの高さ（縦軸）に対して、主注視線Ｍ（図３（Ａ）（Ｂ）参照）上における加入度（横軸）を示している。図４のグラフでは、わかりやすくするため、加入度を曲線ではなく折れ線により模式的に示した。
なお、アイポイントＥＰからの高さは眼鏡レンズＡおよびＢの物体側の面における高さであるが、眼側の面における高さであってもよい。アイポイントＥＰからの高さの代わりに、左右方向を回転軸とした眼球の回旋角度を用いて加入度に関する個別特性指標を算出してもよい。以下の実施形態において、光学特性がどの程度類似しているかまたはどの程度異なっているかを定量することができれば、パラメータの取り方等は特に限定されない。
【００３４】
眼鏡レンズＡは、遠用参照点ＦＶがアイポイントＥＰより５ｍｍ高い位置にあり、近用参照点ＮＶがアイポイントＥＰより１４ｍｍ低い位置にある。眼鏡レンズＢは、遠用参照点ＦＶがアイポイントＥＰより１０ｍｍ高い位置にあり、近用参照点ＮＶがアイポイントＥＰより１４ｍｍ低い位置にある。眼鏡レンズＡおよびＢの公称加入度は２Ｄである。眼鏡レンズＡのアイポイントＥＰにおける加入度は、眼鏡レンズＢのアイポイントＥＰにおける加入度よりも小さく、公称加入度の１５％未満である。
【００３５】
図５は、眼鏡レンズＡおよびＢ上のアイポイントＥＰからの高さに対し、ピントが合う距離範囲を示すグラフである。図５は、図４のグラフの加入度曲線ＡｃａおよびＡｃｂに、それぞれ装用者の最大調節力の値だけ横軸に沿って移動させた加入度曲線Ａｃａ１およびＡｃｂ１を追加したものである。例えば、装用者が眼鏡レンズＡの主注視線上の高さＨ１の位置を通して見る場合にピントが合う距離範囲は矢印Ｄｆａ、眼鏡レンズＢの主注視線上の高さＨ２の位置を通して見る場合にピントが合う距離範囲は矢印Ｄｆｂ、眼鏡レンズＡの主注視線上の高さＨ３の位置を通して見る場合にピントが合う距離範囲は矢印Ｄｎａ、および眼鏡レンズＢの高さＨ４の位置を通して見る場合にピントが合う距離範囲は矢印Ｄｎｂにより示される。このように、ピントが合う距離範囲は眼鏡レンズの加入度曲線と装用者の調節力とから算出される。
【００３６】
装用者の調節力は、実際に測定してもよいし、装用者の年齢または処方データにおける加入度等に基づいて算出してもよい。また、対象レンズが過去に作成されたレンズを含む場合には、当該レンズが作成されたときの装用者の調節力を算出して、装用者が当該レンズを作成したときのピントが合う距離範囲を用いて評価対象レンズを評価してもよい。これにより、装用者の好みに合わせ、当該レンズを作成した当時のピントの合う距離範囲に近い眼鏡レンズをより高く評価したりすることができる。
【００３７】
加入度特性値算出部３１１は、対象レンズの光学特性データに基づいて、加入度に関する特性値（以下、加入度特性値と呼ぶ）を算出する。加入度指標算出部３２１は、加入度に関する特性値から加入度に関する個別特性指標（以下、個別加入度指標と呼ぶ）を算出する。個別加入度指標と、以下で個別加入度指標を算出するために予備的に算出する指標とを総称して加入度指標と呼ぶ。加入度特性値算出部３１１および加入度指標算出部３２１は、入力部２５０からの入力や装用感情報等に基づいて、眼鏡レンズの使用目的により眼鏡レンズの評価方法を、以下の第１〜第３の各場合から選択することができる。
【００３８】
（第１の場合）
第１の場合として、無限遠方から手元等の近距離の対象物を見る目的の眼鏡レンズとして既存の眼鏡レンズＡを日常的に装用していた装用者が、同じ目的で眼鏡レンズＢに切り替える場合を説明する。装用者は、違和感を抑えるため、眼鏡レンズを切り替える際に装用感の違いが小さくなるように希望しているまたは好むものとする。
【００３９】
図５の加入度曲線Ａｃａ、Ａｃｂ、Ａｃａ１およびＡｃｂ１によると、眼鏡レンズＡおよびＢの遠用度数および近用度数は等しいため、装用者は、無限遠方から手元までの同じ距離範囲でピントを合わせることができる。
【００４０】
しかし、無限遠方を見る場合、眼鏡レンズＡの場合には、眼鏡レンズＡのアイポイントＥＰから５ｍｍ上方の位置を通して見ることになるが、眼鏡レンズＡに慣れた装用者が眼鏡レンズＢにおける同じ位置を通して無限遠方を見ると、約０．１Ｄの加入度が有るため、ぼやけてしまう。眼鏡レンズＢを通して無限遠方を見る場合には、装用者はアイポイントＥＰから１０ｍｍ上方の位置を見るように眼球を回旋する必要がある。
【００４１】
近用基準点ＮＶに対応する、アイポイントＥＰからの高さが−１４ｍｍの位置とそれよりも低い位置とでは眼鏡レンズＡと眼鏡レンズＢとでピントが合う距離範囲が完全に重なっている。しかし、中間部Ｐおよび近用部Ｎにおける近用基準点ＮＶよりも高い位置ではピントが合う距離範囲がずれているため、眼鏡レンズＡを通して見る場合と眼鏡レンズＢを通して見る場合とで眼球の回旋角度を異ならせる必要がある場合がある。このように、ピントが合う範囲が異なると、眼球の回旋角度を調節する等の手間を強いられ、眼鏡レンズを切り替えたときの違和感の一因になる。
【００４２】
加入度特性値算出部３１１（図２）は、眼鏡レンズＡの遠用参照点ＦＶに対応する高さの、眼鏡レンズＢの主注視線Ｍ上の位置における加入度を遠用部Ｆの加入度に関する特性値ΔＡｄｄｆ（以下、遠用部加入度特性値ΔＡｄｄｆと呼ぶ）として算出する。
【００４３】
加入度指標算出部３２１（図２）は、遠用部加入度特性値ΔＡｄｄｆの変化に対する装用感の変化に関するデータに基づいて、遠用部加入度特性値ΔＡｄｄｆから予備遠用部加入度指標ＰＡＩＲ＿ａｄｄ＿ｆａｒを算出する。
【００４４】
図６は、遠用部加入度特性値ΔＡｄｄｆの変化に対する装用感の変化に関するデータの一例をグラフにより示したものである。このデータでは、遠用部加入度特性値ΔＡｄｄｆの各値と予備遠用部加入度指標ＰＡＩＲ＿ａｄｄ＿ｆａｒとを対応づける関数が数式や二次元の配列等により示されている。遠用部加入度特性値ΔＡｄｄｆの変化に対する装用感の変化に関するデータは、過去に取得された、遠用部Ｆにおける加入度の装用感への影響を示すデータまたは理論等に基づいて、予め生成され記憶部２２０に記憶されている。
なお、以下の実施形態における特性値の変化に対応する装用感の変化に関するデータの数値は例示であり、本実施形態の眼鏡レンズの評価方法はこれらの数値に限定されるものではない。
【００４５】
図６の例は、遠用部Ｆにおける違和感の程度が、常用していた眼鏡レンズＡの遠用参照点ＦＶでの眼鏡レンズＢの加入度が０．１Ｄ以下では違和感をほとんど感じないが、０．２５Ｄになると許容できるものの明らかに違和感を感じ、０．５Ｄ以上になると許容できないほど違和感が強くなると仮定した場合のものである。
【００４６】
従って、図６の例では、遠用部加入度特性値ΔＡｄｄｆの変化に対する装用感の変化に関するデータは、以下の式（１）のように遠用部加入度特性値ΔＡｄｄｆの各値に予備遠用部加入度指標ＰＡＩＲ＿ａｄｄ＿ｆａｒが対応づけられている。
ΔＡｄｄｆ≦０．１ＤのときＰＡＩＲ＿ａｄｄ＿ｆａｒ＝０
ΔＡｄｄｆ＝０．２５ＤのときＰＡＩＲ＿ａｄｄ＿ｆａｒ＝０．５
ΔＡｄｄｆ≧０．５ＤのときＰＡＩＲ＿ａｄｄ＿ｆａｒ＝１
…（１）
ここで、０．１Ｄ＜ΔＡｄｄｆ＜０．２５Ｄ、０．２５Ｄ＜ΔＡｄｄｆ＜０．５Ｄの領域では、値が連続になるように直線により補間される。
なお、上記補間は直線の他、非線形の曲線によるものでもよい。
【００４７】
加入度特性値算出部３１１（図２）は、眼鏡レンズＡの公称加入度数の５０％に対応する高さから近用部側に向かって眼鏡レンズＡの公称加入度数の１００％に対応する高さまでの、主注視線Ｍ上の位置における眼鏡レンズＡの加入度と眼鏡レンズＢの加入度との差の二乗の算術平均の平方根を中間部から近用部にかけての加入度に関する特性値ΔＡｄｄｎ（以下、近用側加入度特性値ΔＡｄｄｎと呼ぶ）として算出する。
なお、加入度特性値を算出する際、眼鏡レンズＡおよびＢの加入度の差を算出する一若しくは複数の位置または範囲は特に限定されず、遠用部、中間部および近用部等、任意の領域に適宜設定することができる。また、加入度の違いの定量の方法は特に限定されない。
【００４８】
加入度指標算出部３２１（図２）は、近用側加入度特性値ΔＡｄｄｎの変化に対する装用感の変化に関するデータに基づいて、近用側加入度特性値ΔＡｄｄｎから予備近用側加入度指標ＰＡＩＲ＿ａｄｄ＿ｎｅａｒを算出する。
【００４９】
図７は、近用側加入度特性値ΔＡｄｄｎの変化に対する装用感の変化に関するデータの一例をグラフにより示したものである。このデータでは、近用側加入度特性値ΔＡｄｄｎの各値と予備近用側加入度指標ＰＡＩＲ＿ａｄｄ＿ｎｅａｒとを対応づける関数が数式や二次元の配列等により示されている。近用側加入度特性値ΔＡｄｄｎの変化に対する装用感の変化に関するデータは、過去に取得された、中間部Ｐおよび／または近用部Ｎにおける加入度の装用感への影響を示すデータまたは理論等に基づいて、予め生成され記憶部２２０に記憶されている。
【００５０】
中間部Ｐや近用部Ｎの加入度曲線が異なると、眼鏡レンズにおける他の領域と比較して違和感を覚えやすい。図７の例は、近用部Ｎにおける違和感の程度が、常用していた眼鏡レンズＡの公称加入度数の５０％に対応する高さから、近用部側に向かって眼鏡レンズＡの公称加入度数の１００％に対応する高さまでの、主注視線Ｍ上の位置における加入度の差により大きく影響されると仮定した場合のものである。具体的には、この範囲の眼鏡レンズＡと眼鏡レンズＢとの加入度の差が０Ｄを超え０．１Ｄ以下になると許容できるものの明らかに違和感を感じ、０．２５Ｄ以上になると許容できないほど違和感が強くなると仮定した場合のものである。
【００５１】
従って、図７の例では、近用側加入度特性値ΔＡｄｄｎの変化に対する装用感の変化に関するデータは、以下の式（２）のように近用側加入度特性値ΔＡｄｄｎの各値に予備近用側加入度指標ＰＡＩＲ＿ａｄｄ＿ｎｅａｒが対応づけられている。
ΔＡｄｄｎ≦０ＤのときＰＡＩＲ＿ａｄｄ＿ｎｅａｒ＝０
ΔＡｄｄｎ＝０．１ＤのときＰＡＩＲ＿ａｄｄ＿ｎｅａｒ＝０．５
ΔＡｄｄｎ≧０．２５ＤのときＰＡＩＲ＿ａｄｄ＿ｎｅａｒ＝１
…式（２）
ここで、０Ｄ＜ΔＡｄｄｎ＜０．１Ｄ、０．１Ｄ＜ΔＡｄｄｎ＜０．２５Ｄの領域では、値が連続になるように直線により補間される。
なお、上記補間は直線の他、非線形の曲線によるものでもよい。
【００５２】
加入度指標算出部３２１は、算出された予備遠用部加入度指標ＰＡＩＲ＿ａｄｄ＿ｆａｒと、算出された予備近用側加入度指標ＰＡＩＲ＿ａｄｄ＿ｎｅａｒとに基づいて、これらの指標を統合した個別加入度指標ＰＡＩＲ＿ａｄｄを算出する。個別加入度指標ＰＡＩＲ＿ａｄｄは、以下の式（３）により算出される。
ＰＡＩＲ＿ａｄｄ＝Ｍａｘ（ＰＡＩＲ＿ａｄｄ＿ｆａｒ，ＰＡＩＲ＿ａｄｄ＿ｎｅａｒ）
…（３）
ここで、Ｍａｘ（Ｘ，Ｙ）は、ＸとＹとの最大値を示し、以下の実施形態でも同様である。遠用部Ｆから近用部Ｎにかけての領域のうち、いずれか一方でも許容できない眼鏡レンズを装用することは望ましくないため、予備遠用部加入度指標ＰＡＩＲ＿ａｄｄ＿ｆａｒおよび予備近用側加入度指標ＰＡＩＲ＿ａｄｄ＿ｎｅａｒのうち、より大きな値を、加入度について統合した個別加入度指標ＰＡＩＲ＿ａｄｄとしている。
【００５３】
（第２の場合）
第２の場合として、眼鏡レンズの光学特性上、同じ使用目的により眼鏡レンズＡと眼鏡レンズＢとを併用する場合、すなわちファッションやその日の気分により眼鏡レンズＡと眼鏡レンズＢとを使い分ける場合を説明する。第２の場合は、眼鏡レンズＡと眼鏡レンズＢとを使い分ける場合であって、光学特性を異ならせることが必要でない場合を含む。装用者は、違和感を抑えるため、眼鏡レンズを切り替える際に装用感の違いが小さくなるように希望しているまたは好むものとする。
【００５４】
上述の第１の場合では、加入度特性値算出部３１１は、今まで装用していた既存の眼鏡レンズＡを基準として、すなわち眼鏡レンズＡの遠用基準点ＦＶの位置または眼鏡レンズＡの加入度曲線において加入度が所定の値をとる範囲に基づいて遠用部加入度特性値ΔＡｄｄｆおよび近用側加入度特性値ΔＡｄｄｎを算出していた。ここで、遠用部加入度特性値ΔＡｄｄｆおよび近用側加入度特性値ΔＡｄｄｎは、眼鏡レンズＢを基準として、すなわち眼鏡レンズＢの遠用基準点ＦＶの位置または眼鏡レンズＢの加入度曲線において加入度が所定の値をとる範囲に基づいて算出すると、異なる値となる。
【００５５】
第２の場合では、眼鏡レンズＡおよびＢを同じ使用目的で使い分けるため、いずれか一方のみを基準として加入度特性値および加入度指標を算出するのではなく、両方を基準とした加入度特性値および加入度指標を算出することが好ましい。
【００５６】
加入度特性値算出部３１１は、眼鏡レンズＡを基準とした遠用部加入度特性値ΔＡｄｄｆ＿ａｂおよび近用側加入度特性値ΔＡｄｄｎ＿ａｂ、ならびに眼鏡レンズＢを基準とした遠用部加入度特性値ΔＡｄｄｆ＿ｂａおよび近用側加入度特性値ΔＡｄｄｎ＿ｂａを算出する。
【００５７】
加入度指標算出部３２１は、算出されたΔＡｄｄｆ＿ａｂおよびΔＡｄｄｎ＿ａｂと、ΔＡｄｄｆ＿ｂａおよびΔＡｄｄｎ＿ｂａとから、それぞれ眼鏡レンズＡを基準とした予備遠用部加入度指標ＰＡＩＲ＿ａｄｄ＿ｆａｒ＿ａｂおよび予備近用側加入度指標ＰＡＩＲ＿ａｄｄ＿ｎｅａｒ＿ａｂと、眼鏡レンズＢを基準とした予備遠用部加入度指標ＰＡＩＲ＿ａｄｄ＿ｆａｒ＿ｂａおよび予備近用側加入度指標ＰＡＩＲ＿ａｄｄ＿ｎｅａｒ＿ｂａとを算出する。
【００５８】
加入度指標算出部３２１は、眼鏡レンズＡを基準とした予備遠用部加入度指標ＰＡＩＲ＿ａｄｄ＿ｆａｒ＿ａｂおよび予備近用側加入度指標ＰＡＩＲ＿ａｄｄ＿ｎｅａｒ＿ａｂと、眼鏡レンズＢを基準とした予備遠用部加入度指標ＰＡＩＲ＿ａｄｄ＿ｆａｒ＿ｂａおよび予備近用側加入度指標ＰＡＩＲ＿ａｄｄ＿ｎｅａｒ＿ｂａとに基づいて、これらの指標を統合した個別加入度指標ＰＡＩＲ＿ａｄｄを算出する。個別加入度指標ＰＡＩＲ＿ａｄｄは、以下の式（４）により算出される。
ＰＡＩＲ＿ａｄｄ＝Ｍａｘ（ＰＡＩＲ＿ａｄｄ＿ｆａｒ＿ａｂ，ＰＡＩＲ＿ａｄｄ＿ｎｅａｒ＿ａｂ，ＰＡＩＲ＿ａｄｄ＿ｆａｒ＿ｂａ，ＰＡＩＲ＿ａｄｄ＿ｎｅａｒ＿ｂａ）
…（４）
遠用部Ｆから近用部Ｎにかけての領域について、眼鏡レンズＡおよびＢを基準とした場合のいずれか一方でも許容できない眼鏡レンズを装用することは望ましくないため、ＰＡＩＲ＿ａｄｄ＿ｆａｒ＿ａｂ、ＰＡＩＲ＿ａｄｄ＿ｎｅａｒ＿ａｂ、ＰＡＩＲ＿ａｄｄ＿ｆａｒ＿ｂａおよびＰＡＩＲ＿ａｄｄ＿ｎｅａｒ＿ｂａのうち、最も大きな値を、加入度について統合した個別加入度指標ＰＡＩＲ＿ａｄｄとしている。
【００５９】
（第３の場合）
第３の場合として、眼鏡レンズの光学特性上、異なる使用目的により眼鏡レンズＡと眼鏡レンズＢとを併用する場合、すなわち日常生活等で、対象物までの距離等により眼鏡レンズＡと眼鏡レンズＢとを使い分ける場合を説明する。第３の場合では、装用者は、異なる使用目的に合わせて眼鏡レンズを使い分けるため、使用目的に合わせて異ならせた光学特性を有する眼鏡レンズを必要とする。装用者は、眼鏡レンズの少なくとも一部の領域において、眼鏡レンズＡと眼鏡レンズＢとの装用感を異ならせたいものとし、眼鏡レンズの他の領域において、眼鏡レンズＡと眼鏡レンズＢとの装用感を類似させたいものとする。
【００６０】
このような装用者の装用感情報は、装用者から電子機器への入力、聞き取りや書面への記入等により取得した後、ユーザにより入力部２５０から入力される。加入度特性値算出部３１１および加入度指標算出部３２１は、装用感情報に基づいて、それぞれ加入度特性値および加入度指標の算出を行う。
【００６１】
以下の例では、装用者は、眼鏡レンズＡおよび眼鏡レンズＢの機能について、遠用部Ｆでは同じような装用感でありながら、アイポイントＥＰおよびアイポイントＥＰより下方の中間部Ｐおよび近用部Ｎでは異なる装用感であることを希望しているまたは好むとする。
【００６２】
加入度特性値算出部３１１および加入度指標算出部３２１は、遠用参照点ＦＶの位置、ならびにアイポイントＥＰおよびアイポイントＥＰより下方における主注視線Ｍ上の２か所の位置における眼鏡レンズＡおよびＢの加入度に基づいて、それぞれ加入度特性値および加入度指標を算出する。このことは、装用者が、遠用参照点ＦＶの付近で遠方視するときには同じような装用感でありながら、中間部Ｐおよび／または近用部Ｎではピントの合う範囲が異なることを希望しているまたは好む場合に特に好適である。
なお、加入度特性値算出部３１１および加入度指標算出部３２１は、遠用部Ｆにおいて２カ所以上、中間部Ｐおよび／または近用部Ｎにおいて１，２か所または４か所以上の位置または任意の範囲における加入度に基づいて加入度特性値および加入度指標を算出してもよい。
【００６３】
遠用部Ｆについては、装用者が同じような装用感であることを希望しているまたは好むため、眼鏡レンズＡおよびＢの光学特性がどの程度類似しているかの指標により評価される。従って、上述の第２の場合と同様に、加入度特性値算出部３１１は、眼鏡レンズＡを基準とした遠用部加入度特性値ΔＡｄｄｆ＿ａｂ、および眼鏡レンズＢを基準とした遠用部加入度特性値ΔＡｄｄｆ＿ｂａを算出する。加入度指標算出部３２１は、算出されたΔＡｄｄｆ＿ａｂおよびΔＡｄｄｆ＿ｂａから、それぞれ眼鏡レンズＡを基準とした予備遠用部加入度指標ＰＡＩＲ＿ａｄｄ＿ｆａｒ＿ａｂおよび眼鏡レンズＢを基準とした予備遠用部加入度指標ＰＡＩＲ＿ａｄｄ＿ｆａｒ＿ｂａを算出する。
【００６４】
アイポイントＥＰより下方の中間部Ｐおよび近用部Ｎについては、装用者が異なる装用感であることを希望しているまたは好むため、眼鏡レンズＡおよびＢの光学特性がどの程度異なっているかの指標により評価される。
【００６５】
加入度特性値算出部３１１は、アイポイントＥＰおよびアイポイントＥＰより下方の２カ所の主注視線Ｍ上の位置において、眼鏡レンズＡおよびＢのうち、一方の眼鏡レンズだけを使った場合に対する両方の眼鏡レンズを使った場合の、ピントが合う距離範囲の比率を算出する。当該比率は、１以上２以下の数値をとり、当該比率が１のときは眼鏡レンズＡおよびＢのピントの合う距離範囲が完全に重なっている場合であり、当該比率が２のときは、眼鏡レンズＡおよびＢのピントの合う距離範囲が全く重なっていないことになる。加入度特性値算出部３１１は、ピントが合う距離範囲の比率に関する加入度特性値Ｒａｄｄ（以下、比率加入度特性値Ｒａｄｄと呼ぶ）を、アイポイントＥＰにおけるピントが合う距離範囲の比率Ｒａｄｄ１、アイポイントＥＰから５ｍｍおよび１０ｍｍ下方の主注視線Ｍ上の位置におけるピントが合う距離範囲の比率Ｒａｄｄ２およびＲａｄｄ３、ならびにＲａｄｄ１、Ｒａｄｄ２およびＲａｄｄ３のそれぞれの重みＷａｄｄ１、Ｗａｄｄ２およびＷａｄｄ３に基づいて、以下の式（５）により算出する。
Ｒａｄｄ＝Ｓｑｒｔ（（Ｗａｄｄ１＊Ｒａｄｄ１＾２＋Ｗａｄｄ２＊Ｒａｄｄ＾２＋Ｗａｄｄ３＊Ｒａｄｄ３＾２）／（Ｗａｄｄ１＋Ｗａｄｄ２＋Ｗａｄｄ３））
…（５）
ここで、Ｓｑｒｔ（Ｘ）は、Ｘの平方根をとる意味であり、Ｘ＾Ｙは、ＸのＹ乗の意味であり、Ｘ＊Ｙは、ＸとＹの積の意味であり、以下の実施形態でも同様である。このように、比率加入度特性値Ｒａｄｄは、眼鏡レンズ上の各位置におけるピントが合う距離範囲の比率の、所定の重みによる重み付け二乗平均の平方根により算出される。
【００６６】
重みＷａｄｄ１、Ｗａｄｄ２およびＷａｄｄ３は、眼鏡レンズＡおよびＢの中心付近であり最も多用されるアイポイントＥＰで最大とし、眼球のより大きな回旋を必要とするために使用頻度が下がる周辺部ほど小さくなるように予め設定されていることが好ましい。例えば、眼鏡レンズのそれぞれの高さでの重みは、アイポイントＥＰに対応する重みＷａｄｄ１を１、眼鏡レンズＡと眼鏡レンズＢの近用参照点ＮＶのうちより下方に位置する点（本実施形態ではアイポイントＥＰの１４ｍｍ下方）に対応する重みを０として、その間は線形補間することにより設定することができる。この場合、アイポイントＥＰでの重みＷａｄｄ１が１、アイポイントＥＰの下方５ｍｍの点における重みＷａｄｄ２が０．６４、アイポイントＥＰの下方１０ｍｍの点における重みＷａｄｄ３が０．２９となる。
【００６７】
眼鏡レンズのそれぞれの高さと重みとを対応付けたデータは、予め作成され記憶部２２０に記憶されており、加入度特性値算出部３１１により適宜参照される。
【００６８】
加入度指標算出部３２１（図２）は、比率加入度特性値Ｒａｄｄの変化に対する装用感の変化に関するデータに基づいて、比率加入度特性値Ｒａｄｄから予備比率加入度指標ＰＡＩＲ＿ａｄｄ＿ｕｎｄｅｒｅｐを算出する。
【００６９】
図８は、比率加入度特性値Ｒａｄｄの変化に対する装用感の変化に関するデータの一例をグラフにより示したものである。このデータでは、比率加入度特性値Ｒａｄｄの各値と予備比率加入度指標ＰＡＩＲ＿ａｄｄ＿ｕｎｄｅｒｅｐとを対応づける関数が数式や二次元の配列等により示されている。比率加入度特性値Ｒａｄｄの変化に対する装用感の変化に関するデータは、過去に取得された、中間部Ｐおよび／または近用部Ｎにおける加入度の装用感への影響を示すデータまたは理論等に基づいて、予め生成され記憶部２２０に記憶されている。
【００７０】
図８の例は、眼鏡レンズＡおよびＢのピントの合う範囲の重なりの量に比例して眼鏡レンズを低く（指標の値は高く）評価すると仮定した場合のものである。具体的には、眼鏡レンズＡとＢとのピントの合う範囲が重なっているときには予備比率加入度指標ＰＡＩＲ＿ａｄｄ＿ｕｎｄｅｒｅｐが１となり、全く重なっていないときには予備比率加入度指標ＰＡＩＲ＿ａｄｄ＿ｕｎｄｅｒｅｐが０となる。
【００７１】
従って、図８の例では、比率加入度特性値Ｒａｄｄの変化に対する装用感の変化に関するデータは、以下の式（６）のように比率加入度特性値Ｒａｄｄの各値に予備比率加入度指標ＰＡＩＲ＿ａｄｄ＿ｕｎｄｅｒｅｐが対応づけられている。
Ｒａｄｄ＝２のときＰＡＩＲ＿ａｄｄ＿ｕｎｄｅｒｅｐ＝０
Ｒａｄｄ＝１のときＰＡＩＲ＿ａｄｄ＿ｕｎｄｅｒｅｐ＝１
…式（６）
ここで、１＜Ｒａｄｄ＜２の領域では、値が連続になるように直線により補間される。
なお、上記補間は直線の他、非線形の曲線によるものでもよい。
【００７２】
加入度指標算出部３２１は、眼鏡レンズＡを基準とした予備遠用部加入度指標ＰＡＩＲ＿ａｄｄ＿ｆａｒ＿ａｂおよび眼鏡レンズＢを基準とした予備遠用部加入度指標ＰＡＩＲ＿ａｄｄ＿ｆａｒ＿ｂａならびに予備比率加入度指標ＰＡＩＲ＿ａｄｄ＿ｕｎｄｅｒｅｐに基づいて、これらの指標を統合した個別加入度指標ＰＡＩＲ＿ａｄｄを算出する。個別加入度指標ＰＡＩＲ＿ａｄｄは、以下の式（７）により算出される。
ＰＡＩＲ＿ａｄｄ＝Ｍａｘ（ＰＡＩＲ＿ａｄｄ＿ｆａｒ＿ａｂ，ＰＡＩＲ＿ａｄｄ＿ｆａｒ＿ｂａ，ＰＡＩＲ＿ａｄｄ＿ｕｎｄｅｒｅｐ）
…（７）
ここで、予備比率加入度指標ＰＡＩＲ＿ａｄｄ＿ｕｎｄｅｒｅｐが大きい場合には、眼鏡レンズＡおよびＢのうち装用者が装用感を異ならせたい領域において十分に光学特性が異なっておらず望ましくないものとした。眼鏡レンズＡを基準とした予備遠用部加入度指標ＰＡＩＲ＿ａｄｄ＿ｆａｒ＿ａｂおよび眼鏡レンズＢを基準とした予備遠用部加入度指標ＰＡＩＲ＿ａｄｄ＿ｆａｒ＿ｂａならびに予備比率加入度指標ＰＡＩＲ＿ａｄｄ＿ｕｎｄｅｒｅｐのうち、最も大きな値を、個別加入度指標ＰＡＩＲ＿ａｄｄとしている。
【００７３】
（明視域の広さについての個別特性指標の算出方法）
以下では、明視域の広さについての個別特性指標を説明する。明視域特性値算出部３１２（図２）は、対象レンズの光学特性データに基づいて、明視域の広さに関する特性値（以下、明視域特性値と呼ぶ）を算出する。明視域指標算出部３２２は、明視域の広さに関する特性値から明視域の広さに関する個別特性指標（以下、個別明視域指標と呼ぶ）を算出する。
【００７４】
図９（Ａ）は、対象レンズのうち、眼鏡レンズＡの加入度分布７１ａと非点収差分布７２ａとを示す図である。図９（Ｂ）は、対象レンズのうち、眼鏡レンズＢの加入度分布７１ｂと非点収差分布７２ｂとを示す図である。加入度分布７１ａおよび７１ｂと非点収差分布７２ａおよび７２ｂは、明視域の広さに基づいて算出される個別特性指標を説明するための仮想的な例であり、本実施形態の眼鏡レンズの評価方法は、この例に限定されない。
【００７５】
加入度分布７１ａ、７１ｂおよび非点収差分布７２ａおよび７２ｂでいう加入度と非点収差は、国際公開第２０１５／１２５８６８号における、「透過パワー」と「透過アス」に相当する。透過パワーは、眼球の回旋点を通る光線の眼鏡レンズ上の位置、より具体的には例えば、眼球の回旋点を通る光線が物体側の面と交差する位置における平均屈折力であり、透過アスは当該光線の当該位置における非点収差である。ただし、装用者の処方データにおいて指定された眼鏡レンズの球面度数、円柱度数および乱視軸角度の分を取り除いた、残存収差の成分だけにしている。
なお、球面度数、円柱度数および乱視軸角度等を反映した眼鏡レンズの設計データについて、以下のように明視域の広さについての個別特性指標を算出してもよい。
【００７６】
図９（Ａ）および９（Ｂ）において、「＋」のマークで示されている加入度分布７１ａおよび７１ｂ、ならびに非点収差分布７２ａおよび７２ｂのそれぞれの中心はアイポイントＥＰである。各分布の外径は直径４０ｍｍである。図の点線は主注視線Ｍを示している。図９（Ａ）および９（Ｂ）に示されたように、眼鏡レンズＡと眼鏡レンズＢは、加入度の分布および非点収差の分布が異なるので、明視域の広さも異なり、装用者が掛け替えたときに違和感を生じる可能性がある。
【００７７】
明視域特性値算出部３１２は、明視域の広さを算出するために、眼鏡レンズＡおよびＢについて以下の式（８）で定義される明視度ＣＶを算出する。
ＣＶ＝Ｓｑｒｔ（（Ｍａｘ（０，Ｐｏｗ−Ｐｍｅ，Ｐｍｅ−Ａｃｃ−Ｐｏｗ））＾２＋（Ａｓｔ／２））
…式（８）
ここで、眼鏡レンズは遠用参照点ＦＶで完全矯正であり、Ｐｏｗは眼鏡レンズ上の任意の位置における加入度であり、Ａｓｔは眼鏡レンズ上の任意の位置における非点収差であり、Ｐｍｅは眼鏡レンズ上の任意の点と同じ高さにある主注視線Ｍ上の加入度であり、Ａｃｃは装用者の調節力である。明視度ＣＶは、調節力Ａｃｃの装用者が、眼鏡レンズの任意の点を使って、その点と同じ高さにある主注視線Ｍ上の加入度に相当する距離にある物点を見ているときの、視覚を通じて感じるピントの誤差を表したものである。
【００７８】
明視域特性値算出部３１２は、眼鏡レンズＡおよびＢの遠用参照点ＦＶの低い方に対応する点、アイポイントＥＰおよび眼鏡レンズＡおよびＢの近用参照点ＮＶの高い方に対応する点の３か所に対応する高さにおいて、明視域の幅を算出する。以下の眼鏡レンズＡおよびＢの例では、明視域特性値算出部３１２は、遠用部ＦにおけるアイポイントＥＰから５ｍｍ上方の位置、アイポイントＥＰの位置および近用部ＮにおけるアイポイントＥＰから１４ｍｍ下方の位置の３か所に対応する高さにおいて、高さ方向および眼鏡レンズの光軸の両方に垂直な方向（以下、左右方向と呼ぶ）についての明視域の幅を算出する。
なお、明視域の幅を算出する位置は、特に限定されず、明視域特性値算出部３１２は、任意の数の位置において明視域の幅を算出することができる。
【００７９】
明視域特性値算出部３１２は、眼鏡レンズＡについて、アイポイントＥＰから５ｍｍ上方の位置、アイポイントＥＰの位置およびアイポイントＥＰから１４ｍｍ下方の位置において、左右方向に明視度ＣＶが所定の閾値ＣＶｌｉｍｉｔ以下となる幅をそれぞれ明視域の幅Ｗｃｖ１ａ、Ｗｃｖ２ａおよびＷｃｖ３ａとして算出する。明視域特性値算出部３１２は、眼鏡レンズＢについても、アイポイントＥＰから５ｍｍ上方の位置、アイポイントＥＰの位置およびアイポイントＥＰから１４ｍｍ下方の位置において、左右方向に明視度ＣＶが所定の閾値ＣＶｌｉｍｉｔ以下となる幅をそれぞれ明視域の幅Ｗｃｖ１ｂ、Ｗｃｖ２ｂおよびＷｃｖ３ｂとして算出する。
なお、眼鏡レンズは、アイポイントＥＰを中心とした直径５０ｍｍの円の外側の領域を通して見ることに使われることはほとんど無いので、明視度ＣＶが所定の閾値ＣＶｌｉｍｉｔ以下となる幅を算出する際には、アイポイントＥＰを中心とした直径５０ｍｍの円の外側の領域に対応する部分は含めないことが好ましい。
【００８０】
ここで、上記所定の閾値ＣＶｌｉｍｉｔは、装用者がどの程度はっきり見たいか等に基づいて、例えば０．５Ｄ等、適宜設定することができるが、装用者の完全矯正の際の視力（以下、完全矯正視力と呼ぶ）に基づいて設定することが好ましい。完全矯正視力に基づく場合、閾値ＣＶｌｉｍｉｔは、装用者の完全矯正視力をＶとして、例えば以下の式（９）により設定される。
ＣＶｌｉｍｉｔ＝（０．４／Ｖ＋０．６）／２
…式（９）
これにより、完全矯正視力が高い装用者ほど眼鏡レンズを通して見た際の視野のぼけに敏感である傾向にあることに基づいて、より精密に装用感を反映した指標を算出することができる。
【００８１】
明視域特性値算出部３１２および明視域指標算出部３２２は、入力部２５０からの入力や装用感情報等に基づいて、眼鏡レンズの使用目的により眼鏡レンズの評価方法を、以下の第１〜第３の各場合から選択することができる。
【００８２】
（第１の場合）
第１の場合として、無限遠方から手元等の近距離の対象物を見る目的の眼鏡レンズとして眼鏡レンズＡを日常的に装用していた装用者が、同じ目的で眼鏡レンズＢに切り替える場合を説明する。装用者は、眼鏡レンズを切り替える際に装用感の違いが小さくなるように希望しているまたは好むものとする。この場合、眼鏡レンズＡよりも眼鏡レンズＢの方が明視域が広いときには違和感が生じないが、眼鏡レンズＡよりも眼鏡レンズＢの方が明視域が狭くなると違和感が生じる。
【００８３】
明視域特性値算出部３１２は、眼鏡レンズＢに対応する明視域の幅を分母に、眼鏡レンズＡに対応する明視域の幅を分子にとり、上記３か所の位置における眼鏡レンズＡおよびＢの明視域の幅の比率Ｒｗｃｖ１、Ｒｗｃｖ２およびＲｗｃｖ３を以下の式（１０）により算出する。
Ｒｗｃｖ１＝Ｗｃｖ１ａ／Ｗｃｖ１ｂ
Ｒｗｃｖ２＝Ｗｃｖ２ａ／Ｗｃｖ２ｂ
Ｒｗｃｖ３＝Ｗｃｖ３ａ／Ｗｃｖ３ｂ
…式（１０）
【００８４】
明視域特性値算出部３１２は、算出されたＲｗｃｖ１、Ｒｗｃｖ２およびＲｗｃｖ３から明視域特性値Ｒｗｃｖを以下の式（１１）により算出する。
Ｒｗｃｖ＝Ｓｑｒｔ（（Ｒｘｃｖ１＾２＋Ｒｗｃｖ２＾２＋Ｒｗｃｖ３＾２）／３）
…式（１１）
すなわち、明視域特性値Ｒｗｃｖは、Ｒｗｃｖ１、Ｒｗｃｖ２およびＲｗｃｖ３の二乗の算術平均の平方根により算出される。
【００８５】
明視域指標算出部３２２（図２）は、明視域特性値Ｒｗｃｖの変化に対する装用感の変化に関するデータに基づいて、明視域特性値Ｒｗｃｖから個別明視域指標ＰＡＩＲ＿ｒａｎｇｅを算出する。
【００８６】
図１０は、明視域特性値Ｒｗｃｖの変化に対する装用感の変化に関するデータの一例をグラフにより示したものである。このデータでは、明視域特性値Ｒｗｃｖの各値と個別明視域指標ＰＡＩＲ＿ｒａｎｇｅとを対応づける関数が数式や二次元の配列等により示されている。明視域特性値Ｒｗｃｖの変化に対する装用感の変化に関するデータは、過去に取得された、明視域の幅の装用感への影響を示すデータまたは理論等に基づいて、予め生成され記憶部２２０に記憶されている。
【００８７】
図１０の例では、明視域特性値Ｒｗｃｖの変化に対する装用感の変化に関するデータは、以下の式（１２）のように明視域特性値Ｒｗｃｖの各値に個別明視域指標ＰＡＩＲ＿Ｒａｎｇｅが対応づけられている。
Ｒｗｃｖが０．８以下ならＰＡＩＲ＿ｒａｎｇｅ＝０
Ｒｗｃｖが１ならＰＡＩＲ＿ｒａｎｇｅ＝０．５
Ｒｗｃｖが１．２以上ならＰＡＩＲ＿ｒａｎｇｅ＝１
…式（１２）
ここで、０．８＜Ｒｗｃｖ＜１、１＜Ｒｗｃｖ＜１．２の領域では、値が連続になるように直線により補間される。
なお、上記補間は直線の他、非線形の曲線によるものでもよい。
【００８８】
（第２の場合）
第２の場合として、眼鏡レンズの光学特性上、同じ使用目的により眼鏡レンズＡと眼鏡レンズＢとを併用する場合、すなわちファッションやその日の気分により眼鏡レンズＡと眼鏡レンズＢとを使い分ける場合を説明する。第２の場合は、眼鏡レンズＡと眼鏡レンズＢとを使い分ける場合であって、光学特性を異ならせることが必要でない場合を含む。装用者は、眼鏡レンズを切り替える際に装用感の違いが小さくなるように希望しているまたは好むものとする。この場合、眼鏡レンズＡおよびＢで明視域の広さが異なると広い方の眼鏡レンズから狭い方の眼鏡レンズに掛け替えたときに違和感が生じてしまい好ましくない。
【００８９】
明視域特性値算出部３１２は、上記各３か所の位置において、眼鏡レンズＡに対応する明視域の幅および眼鏡レンズＢに対応する明視域の幅のうち、大きい方を分母に、小さい方を分子にとる。すなわち、明視域特性値算出部３１２は、上記３か所の位置における眼鏡レンズＡおよびＢの明視域の幅の比率Ｒｗｃｖ１、Ｒｗｃｖ２およびＲｗｃｖ３を以下の式（１３）により算出する。
Ｒｗｃｖ１＝Ｍｉｎ（Ｗｃｖ１ａ，Ｗｃｖ１ｂ）／Ｍａｘ（Ｗｃｖ１ａ，Ｗｃｖ１ｂ）
Ｒｗｃｖ２＝Ｍｉｎ（Ｗｃｖ２ａ，Ｗｃｖ２ｂ）／Ｍａｘ（Ｗｃｖ２ａ，Ｗｃｖ２ｂ）
Ｒｗｃｖ３＝Ｍｉｎ（Ｗｃｖ３ａ，Ｗｃｖ３ｂ）／Ｍａｘ（Ｗｃｖ３ａ，Ｗｃｖ３ｂ）
…式（１３）
ここで、Ｍｉｎ（Ｘ，Ｙ）は、ＸとＹとの最小値を示し、以下の実施形態でも同様である。
【００９０】
明視域特性値算出部３１２は、算出されたＲｗｃｖ１、Ｒｗｃｖ２およびＲｗｃｖ３の二乗の算術平均の平方根により明視域特性値Ｒｗｃｖを算出する（式（１１）と同様）。
【００９１】
明視域指標算出部３２２（図２）は、明視域特性値Ｒｗｃｖの変化に対する装用感の変化に関するデータに基づいて、明視域特性値Ｒｗｃｖから個別明視域指標ＰＡＩＲ＿ｒａｎｇｅを算出する。
【００９２】
図１１は、第２の場合における明視域特性値Ｒｗｃｖの変化に対する装用感の変化に関するデータの一例をグラフにより示したものである。図１１の例では、明視域特性値Ｒｗｃｖの変化に対する装用感の変化に関するデータは、以下の式（１４）のように明視域特性値Ｒｗｃｖの各値に個別明視域指標ＰＡＩＲ＿ｒａｎｇｅが対応づけられている。
Ｒｗｃｖが１ならＰＡＩＲ＿ｒａｎｇｅ＝０
Ｒｗｃｖが０．８以下ならＰＡＩＲ＿ｒａｎｇｅ＝１
…式（１４）
ここで、０．８＜Ｒｗｃｖ＜１の領域では、値が連続になるように直線により補間される。
なお、上記補間は直線の他、非線形の曲線によるものでもよい。
【００９３】
（第３の場合）
第３の場合として、眼鏡レンズの光学特性上、異なる使用目的により眼鏡レンズＡと眼鏡レンズＢとを併用する場合、すなわち日常生活等で、対象物までの距離等により眼鏡レンズＡと眼鏡レンズＢとを使い分ける場合を説明する。第３の場合では、装用者は、異なる使用目的に合わせて眼鏡レンズを使い分けるため、使用目的に合わせて異ならせた光学特性を有する眼鏡レンズを必要とする。
【００９４】
一例として、眼鏡レンズＡは遠近両用レンズＬＳＡであり、眼鏡レンズＢは中近両用レンズＬＳＢであるとする。装用者は両方の眼鏡レンズに対して遠くが良く見えることを期待する。そして明視域の広さは、遠方から近方までの全ての領域でできるだけ広いことが理想ではあるが、特に眼鏡レンズＡでは遠距離に対応する部分の明視域の広さを優先的に期待し、眼鏡レンズＢに対しては中間距離から近距離までの明視域の広さを期待する。よって、実際の眼鏡レンズＡと眼鏡レンズＢの機能がこのような期待に沿ったものである場合、装用者は掛け替え時にも機能の違いを予想したうえで掛け替えるので、それぞれの眼鏡レンズの装用感が異なっていても、それによる違和感は生じにくい。ところが逆にこのような期待に沿ったもので無い場合は、予想に反した装用感になるので違和感を生じてしまう。
【００９５】
第３の場合では、明視域の幅を算出する位置および当該位置において装用者の求める装用感に基づいて、眼鏡レンズＡの明視域の幅を分母にとるか、眼鏡レンズＢの明視域の幅を分母にとるかを異ならせる。
【００９６】
以下の例では、上述のように眼鏡レンズＡは遠近両用レンズＬＳＡであり、眼鏡レンズＢは中近両用レンズＬＳＢであるとして説明する。第１の場合と異なり、明視域特性値算出部３１２は、アイポイントＥＰの位置での明視域の幅を算出する代わりに、中間部Ｐにおいて公称加入度に対して所定の割合の加入度に対応する位置における明視域の幅を算出する。
【００９７】
明視域特性値算出部３１２は、眼鏡レンズＡおよびＢの遠用参照点ＦＶの低い方に対応する点、中間部Ｐにおいて公称加入度の５０％の加入度に対応する点および眼鏡レンズＡおよびＢの近用参照点ＮＶの高い方に対応する点の３か所に対応する高さにおいて、明視域の幅を算出する。上述の眼鏡レンズＡおよびＢの例では、明視域特性値算出部３１２は、遠用部ＦにおけるアイポイントＥＰから５ｍｍ上方の位置、中間部Ｐにおいて公称加入度の５０％の加入度に対応する位置および近用部ＮにおけるアイポイントＥＰから１４ｍｍ下方の位置の３か所に対応する高さにおいて、左右方向についての明視域の幅を算出する。
【００９８】
明視域特性値算出部３１２は、遠用部ＦにおけるアイポイントＥＰから５ｍｍ上方の位置について、遠近両用の眼鏡レンズＡに対応する明視域の幅Ｗｃｖ１ａを分母とし、中近両用の眼鏡レンズＢに対応する明視域の幅Ｗｃｖ１ｂを分子とした比率Ｒｗｃｖ１を算出する。明視域特性値算出部３１２は、中間部Ｐにおいて公称加入度の５０％の加入度に対応する位置および近用部ＮにおけるアイポイントＥＰから１４ｍｍ下方の位置について、遠近両用の眼鏡レンズＡに対応する明視域の幅ＷｃｖｍａおよびＷｃｖ３ａを分子とし、中近両用の眼鏡レンズＢに対応する明視域の幅ＷｃｖｍｂおよびＷｃｖ３ｂを分母とした比率Ｒｗｃｖ２、Ｒｗｃｖ３をそれぞれ算出する。すなわち、明視域特性値算出部３１２は、上記３か所の位置における眼鏡レンズＡおよびＢの明視域の幅の比率Ｒｗｃｖ１、Ｒｗｃｖ２およびＲｗｃｖ３を以下の式（１５）により算出する。
Ｒｗｃｖ１＝Ｗｃｖ１ｂ／Ｗｃｖ１ａ
Ｒｗｃｖ２＝Ｗｃｖｍａ／Ｗｃｖｍｂ
Ｒｗｃｖ３＝Ｗｃｖ３ａ／Ｗｃｖ３ｂ
…式（１５）
【００９９】
明視域特性値算出部３１２は、算出されたＲｗｃｖ１、Ｒｗｃｖ２およびＲｗｃｖ３の二乗の算術平均の平方根により明視域特性値Ｒｗｃｖを算出する（式（１１）と同様）。
【０１００】
明視域指標算出部３２２は、明視域特性値Ｒｗｃｖの変化に対する装用感の変化に関するデータに基づいて、明視域特性値Ｒｗｃｖから個別明視域指標ＰＡＩＲ＿ｒａｎｇｅを算出する。
【０１０１】
図１２は、第３の場合における明視域特性値Ｒｗｃｖの変化に対する装用感の変化に関するデータの一例をグラフにより示したものである。図１２の例では、明視域特性値Ｒｗｃｖの変化に対する装用感の変化に関するデータは、以下の式（１６）のように明視域特性値Ｒｗｃｖの各値に個別明視域指標ＰＡＩＲ＿ｒａｎｇｅが対応づけられている。
Ｒｗｃｖが０．５以下ならＰＡＩＲ＿ｒａｎｇｅ＝０
Ｒｗｃｖが０．９ならＰＡＩＲ＿ｒａｎｇｅ＝０．５
Ｒｗｃｖが１．０以上ならＰＡＩＲ＿ｒａｎｇｅ＝１
…式（１６）
ここで、０．５＜Ｒｗｃｖ＜０．９、０．９＜Ｒｗｃｖ＜１．０の領域では、値が連続になるように直線により補間される。
なお、上記補間は直線の他、非線形の曲線によるものでもよい。
【０１０２】
（ゆがみについての個別特性指標の算出方法）
以下では、ゆがみについての個別特性指標を説明する。ゆがみ特性値算出部３１３（図２）は、対象レンズの光学特性データに基づいて、眼鏡レンズを通して見た視野のゆがみに関する特性値（以下、ゆがみ特性値と呼ぶ）を算出する。ゆがみ指標算出部３２３は、ゆがみ特性値からゆがみに関する個別特性指標（以下、個別ゆがみ指標と呼ぶ）を算出する。個別ゆがみ指標と、以下で個別ゆがみ指標を算出するために予備的に算出する指標とを総称してゆがみ指標と呼ぶ。
【０１０３】
個別特性指標算出部３１０は、複数の眼鏡レンズの少なくとも一部の領域を通して所定の対象物を見る場合の網膜像における対象物の形状および／または大きさの変化に基づいて、上記複数の眼鏡レンズの上記領域を通して見る場合の視野のゆがみがどの程度類似しているかまたはどの程度異なっているかの指標を算出する。ただし、ここで網膜像とは、眼鏡レンズの装用者が眼球運動を伴って所定の対象物を見る場合に視覚的に認識する対象物の像の意味を含む。
【０１０４】
以下の例では、眼鏡レンズＡおよびＢは累進屈折力レンズであるものとして説明する。ゆがみ特性値算出部３１３は、装用者の眼球と、眼鏡レンズＡまたはＢと、対象物が配置された仮想空間において光線追跡を行い、眼鏡レンズＡおよびＢにおけるゆがみ特性値を算出する。
【０１０５】
図１３は、仮想空間における眼鏡レンズ等の配置を示す概念図である。図１３において、点Ｐは装用者の眼球の回旋中心である。装用者の眼球の前方には格子Ｇｒが配置されている。格子Ｇｒは、中心点Ｅｏ、上端点Ｆｏおよび下端点Ｎｏを備える。装用者は、眼鏡レンズＡのアイポイントＥＰを通して正面の中心点Ｅｏを見ると想定する。格子Ｇｒは、装用者が、中心点Ｅｏの真上にある上端点Ｆｏと、真下にある下端点Ｎｏとを眼鏡レンズＡを通して見られる位置に配置されている。装用者が裸眼で中心点Ｅｏを見る際の視線方向に平行な軸をＡｘ、裸眼で上端点Ｆｏを見る際の視線方向に平行な軸をＢＬ１、裸眼で下端点Ｎｏを見る際の視線方向に平行な軸をＢＬ２とすると、ＡｘとＢＬ１とがなす角度およびＢＬ２とＡｘとがなす角度は共に等しい角度θである。また、装用者が裸眼で中心点Ｅｏを見る際の視線方向と格子Ｇｒがなす面は略垂直となっている。眼鏡レンズＢのゆがみ特性値を算出する場合には、図１３における眼鏡レンズＡの位置に眼鏡レンズＢが配置される。
【０１０６】
角度θは、２０度〜３０度が好ましい。この場合、格子Ｇｒは、装用者の視野において、空間座標感覚に影響を与える誘導視野という領域に対応する位置に配置されることになり、眼鏡レンズによる視野のゆがみを評価するために適した構成となる。
【０１０７】
図１４は、格子Ｇｒを正面から見た図である。格子Ｇｒは、縦２×横２の４つの正方形の形状を備える正方格子である。格子Ｇｒは、４つの正方形の中心に中心点Ｅｏを備え、中心点Ｅｏから鉛直方向および水平方向にそれぞれ伸びる第１中心線Ｌ１および第２中心線Ｌ２を備える。格子Ｇｒは、中心点Ｅｏから鉛直方向に伸びる第１中心線Ｌ１の上端に上端点Ｆｏ、下端に下端点Ｎｏを備える。
【０１０８】
図１５（Ａ）は、ゆがみ特性値算出部３１３が光線追跡により算出した、眼鏡レンズＡにより格子Ｇｒからの光が屈折されて得られた格子Ｇｒの網膜像Ｉａ１を示す図である。網膜像Ｉａ１は、中心対応点Ｅａと、上端対応点Ｆａと、下端対応点Ｎａと、第１中心線対応線Ｌ１ａと、第２中心線対応線Ｌ２ａとを備える。格子Ｇｒにおける中心点Ｅｏ、上端点Ｆｏおよび下端点Ｎｏは、中心対応点Ｅａ、上端対応点Ｆａおよび下端対応点Ｎａにそれぞれ対応する。格子Ｇｒにおける第１中心線Ｌ１および第２中心線Ｌ２は、第１中心線対応線Ｌ１ａおよび第２中心線対応線Ｌ２ａに対応する。眼鏡レンズＡによる網膜像Ｉａ１は、第１中心線対応線Ｌ１ａおよび第２中心線対応線Ｌ２ａはゆがみがないが、格子Ｇｒと比較して、視野のゆがみにより全体的に斜め方向に伸びた形状となっている。
【０１０９】
図１５（Ｂ）は、ゆがみ特性値算出部３１３が光線追跡により算出した、眼鏡レンズＢにより格子Ｇｒからの光が屈折されて得られた格子Ｇｒの網膜像Ｉｂ１を示す図である。網膜像Ｉｂ１は、中心対応点Ｅｂと、上端対応点Ｆｂと、下端対応点Ｎｂと、第１中心線対応線Ｌ１ｂと、第２中心線対応線Ｌ２ｂとを備える。格子Ｇｒにおける中心点Ｅｏ、上端点Ｆｏおよび下端点Ｎｏは、中心対応点Ｅｂ、上端対応点Ｆｂおよび下端対応点Ｎｂにそれぞれ対応する。格子Ｇｒにおける第１中心線Ｌ１および第２中心線Ｌ２は、第１中心線対応線Ｌ１ｂおよび第２中心線対応線Ｌ２ｂに対応する。眼鏡レンズＢによる網膜像Ｉｂ１は、格子Ｇｒと比較して、視野のゆがみにより斜め方向に伸びた形状となっているが、その程度は眼鏡レンズＡによる網膜像Ｉａ１よりも小さい。さらに、眼鏡レンズＢによる網膜像Ｉｂ１では、第１中心線対応線Ｌ１ｂおよび第２中心線対応線Ｌ２ｂが折れ線になっており、眼鏡レンズ網膜像Ｉｂ１の中心付近にもゆがみが見られる。
なお、実際の累進屈折力レンズによるゆがみによると、図１５（Ａ）および１５（Ｂ）に示された像よりも複雑に歪んだ像となるが、わかりやすく説明するため、簡単な例を示している。
【０１１０】
図１６は、格子Ｇｒ、眼鏡レンズＡによる網膜像Ｉａ１および眼鏡レンズＢによる網膜像Ｉｂ１を重ねて示した図である。格子Ｇｒおよび網膜像Ｉａ１，Ｉｂ１は、中心点Ｅｏおよび中心対応点Ｅａ，Ｅｂが一致するような位置で重ねられて配置されている。上端点Ｆｏ、上端対応点Ｆａ、Ｆｂはそれぞれ異なった位置となる。下端点Ｎｏ、下端対応点Ｎａ、Ｎｂはそれぞれ異なった位置となる。
【０１１１】
図１７は、眼鏡レンズの上側の部分のゆがみに関する特性値を算出する方法を説明するための概念図である。ゆがみ特性値算出部３１３は、眼鏡レンズＡによる網膜像Ｉａ１および／または眼鏡レンズＢによる網膜像Ｉｂ１を拡大または縮小し、網膜像Ｉａ１における中心対応点Ｅａと網膜像Ｉｂ１における中心対応点Ｅｂとが一致し、かつ網膜像Ｉａ１における上端対応点Ｆａと網膜像Ｉｂ１における上端対応点Ｆｂの高さが一致するようにする。
【０１１２】
図１８（Ａ）は、図１７における網膜像Ｉａ１を示す図である。ゆがみ特性値算出部３１３は、上下方向の伸縮の度合に基づいて大きさが調整された眼鏡レンズＡによる格子Ｇｒの網膜像Ｉａ１において、第２中心線対応線Ｌ２ａよりも上側の部分の面積（図中のハッチングされた部分；以下、網膜像Ｉａ１の上側面積Ｓｆａと呼ぶ）を算出する。
【０１１３】
図１８（Ｂ）は、図１７における網膜像Ｉｂ１を示す図である。ゆがみ特性値算出部３１３は、上下方向の伸縮の度合に基づいて大きさが調節された眼鏡レンズＢによる格子Ｇｒの網膜像Ｉｂ１において、第２中心線対応線Ｌ２ｂよりも上側の部分の面積（図中のハッチングされた部分；以下、網膜像Ｉｂ１の上側面積Ｓｆｂと呼ぶ）を算出する。
【０１１４】
ゆがみ特性値算出部３１３は、眼鏡レンズの上側部分のゆがみ特性値Ｒｆを、網膜像Ｉａ１の上側面積Ｓｆａに対する網膜像Ｉｂ１の上側面積Ｓｆｂの比率として以下の式（１７）により算出する。
Ｒｆ＝Ｓｆｂ／Ｓｆａ  …式（１７）
なお、ゆがみ特性値算出部３１３は、網膜像Ｉａ１，Ｉｂ１の変形量等を示す、形状や大きさに関する任意のパラメータを用いて、ゆがみ特性値を算出することができる。
【０１１５】
ゆがみ指標算出部３２３（図２）は、眼鏡レンズの上側部分のゆがみ特性値Ｒｆの変化に対する装用感の変化に関するデータに基づいて、このゆがみ特性値Ｒｆから眼鏡レンズの上側部分の予備ゆがみ指標ＰＡＩＲ＿ｄｉｓ＿ｆａｒを算出する。
【０１１６】
図１９は、眼鏡レンズの上側部分のゆがみ特性値Ｒｆの変化に対する装用感の変化に関するデータの一例をグラフにより示したものである。このデータでは、眼鏡レンズの上側部分のゆがみ特性値Ｒｆの各値と眼鏡レンズの上側部分の予備ゆがみ指標ＰＡＩＲ＿ｄｉｓ＿ｆａｒとを対応づける関数が数式や二次元の配列等により示されている。眼鏡レンズの上側部分のゆがみ特性値Ｒｆの変化に対する装用感の変化に関するデータは、過去に取得された、視野の上側部分におけるゆがみの装用感への影響を示すデータまたは理論等に基づいて、予め生成され記憶部２２０に記憶されている。
【０１１７】
図１９の例は、網膜像Ｉａ１の上側面積Ｓｆａと網膜像Ｉｂ１の上側面積Ｓｆｂとが１％異なると、装用者はゆがみをやや感じ、３％異なるとゆがみを明らかに感じるがそれ程強くは感じず、１０％以上異なるとゆがみによる違和感が許容できないほど強くなると仮定した場合のものである。
【０１１８】
従って、図１９の例では、眼鏡レンズの上側部分のゆがみ特性値Ｒｆの変化に対する装用感の変化に関するデータは、以下の式（１８）のように眼鏡レンズの上側部分のゆがみ特性値Ｒｆの各値に眼鏡レンズの上側部分の予備ゆがみ指標ＰＡＩＲ＿ｄｉｓ＿ｆａｒが対応づけられている。
Ｒｆ＝１のときＰＡＩＲ＿ｄｉｓ＿ｆａｒ＝０
Ｒｆ＝１．０１のときＰＡＩＲ＿ｄｉｓ＿ｆａｒ＝０．２５
Ｒｆ＝１．０３のときＰＡＩＲ＿ｄｉｓ＿ｆａｒ＝０．５
Ｒｆ≧１．１のときＰＡＩＲ＿ｄｉｓ＿ｆａｒ＝１
…式（１８）
ここで、１＜Ｒｆ＜１．０１、１．０１＜Ｒｆ＜１．０３、１．０３＜Ｒｆ＜１．１の領域では、値が連続になるように直線により補間される。
なお、上記補間は直線の他、非線形の曲線によるものでもよい。
【０１１９】
図２０は、眼鏡レンズの下側の部分のゆがみに関する特性値を算出する方法を説明するための概念図である。ゆがみ特性値算出部３１３は、眼鏡レンズＡによる網膜像Ｉａ１および／または眼鏡レンズＢによる網膜像Ｉｂ１を拡大または縮小し、網膜像Ｉａ１における中心対応点Ｅａと網膜像Ｉｂ１における中心対応点Ｅｂとが一致し、かつ網膜像Ｉａ１における下端対応点Ｎａと網膜像Ｉｂ１における下端対応点Ｎｂの高さが一致するようにする。図２０において、網膜像Ｉａ１と網膜像Ｉｂ１の大きさは、格子Ｇｒからの視野の下側の中心部の上下方向の伸縮の度合が同程度になるように調節されている。
【０１２０】
図２１（Ａ）は、図２０における網膜像Ｉａ１を示す図である。ゆがみ特性値算出部３１３は、上下方向の伸縮の度合に基づいて大きさが調節された眼鏡レンズＡによる格子Ｇｒの網膜像Ｉａ１において、第２中心線対応線Ｌ２ａよりも下側の部分の面積（図中のハッチングされた部分；以下、網膜像Ｉａ１の下側面積Ｓｎａと呼ぶ）を算出する。
【０１２１】
図２１（Ｂ）は、図２０における網膜像Ｉｂ１を示す図である。ゆがみ特性値算出部３１３は、上下方向の伸縮の度合に基づいて大きさが調節された眼鏡レンズＢによる格子Ｇｒの網膜像Ｉｂ１において、第２中心線対応線Ｌ２ｂよりも下側の部分の面積（図中のハッチングされた部分；以下、網膜像Ｉｂ１の下側面積Ｓｎｂと呼ぶ）を算出する。
【０１２２】
ゆがみ特性値算出部３１３は、眼鏡レンズの下側部分のゆがみ特性値Ｒｎを、網膜像Ｉａ１の下側面積Ｓｎａに対する網膜像Ｉｂ１の下側面積Ｓｎｂの比率として以下の式（１９）により算出する。
Ｒｆ＝Ｓｎｂ／Ｓｎａ  …式（１９）
【０１２３】
ゆがみ指標算出部３２３（図２）は、眼鏡レンズの下側部分のゆがみ特性値Ｒｎの変化に対する装用感の変化に関するデータに基づいて、このゆがみ特性値Ｒｎから眼鏡レンズの下側部分の予備ゆがみ指標ＰＡＩＲ＿ｄｉｓ＿ｎｅａｒを算出する。
【０１２４】
図２２は、眼鏡レンズの下側部分のゆがみ特性値Ｒｎの変化に対する装用感の変化に関するデータの一例をグラフにより示したものである。このデータでは、眼鏡レンズの下側部分のゆがみ特性値Ｒｎの各値と眼鏡レンズの下側部分の予備ゆがみ指標ＰＡＩＲ＿ｄｉｓ＿ｎｅａｒとを対応づける関数が数式や二次元の配列等により示されている。眼鏡レンズの下側部分のゆがみ特性値Ｒｎの変化に対する装用感の変化に関するデータは、過去に取得された、視野の下側部分におけるゆがみの装用感への影響を示すデータまたは理論等に基づいて、予め生成され記憶部２２０に記憶されている。
【０１２５】
図２２の例は、網膜像Ｉａ１の下側面積Ｓｎａと網膜像Ｉｂ１の下側面積Ｓｎｂとが１％異なると、装用者はゆがみをやや感じ、３％異なるとゆがみを明らかに感じるがそれ程強くは感じず、１０％以上異なるとゆがみによる違和感が許容できないほど強くなると仮定した場合のものである。
【０１２６】
従って、図２２の例では、眼鏡レンズの下側部分のゆがみ特性値Ｒｎの変化に対する装用感の変化に関するデータは、以下の式（２０）のように眼鏡レンズの下側部分のゆがみ特性値Ｒｎの各値に眼鏡レンズの下側部分の予備ゆがみ指標ＰＡＩＲ＿ｄｉｓ＿ｎｅａｒが対応づけられている。
Ｒｎ＝１のときＰＡＩＲ＿ｄｉｓ＿ｎｅａｒ＝０
Ｒｎ＝１．０１のときＰＡＩＲ＿ｄｉｓ＿ｎｅａｒ＝０．２５
Ｒｎ＝１．０３のときＰＡＩＲ＿ｄｉｓ＿ｎｅａｒ＝０．５
Ｒｎ≧１．１のときＰＡＩＲ＿ｄｉｓ＿ｎｅａｒ＝１
…式（２０）
ここで、１＜Ｒｎ＜１．０１、１．０１＜Ｒｎ＜１．０３、１．０３＜Ｒｎ＜１．１の領域では、値が連続になるように直線により補間される。
なお、上記補間は直線の他、非線形の曲線によるものでもよい。
【０１２７】
ゆがみ指標算出部３２３は、眼鏡レンズの上側部分の予備ゆがみ指標ＰＡＩＲ＿ｄｉｓ＿ｆａｒおよび眼鏡レンズの下側部分の予備ゆがみ指標ＰＡＩＲ＿ｄｉｓ＿ｎｅａｒに基づいて、これらの指標を統合した個別ゆがみ指標ＰＡＩＲ＿ｄｉｓを算出する。個別ゆがみ指標ＰＡＩＲ＿ｄｉｓは、以下の式（２１）により算出される。
ＰＡＩＲ＿ｄｉｓ＝Ｍａｘ（ＰＡＩＲ＿ｄｉｓ＿ｆａｒ，ＰＡＩＲ＿ｄｉｓ＿ｎｅａｒ）
…（２１）
ここで、眼鏡レンズの上側部分および下側部分のうち、いずれか一方でも許容できない視野のゆがみを生む眼鏡レンズを装用することは望ましくないため、眼鏡レンズの上側部分の予備ゆがみ指標ＰＡＩＲ＿ｄｉｓ＿ｆａｒおよび眼鏡レンズの下側部分の予備ゆがみ指標ＰＡＩＲ＿ｄｉｓ＿ｎｅａｒのうち、より大きな値を、個別ゆがみ指標ＰＡＩＲ＿ｄｉｓとしている。
【０１２８】
なお、ゆがみに関する特性値の算出方法は、上記の方法に限定されず、日本国特許４３０１３９９号に記載の眼鏡レンズの性能評価方法や、日本国特開２０１２−１４１２２１号公報に記載の眼鏡用レンズの性能評価方法を用いてもよい。
【０１２９】
（視野の揺れについての個別特性指標の算出方法）
以下では、視野の揺れについての個別特性指標を説明する。揺れ特性値算出部３１４（図２）は、対象レンズの光学特性データに基づいて、眼鏡レンズを通して見た視野の揺れに関する特性値（以下、揺れ特性値と呼ぶ）を算出する。揺れ指標算出部３２４は、揺れ特性値から視野の揺れに関する個別特性指標（以下、個別揺れ指標と呼ぶ）を算出する。
【０１３０】
視野の揺れとは、装用者が首を左右に回転するなどしたときに、特に累進屈折力レンズの近用部等の視野の下方の部分で強く感じる違和感であり、累進屈折力レンズで特に重要な個別特性指標である。視野の揺れに関する個別特性指標は、収差特性の分布が異なる眼鏡レンズに掛け替えたときに感じる違和感の程度を表す。
【０１３１】
以下では、日常生活等の常用する場合において、眼鏡レンズＡと眼鏡レンズＢとを併用する場合の例を説明する。眼鏡レンズＡおよびＢは累進屈折力レンズであるものとして説明するが、単焦点レンズでも同様の方法で算出することが可能である。
【０１３２】
図２３は、揺れ特性値を算出する方法を説明するための概念図である。図２３には、累進屈折力レンズである眼鏡レンズＡを例に遠用基準点ＦＶ、アイポイントＥＰ、近用基準点ＮＶおよびこれらを通る主注視線Ｍが示されている。揺れ特性値算出部３１４は、眼鏡レンズＡおよびＢのそれぞれの近用参照点ＮＶを通る所定の長さＬｙの線分Ｌｎ上における加入度および収差に基づいて、揺れ特性値を算出する。以下の例では、線分Ｌｎは近用参照点ＮＶを中心とした長さＬｙ＝２０ｍｍの線分とし、左右方向に伸びているものとするが、視野の揺れに影響する位置に配置されていれば、特に限定されない。
【０１３３】
揺れ特性値算出部３１４は、線分Ｌｎ上における加入度の変動量および非点収差の変動量を定量する。揺れ特性値算出部３１４は、眼鏡レンズＡの線分Ｌｎ上における加入度の最大値と最小値との差ＰｏｗＰＰａおよび非点収差の最大値と最小値との差ＡｓｔＰＰａ、ならびに、眼鏡レンズＢの線分Ｌｎ上における加入度の最大値と最小値との差ＰｏｗＰＰｂおよび非点収差の最大値と最小値との差ＡｓｔＰＰｂに基づいて、以下の式（２１）により揺れ特性値Ｙｕｒｅを算出する。
Ｙｕｒｅ＝Ｓｑｒｔ（（（ＰｏｗＰＰａ−ＰｏｗＰＰｂ）＾２＋（ＡｓｔＰＰａ−ＡｓｔＰＰｂ）＾２）／２）
…式（２１）
【０１３４】
揺れ指標算出部３２４（図２）は、揺れ特性値Ｙｕｒｅの変化に対する装用感の変化に関するデータに基づいて、揺れ特性値Ｙｕｒｅから眼鏡レンズＡおよびＢを併用したときの個別揺れ指標ＰＡＩＲ＿ｙｕｒｅを算出する。
【０１３５】
図２４は、揺れ特性値Ｙｕｒｅの変化に対する装用感の変化に関するデータの一例をグラフにより示したものである。このデータでは、揺れ特性値Ｙｕｒｅの各値と個別揺れ指標ＰＡＩＲ＿ｙｕｒｅとを対応づける関数が数式や二次元の配列等により示されている。揺れ特性値Ｙｕｒｅの変化に対する装用感の変化に関するデータは、過去に取得された、視野の下側部分における加入度分布や非点収差分布等の装用感への影響を示すデータまたは理論等に基づいて、予め生成され記憶部２２０に記憶されている。
【０１３６】
図２４の例は、眼鏡レンズＡおよびＢの線分Ｌｎ上での揺れ特性値Ｙｕｒｅが一定以上となると違和感を感じはじめ、揺れ特性値Ｙｕｒｅが１以上になるとゆれによる違和感が許容できないほど強くなると仮定した場合のものである。
【０１３７】
従って、図２４の例では、眼鏡レンズＡおよびＢの線分Ｌｎ上での揺れ特性値Ｙｕｒｅの変化に対する装用感の変化に関するデータは、以下の式（２２）のように揺れ特性値Ｙｕｒｅの各値に個別揺れ指標ＰＡＩＲ＿ｙｕｒｅが対応づけられている。
Ｙｕｒｅ≦０．０５のときＰＡＩＲ＿ｙｕｒｅ＝０
Ｙｕｒｅ＝０．２５のときＰＡＩＲ＿ｙｕｒｅ＝０．５
Ｙｕｒｅ＝０．５のときＰＡＩＲ＿ｙｕｒｅ＝０．７５
Ｙｕｒｅ≧１のときＰＡＩＲ＿ｙｕｒｅ＝１
…式（２２）
ここで、０．０５＜Ｙｕｒｅ＜０．２５、０．２５＜Ｙｕｒｅ＜０．５、０．５＜Ｙｕｒｅ＜１の領域では、値が連続になるように直線により補間される。
なお、上記補間は直線の他、非線形の曲線によるものでもよい。
【０１３８】
（処方についての個別特性指標の算出方法）
ここまでは、眼鏡レンズの処方に関係しない基本設計の収差や、処方に関係する特性を除外した残存収差によっても算出することができる個別特性指標の算出方法について説明した。以下では、処方についての個別特性指標を説明する。処方特性値算出部３１５（図２）は、対象レンズの光学特性データに基づいて、眼鏡レンズの処方に関する特性値（以下、処方特性値と呼ぶ）を算出する。処方指標算出部３２５は、処方特性値から処方に関する個別特性指標（以下、個別処方指標と呼ぶ）を算出する。個別処方指標と、以下で個別処方指標を算出するために予備的に算出する指標とを総称して処方指標と呼ぶ。
【０１３９】
個別特性指標算出部３１０は、球面度数、円柱度数および／または乱視軸角度を含む眼鏡レンズの処方に基づいて、処方に関する個別特性指標を算出する。個別処方指標は、処方の異なる眼鏡レンズに掛け替えたときに感じる違和感等の装用感の違いを表す指標である。
【０１４０】
以下の例では、日常生活等の眼鏡レンズを常用する場合において、眼鏡レンズＡと眼鏡レンズＢとを併用する場合の例を説明する。個別処方指標を用いて、例えば、装用者が、現在装用中の眼鏡レンズＡを購入後に年月が経過して眼の完全矯正度数が変化しているときに、新しい眼鏡レンズＢを購入して眼鏡レンズＡおよびＢを併用する場合に感じる違和感の程度や、併用の適性度合等を表すこともできる。
【０１４１】
このように新しい眼鏡レンズを購入するときに眼の度数が現在装用中の眼鏡レンズの購入時から変化していた場合には、新しい眼鏡レンズの度数を完全矯正になる度数に合わせる場合があり得る。しかし、装用感の変化を避けるために敢えて完全矯正ではなく現在装用中の眼鏡レンズの度数に合わせたり、当該度数と完全矯正になる度数の中間等、現在装用中の眼鏡レンズの度数に基づいた度数にすることも好ましい。
【０１４２】
このように過去に購入した眼鏡レンズから新しい眼鏡レンズに掛け替えたときに感じる違和感は、複数の要因による違和感が混ざり合ったものである。第１に完全矯正からの矯正誤差の程度が変わることで見え具合が変わるために感じる違和感がある。第２に眼鏡レンズの倍率が変わることで視界の見かけの大きさや形状が変わるために感じる違和感がある。さらにこれらには処方のうちの等価球面度数の違いにより感じる違和感と乱視度数（円柱度数に対応）の違いにより感じる違和感とがある。この他にも、装用者が期待した見え方と異なることで感じる違和感もある。
【０１４３】
（完全矯正からの矯正誤差に基づく個別処方指標の算出方法）
以下では、完全矯正からの矯正誤差が変化することで生じる装用感の違いを示す指標（以下、予備矯正誤差処方指標と呼ぶ）を算出する方法を説明する。説明をわかりやすくするために、完全矯正度数が弱度から中程度の度数であり、完全矯正にしても老視に起因すること以外には特段の問題が生じないことを前提とする。
【０１４４】
一般に、装用者の眼に対し完全矯正となる度数の球面度数Ｓｐ、円柱度数Ｃｐおよび乱視軸角度Ｘｐと、眼鏡レンズの球面度数Ｓｌ、円柱度数Ｃｌおよび乱視軸角度Ｘｌとから、この眼鏡レンズでの矯正誤差の球面度数Ｓｒ、円柱度数Ｃｒおよび乱視軸角度Ｘｒを以下の式（２３）により求めることができる。
Ｓｒ＝Ｓｐ−Ｓｌ＋（Ｃｐ−Ｃｌ−Ｃｒ）／２
Ｃｒ＝（ｋｘ２＋ｋｙ２ ）０．５ 
Ｘｒ＝ｔａｎ−１（ｋｙ／ｋｘ）／２
…式（２３）
ここで、ｋｘおよびｋｙは以下の式（２４）により表される。
ｋｘ＝Ｃｐ＊ｃｏｓ（２＊Ｘｐ）−Ｃｌ＊ｃｏｓ（２＊Ｘｌ）
ｋｙ＝Ｃｐ＊ｓｉｎ（２＊Ｘｐ）−Ｃｌ＊ｓｉｎ（２＊Ｘｌ）
…式（２４）
矯正誤差の等価球面度数ＳＥｒは、以下の式（２５）により表される。
ＳＥｒ＝Ｓｒ＋Ｃｒ／２  …式（２５）
【０１４５】
処方特性値算出部３１５は、上記式（２３）〜（２５）により、装用者の眼に対し完全矯正となる度数の球面度数Ｓｐ、円柱度数Ｃｐおよび乱視軸角度Ｘｐと、眼鏡レンズＡの球面度数Ｓｌａ、円柱度数Ｃｌａおよび乱視軸角度Ｘｌａとから、眼鏡レンズＡでの矯正誤差の球面度数Ｓｒａ、円柱度数Ｃｒａ、乱視軸角度Ｘｒａおよび等価球面度数ＳＥｒａを算出する。同様に、処方特性値算出部３１５は、装用者の眼に対し完全矯正となる度数の球面度数Ｓｐ、円柱度数Ｃｐおよび乱視軸角度Ｘｐと、眼鏡レンズＢの球面度数Ｓｌｂ、円柱度数Ｃｌｂおよび乱視軸角度Ｘｌｂとから、眼鏡レンズＢでの矯正誤差の球面度数Ｓｒｂ、円柱度数Ｃｒｂ、乱視軸角度Ｘｒｂおよび等価球面度数ＳＥｒｂを算出する。
【０１４６】
以下では、装用者が無限遠方での完全矯正を前提に眼鏡レンズＡおよびＢを装用する場合について指標を算出する。処方特性値算出部３１５は、球面度数についての矯正誤差処方特性値ＳｒＭａｘを、眼鏡レンズＡの矯正誤差の球面度数Ｓｒａおよび眼鏡レンズＢの矯正誤差の球面度数Ｓｒｂのうち大きい方の値をとり、以下の式（２６）に基づいて算出する。ただし、ここでの矯正誤差の球面度数は絶対値をとるものとする。
ＳｒＭａｘ＝Ｍａｘ（Ｓｒａ，Ｓｒｂ）  …式（２６）
【０１４７】
処方指標算出部３２５（図２）は、球面度数についての矯正誤差処方特性値ＳｒＭａｘの変化に対する装用感の変化に関するデータに基づいて、球面度数についての矯正誤差処方特性値ＳｒＭａｘから球面度数についての予備矯正誤差処方指標ＰＡＩＲ＿ｐｒｅｓｃ＿ｐ＿ｓを算出する。
【０１４８】
図２５は、球面度数についての矯正誤差処方特性値ＳｒＭａｘの変化に対する装用感の変化に関するデータの一例をグラフにより示したものである。このデータでは、球面度数についての矯正誤差処方特性値ＳｒＭａｘの各値と予備矯正誤差処方指標ＰＡＩＲ＿ｐｒｅｓｃ＿ｐ＿ｓとを対応づける関数が数式や二次元の配列等により示されている。球面度数についての矯正誤差処方特性値ＳｒＭａｘに対する装用感の変化に関するデータは、過去に取得された、球面度数についての矯正誤差の装用感への影響を示すデータまたは理論等に基づいて、予め生成され記憶部２２０に記憶されている。
【０１４９】
以下の例では、眼鏡レンズＡおよびＢがどちらも完全矯正になっているときに、球面度数についての予備矯正誤差処方指標ＰＡＩＲ＿ｐｒｅｓｃ＿ｐ＿ｓは０となり最も評価が良いとする。そうでなければ例え片方が完全矯正であってもＰＡＩＲ＿ｐｒｅｓｃ＿ｐ＿ｓは０より大きな値となり、眼鏡レンズＡおよびＢが全く同じ処方であっても完全矯正でなければＰＡＩＲ＿ｐｒｅｓｃ＿ｐ＿ｓは０より大きな値となる。これは、眼鏡レンズＡとＢの両方が完全矯正となる度数であることが、眼鏡レンズ製造者が最も推奨する状態であることを意味する。
【０１５０】
図２５の例は、球面度数についての矯正誤差処方特性値ＳｒＭａｘは、０Ｄであれば違和感がないので最も望ましく、０．２５Ｄまでであれば違和感はあっても小さいのでほとんど問題ないが、０．５Ｄを超えると遠方を見たときに明確に違和感があり、１Ｄを超えるともはや遠方は明視できないと仮定した場合のものである。
【０１５１】
従って、図２５の例では、球面度数についての矯正誤差処方特性値ＳｒＭａｘの変化に対する装用感の変化に関するデータは、以下の式（２７）のようにＳｒＭａｘの各値に球面度数についての予備矯正誤差処方指標ＰＡＩＲ＿ｐｒｅｓｃ＿ｐ＿ｓが対応づけられている。
ＳｒＭａｘ＝０ＤのときＰＡＩＲ＿ｐｒｅｓｃ＿ｐ＿ｓ＝０
ＳｒＭａｘ＝０．２５ＤのときＰＡＩＲ＿ｐｒｅｓｃ＿ｐ＿ｓ＝０．２５
ＳｒＭａｘ＝０．５ＤのときＰＡＩＲ＿ｐｒｅｓｃ＿ｐ＿ｓ＝０．７５
ＳｒＭａｘ≧１ＤのときＰＡＩＲ＿ｐｒｅｓｃ＿ｐ＿ｓ＝１
…式（２７）
ここで、０＜ＳｒＭａｘ＜０．２５、０．２５＜ＳｒＭａｘ＜０．５、０．５＜ＳｒＭａｘ＜１の領域では、値が連続になるように直線により補間される。
なお、上記補間は直線の他、非線形の曲線によるものでもよい。
【０１５２】
処方特性値算出部３１５は、円柱度数についての矯正誤差処方特性値ＣｒＭａｘを、眼鏡レンズＡの矯正誤差の円柱度数Ｃｒａおよび眼鏡レンズＢの矯正誤差の円柱度数Ｃｒｂのうち大きい方の値をとり、以下の式（２８）に基づいて算出する。ただし、ここでの矯正誤差の円柱度数は絶対値をとるものとする。
ＣｒＭａｘ＝Ｍａｘ（Ｃｒａ，Ｃｒｂ）  …式（２８）
【０１５３】
処方指標算出部３２５（図２）は、円柱度数についての矯正誤差処方特性値ＣｒＭａｘの変化に対する装用感の変化に関するデータに基づいて、円柱度数についての矯正誤差処方特性値ＣｒＭａｘから円柱度数についての予備矯正誤差処方指標ＰＡＩＲ＿ｐｒｅｓｃ＿ｐ＿ｃを算出する。
【０１５４】
図２６は、円柱度数についての矯正誤差処方特性値ＣｒＭａｘの変化に対する装用感の変化に関するデータの一例をグラフにより示したものである。このデータでは、円柱度数についての矯正誤差処方特性値ＣｒＭａｘの各値と予備矯正誤差処方指標ＰＡＩＲ＿ｐｒｅｓｃ＿ｐ＿ｃとを対応づける関数が数式や二次元の配列等により示されている。円柱度数についての矯正誤差処方特性値ＣｒＭａｘに対する装用感の変化に関するデータは、過去に取得された、円柱度数についての矯正誤差の装用感への影響を示すデータまたは理論等に基づいて、予め生成され記憶部２２０に記憶されている。
【０１５５】
以下の例では、眼鏡レンズＡおよびＢがどちらも完全矯正になっているときに、円柱度数についての予備矯正誤差処方指標ＰＡＩＲ＿ｐｒｅｓｃ＿ｐ＿ｃは０となり最も評価が良いとする。そうでなければ例え片方が完全矯正であってもＰＡＩＲ＿ｐｒｅｓｃ＿ｐ＿ｃは０より大きな値となり、眼鏡レンズＡおよびＢが全く同じ処方であっても完全矯正でなければＰＡＩＲ＿ｐｒｅｓｃ＿ｐ＿ｃは０より大きな値となる。
【０１５６】
図２６の例は、円柱度数についての矯正誤差処方特性値ＣｒＭａｘは、０Ｄであれば違和感がないので最も望ましく、０．１２５Ｄまでであれば違和感はほとんどなく、０．２５Ｄ程度でも違和感は比較的に小さいが、０．５Ｄでは細かい物が二重に見えるなど許容できないほど違和感が大きくなると仮定した場合のものである。
【０１５７】
従って、図２６の例では、円柱度数についての矯正誤差処方特性値ＣｒＭａｘの変化に対する装用感の変化に関するデータは、以下の式（２９）のようにＣｒＭａｘの各値に円柱度数についての予備矯正誤差処方指標ＰＡＩＲ＿ｐｒｅｓｃ＿ｐ＿ｃが対応づけられている。
ＣｒＭａｘ＝０ＤのときＰＡＩＲ＿ｐｒｅｓｃ＿ｐ＿ｓ＝０
ＣｒＭａｘ＝０．１２５ＤのときＰＡＩＲ＿ｐｒｅｓｃ＿ｐ＿ｓ＝０．２５
ＣｒＭａｘ＝０．２５ＤのときＰＡＩＲ＿ｐｒｅｓｃ＿ｐ＿ｓ＝０．５
ＣｒＭａｘ≧０．５ＤのときＰＡＩＲ＿ｐｒｅｓｃ＿ｐ＿ｓ＝１
…式（２９）
ここで、０＜ＣｒＭａｘ＜０．１２５、０．１２５＜ＣｒＭａｘ＜０．２５、０．２５＜ＣｒＭａｘ＜０．５、０．５＜ＣｒＭａｘ＜１の領域では、値が連続になるように直線により補間される。
なお、上記補間は直線の他、非線形の曲線によるものでもよい。
【０１５８】
処方特性値算出部３１５は、過矯正についての矯正誤差処方特性値ＳＥｒＭａｘを、眼鏡レンズＡの矯正誤差の等価球面度数ＳＥｒａおよび眼鏡レンズＢの矯正誤差の等価球面度数ＳＥｒｂのうち大きい方の値をとり、以下の式（３０）に基づいて算出する。ただし、ここで矯正誤差の等価球面度数は絶対値をとるものとし、ここで過矯正とは、矯正により遠点が無限遠方より遠くなりすぎて遠視気味になることを意味する。よって矯正により遠点が無限遠方より近くて近視気味になる場合は過矯正ではないので、矯正誤差の等価球面度数を０とする。
ＳＥｒＭａｘ＝Ｍａｘ（ＳＥｒａ，ＳＥｒｂ）  …式（３０）
【０１５９】
処方指標算出部３２５（図２）は、過矯正についての矯正誤差処方特性値ＳＥＭａｘの変化に対する装用感の変化に関するデータに基づいて、過矯正についての矯正誤差処方特性値ＳＥｒＭａｘから過矯正についての予備矯正誤差処方指標ＰＡＩＲ＿ｐｒｅｓｃ＿ｐ＿ｏｖｅｒを算出する。
【０１６０】
図２７は、過矯正についての矯正誤差処方特性値ＳＥｒＭａｘの変化に対する装用感の変化に関するデータの一例をグラフにより示したものである。このデータでは、過矯正についての矯正誤差処方特性値ＳＥｒＭａｘの各値と過矯正についての予備矯正誤差処方指標ＰＡＩＲ＿ｐｒｅｓｃ＿ｐ＿ｏｖｅｒとを対応づける関数が数式や二次元の配列等により示されている。過矯正についての矯正誤差処方特性値ＳＥｒＭａｘに対する装用感の変化に関するデータは、過去に取得された、過矯正についての装用感への影響を示すデータまたは理論等に基づいて、予め生成され記憶部２２０に記憶されている。
【０１６１】
以下の例では、眼鏡レンズＡおよびＢがどちらも完全矯正になっているときに、過矯正についての予備矯正誤差処方指標ＰＡＩＲ＿ｐｒｅｓｃ＿ｐ＿ｏｖｅｒは０となり最も評価が良いとする。そうでなければ例え片方が完全矯正であってもＰＡＩＲ＿ｐｒｅｓｃ＿ｐ＿ｏｖｅｒは０より大きな値となり、眼鏡レンズＡおよびＢが全く同じ処方であっても完全矯正でなければＰＡＩＲ＿ｐｒｅｓｃ＿ｐ＿ｏｖｅｒは０より大きな値となる。
【０１６２】
図２７の例は、特に近視眼の矯正等を考慮し、矯正度数が完全矯正を超えてしまう過矯正は０．２５Ｄでも好ましくないと仮定した場合のものである。
【０１６３】
従って、図２７の例では、過矯正についての矯正誤差処方特性値ＳＥｒＭａｘの変化に対する装用感の変化に関するデータは、以下の式（３１）のようにＳＥｒＭａｘの各値に過矯正についての予備矯正誤差処方指標ＰＡＩＲ＿ｐｒｅｓｃ＿ｐ＿ｏｖｅｒが対応づけられている。
ＳＥｒＭａｘ＝０ＤならＰＡＩＲ＿ｐｒｅｓｃ＿ｐ＿ｏｖｅｒ＝０
ＳＥｒＭａｘ≧０．２５ＤならＰＡＩＲ＿ｐｒｅｓｃ＿ｐ＿ｏｖｅｒ＝１
…式（３１）
ここで、０＜ＳＥｒＭａｘ＜０．２５の領域では、値が連続になるように直線により補間される。
なお、上記補間は直線の他、非線形の曲線によるものでもよい。
【０１６４】
処方指標算出部３２５は、算出された球面度数についての予備矯正誤差処方指標ＰＡＩＲ＿ｐｒｅｓｃ＿ｐ＿ｓと、円柱度数についての予備矯正誤差処方指標ＰＡＩＲ＿ｐｒｅｓｃ＿ｐ＿ｃと、過矯正についての予備矯正誤差処方指標ＰＡＩＲ＿ｐｒｅｓｃ＿ｐ＿ｏｖｅｒに基づいて、これらの指標を統合した予備矯正誤差処方指標ＰＡＩＲ＿ｐｒｅｓｃ＿ｐを算出する。予備矯正誤差処方指標ＰＡＩＲ＿ｐｒｅｓｃ＿ｐは、以下の式（３２）により算出される。
ＰＡＩＲ＿ｐｒｅｓｃ＿ｐ＝Ｍａｘ（ＰＡＩＲ＿ｐｒｅｓｃ＿ｐ＿ｓ，ＰＡＩＲ＿ｐｒｅｓｃ＿ｐ＿ｃ，ＰＡＩＲ＿ｐｒｅｓｃ＿ｐ＿ｏｖｅｒ）
…（３２）
これらの予備矯正誤差処方指標は、一つでも推奨することのできないものがあると全体としても推奨することができないため、球面度数、円柱度数および過矯正のそれぞれについての予備矯正誤差処方指標ＰＡＩＲ＿ｐｒｅｓｃ＿ｐ＿ｓ、ＰＡＩＲ＿ｐｒｅｓｃ＿ｐ＿ｃおよびＰＡＩＲ＿ｐｒｅｓｃ＿ｐ＿ｏｖｅｒのうち、最も大きな値を、予備矯正誤差処方指標ＰＡＩＲ＿ｐｒｅｓｃ＿ｐとしている。
【０１６５】
（眼鏡レンズの倍率の変化に基づく処方指標の算出方法）
以下では、眼鏡レンズの倍率が変化することで生じる処方に関する装用感の違いを示す指標（以下、予備眼鏡倍率処方指標と呼ぶ）を算出する方法を説明する。
【０１６６】
処方特性値算出部３１５は、眼鏡レンズＡの球面度数Ｓａ、円柱度数Ｃａおよび乱視軸角度Ｘａと、眼鏡レンズＢの球面度数Ｓｂ、円柱度数Ｃｂおよび乱視軸角度Ｘｂとに基づいて、以下の式（３３）により、眼鏡レンズＢに対する眼鏡レンズＡでの矯正度数の差の球面度数Ｓｄ、円柱度数Ｃｄおよび乱視軸角度Ｘｄを算出する。
Ｓｄ＝Ｓａ−Ｓｂ＋（Ｃａ−Ｃｂ−Ｃｄ）／２
Ｃｄ＝（ｋｘ２＋ｋｙ２ ）０．５ 
Ｘｄ＝ｔａｎ−１（ｋｙ／ｋｘ）／２
…式（３３）
ここで、ｋｘおよびｋｙは以下の式（３４）により表される。
ｋｘ＝Ｃａ＊ｃｏｓ（２＊Ｘａ）−Ｃｂ＊ｃｏｓ（２＊Ｘｂ）
ｋｙ＝Ｃａ＊ｓｉｎ（２＊Ｘａ）−Ｃｂ＊ｓｉｎ（２＊Ｘｂ）
…式（３４）
矯正度数の差の等価球面度数ＳＥｄは、以下の式（３５）により表される。
ＳＥｄ＝Ｓｄ＋Ｃｄ／２  …式（３５）
【０１６７】
処方特性値算出部３１５は、処方に基づく眼鏡レンズの倍率の変化に関する特性値（以下、眼鏡倍率処方特性値｜Ｃｄ｜と呼ぶ）として、眼鏡レンズＢに対する眼鏡レンズＡでの矯正度数の差の円柱度数Ｃｄの絶対値を算出する。
【０１６８】
処方指標算出部３２５（図２）は、眼鏡倍率処方特性値｜Ｃｄ｜の変化に対する装用感の変化に関するデータに基づいて、眼鏡倍率処方特性値｜Ｃｄ｜から予備眼鏡倍率処方指標ＰＡＩＲ＿ｐｒｅｓｃ＿ｄ＿ｃを算出する。
【０１６９】
図２８は、眼鏡倍率処方特性値｜Ｃｄ｜の変化に対する装用感の変化に関するデータの一例をグラフにより示したものである。このデータでは、眼鏡倍率処方特性値｜Ｃｄ｜の各値と予備眼鏡倍率処方指標ＰＡＩＲ＿ｐｒｅｓｃ＿ｄ＿ｃとを対応づける関数が数式や二次元の配列等により示されている。眼鏡倍率処方特性値｜Ｃｄ｜の変化に対する装用感の変化に関するデータは、過去に取得された、眼鏡倍率の変化による視野の変化についての装用感への影響を示すデータまたは理論等に基づいて、予め生成され記憶部２２０に記憶されている。
【０１７０】
眼鏡レンズＡから眼鏡レンズＢに掛け替えたときに、Ｃｄが０Ｄでないと眼鏡レンズ越しの視界の見かけの形が変形し、違和感を生じる。予備眼鏡倍率処方指標ＰＡＩＲ＿ｐｒｅｓｃ＿ｄ＿ｃは、眼鏡倍率処方特性値｜Ｃｄ｜が大きいほど大きな値となる。図２８の例では、眼鏡倍率処方特性値｜Ｃｄ｜が０Ｄなら最も望ましく、０．５Ｄまでなら違和感は小さいが、１Ｄなら違和感が強く好ましくないと仮定した場合のものである。
【０１７１】
従って、図２７の例では、眼鏡倍率処方特性値｜Ｃｄ｜の変化に対する装用感の変化に関するデータは、以下の式（３６）のように｜Ｃｄ｜の各値に過矯正についての予備眼鏡倍率処方指標ＰＡＩＲ＿ｐｒｅｓｃ＿ｄ＿ｃが対応づけられている。
｜Ｃｄ｜＝０ＤならＰＡＩＲ＿ｐｒｅｓｃ＿ｄ＿ｃ＝０
｜Ｃｄ｜＝０．５ＤならＰＡＩＲ＿ｐｒｅｓｃ＿ｄ＿ｃ＝０．５
｜Ｃｄ｜≧１ＤならＰＡＩＲ＿ｐｒｅｓｃ＿ｄ＿ｃ＝１
…式（３６）
ここで、０＜｜Ｃｄ｜＜０．５、０．５＜｜Ｃｄ｜＜１の領域では、値が連続になるように直線により補間される。
なお、上記補間は直線の他、非線形の曲線によるものでもよい。
【０１７２】
処方指標算出部３２５は、算出された予備矯正誤差処方指標ＰＡＩＲ＿ｐｒｅｓｃ＿ｐと、予備眼鏡倍率処方指標ＰＡＩＲ＿ｐｒｅｓｃ＿ｄ＿ｃとに基づいて、これらの指標を統合した個別処方指標ＰＡＩＲ＿ｐｒｅｓｃを算出する。個別処方指標ＰＡＩＲ＿ｐｒｅｓｃは、以下の式（３７）により算出される。
ＰＡＩＲ＿ｐｒｅｓｃ＝Ｍａｘ（ＰＡＩＲ＿ｐｒｅｓｃ＿ｐ，ＰＡＩＲ＿ｐｒｅｓｃ＿ｄ＿ｃ）
…（３７）
これらの処方指標は、一つでも推奨することのできないものがあると全体としても推奨することができないため、予備矯正誤差処方指標ＰＡＩＲ＿ｐｒｅｓｃ＿ｐと、予備眼鏡倍率処方指標ＰＡＩＲ＿ｐｒｅｓｃ＿ｄ＿ｃのうち、最も大きな値を、個別処方指標ＰＡＩＲ＿ｐｒｅｓｃとしている。
【０１７３】
なお、処方特性値算出部３１５は、眼鏡レンズＢに対する眼鏡レンズＡでの矯正度数の差の球面度数Ｓｄを、球面度数についての眼鏡倍率処方特性値としてもよい。この場合、処方指標算出部３２５は、球面度数についての眼鏡倍率処方特性値Ｓｄの変化に対する装用感の変化に関するデータに基づいて、球面度数についての眼鏡倍率処方特性値Ｓｄから球面度数についての予備眼鏡倍率処方指標ＰＡＩＲ＿ｐｒｅｓｃ＿ｄ＿ｓを算出することができる。処方指標算出部３２５は、予備眼鏡倍率処方指標ＰＡＩＲ＿ｐｒｅｓｃ＿ｄとして、球面度数についての予備眼鏡倍率処方指標ＰＡＩＲ＿ｐｒｅｓｃ＿ｄ＿ｓと、円柱度数についての予備眼鏡倍率処方指標ＰＡＩＲ＿ｐｒｅｓｃ＿ｄ＿ｃのうち大きい方の値を以下の式（３８）により算出することができる。
ＰＡＩＲ＿ｐｒｅｓｃ＿ｄ＝Ｍａｘ（ＰＡＩＲ＿ｐｒｅｓｃ＿ｄ＿ｓ，ＰＡＩＲ＿ｐｒｅｓｃ＿ｄ＿ｃ）
…式（３８）
さらに、処方指標算出部３２５は、算出された予備矯正誤差処方指標ＰＡＩＲ＿ｐｒｅｓｃ＿ｐと、予備眼鏡倍率処方指標ＰＡＩＲ＿ｐｒｅｓｃ＿ｄとに基づいて、これらの指標を統合した個別処方指標ＰＡＩＲ＿ｐｒｅｓｃを算出することができる。個別処方指標ＰＡＩＲ＿ｐｒｅｓｃは、以下の式（３９）により算出される。
ＰＡＩＲ＿ｐｒｅｓｃ＝Ｍａｘ（ＰＡＩＲ＿ｐｒｅｓｃ＿ｐ，ＰＡＩＲ＿ｐｒｅｓｃ＿ｄ）
…式（３９）
【０１７４】
なお、上記の個別特性指標ごとの算出方法は、使用目的ごとに、複数の眼鏡レンズの間の光学特性が類似するほど０に近づく（類似しないほど１に近づく）場合と、類似するほど１に近づく（類似しないほど０に近づく）場合を示したが、個別特性指標の算出方法はこれに限らない。たとえば、複数の眼鏡レンズの間の光学特性のうち、類似させたい光学特性と異ならせたい光学特性を装用感情報として装用者等が任意に指定する場合、類似させたい光学特性に対応する個別特性指標は、光学特性が類似するほど０に近づく（類似しないほど１に近づく）ように算出方法を変更してもよい。さらに、異ならせたい光学特性に対応する個別特性指標は、光学特性が類似するほど１に近づく（類似しないほど０に近づく）ように算出方法を変更してもよい。この際、上記で説明した算出方法とは光学特性の類似性と指標の大小関係が反対になる場合は、０から１の範囲を反転して指標が算出されるようにすればよい。または、特性値から指標を算出する過程を、予め個別特性指標算出部３１０に使用目的ごとや光学特性の類似性と指標の大小関係ごとに設定されていた複数の装用感の変化に関するデータから、適宜選択して対応づけを変更してもよい。このように個別特性指標を算出することで、装用者等が指定した装用感と、個別特性指標の「推奨」、「非推奨」の値が統一的に対応付けられるので、装用者等が容易に評価結果を認識することができる。
【０１７５】
（統合特性指標の算出方法）
統合特性指標算出部３３０（図２）は、上述した、個別加入度指標ＰＡＩＲ＿ａｄｄ、個別明視域指標ＰＡＩＲ＿ｒａｎｇｅ、個別ゆがみ指標ＰＡＩＲ＿ｄｉｓ、個別揺れ指標ＰＡＩＲ＿ｙｕｒｅおよび個別処方指標ＰＡＩＲ＿ｐｒｅｓｃを含む個別特性指標に基づいて、これらの指標を統合した統合特性指標ＰＡＩＲを算出する。このように、本実施形態では、複数の対象レンズにおける光学特性がどの程度類似しているかまたはどの程度異なっているかに基づいて、複数の対象レンズの間の装用感の違いを示す指標（個別特性指標、個別特性指標を算出する際に用いた予備特性指標、および統合特性指標）が算出され、これらの値により、評価対象レンズが評価される。
【０１７６】
統合特性指標算出部３３０は、一つの光学特性でも許容できないものがあると好ましくないことから、算出された複数の光学特性に対応する個別特性指標のうち、以下の式（４０）により、最も大きな値を、統合特性指標ＰＡＩＲの値とする。
ＰＡＩＲ＝Ｍａｘ（ＰＡＩＲ＿ａｄｄ，ＰＡＩＲ＿ｒａｎｇｅ，ＰＡＩＲ＿ｄｉｓ，ＰＡＩＲ＿ｙｕｒｅ，ＰＡＩＲ＿ｐｒｅｓｃ）
…（４０）
または、統合特性指標ＰＡＩＲの値は、個別加入度指標ＰＡＩＲ＿ａｄｄ、個別明視域指標ＰＡＩＲ＿ｒａｎｇｅ、個別ゆがみ指標ＰＡＩＲ＿ｄｉｓ、個別揺れ指標ＰＡＩＲ＿ｙｕｒｅおよび個別処方指標ＰＡＩＲ＿ｐｒｅｓｃからなる群から、ユーザにより選択される少なくとも一つの個別特性指標のうちの最大値とすることができる。
【０１７７】
なお、算出された個別特性指標から統合特性指標ＰＡＩＲを算出する方法は、上記に限る必要はない。例えば、基本設計を最小二乗法で最適化設計する場合などにおいて、それぞれの個別特性指標に大きなばらつきが出ることの無いことが好まれる場合などは、算出された個別特性指標の二乗の算術平均の平方根をとって統合特性指標ＰＡＩＲを算出することが望ましいし、更にそのときに特に優先的に良好にしたい特性がある場合には、該当する個別特性指標に重みつけして算出するようにすることで、その特性を優先的に最適化することもできる。または、単純に算出された個別特性指標の算術平均の平方根をとって統合特性指標ＰＡＩＲを算出してもよい。または、個別特性指標のうち、一部はそれを算出するために予備的に算出した指標を用いて統合特性指標ＰＡＩＲを算出してもよい。
更に、これらの算出方法は、通常は評価の前に予め決められるが、想定外の眼鏡レンズの使い方を装用者が望んだ場合や、後述する変形例のように新しい特性の眼鏡レンズの基本設計を開発する場合などの場合は、統合特性指標を算出する時点で、ユーザである装用者や眼鏡販売店の販売員等や設計者に、任意に試行錯誤的に決定させてもよい。
さらに、ここまでは少なくとも１つの評価対象レンズに対する対象レンズの数が２つまでの場合について説明したが、対象レンズの数が３つ以上の場合は、評価対象レンズに対する全ての対象レンズについて、それぞれ一つの対象レンズ毎に個別特性指標を算出し、全ての対象レンズの個別特性指標ごとに統合した個別特性指標を求め、それを評価対象レンズの個別特性指標とすればよい。ここで全対象レンズの個別特性指標の値から統合した個別特性指標を算出するには、望ましくは全ての最大値を用いるが、算術平均などを用いて算出してもよい。
【０１７８】
（眼鏡レンズの評価の表示方法）
画像作成部２１２（図１）は、統合特性指標および／または個別特性指標の値に基づいて、評価対象レンズの評価を示す画像を作成する。
【０１７９】
図２９は、統合特性指標による評価対象レンズの評価を示す画像の一例を示す図である。統合特性指標は、０以上１以下の値を取り、値が大きい程、装用者にとって許容できないまたは好ましくない評価対象レンズであることを示す。図２９は、統合特性指標を値の大きさにより区別して表示するようにした場合の表示画像Ｄｉ１を示している。表示画像Ｄｉ１は画像作成部２１２により作成される。統合特性指標を用いた評価は、装用者や販売員等誰に対して表示してもよい。しかし、統合特性指標を用いると一つの値による評価を行うことができわかりやすいため、眼鏡レンズの光学特性に関する専門的な知識のない装用者、特に眼鏡店への来店者等に向けた表示画像とすることが好ましい。
【０１８０】
表示画像Ｄｉ１では、統合特性指標の値を複数の数値範囲に区切り、各数値範囲ごとに特定の明度、彩度、色相および／またはハッチングの種類等を異ならせることで区別して表示することができる。また、表示画像Ｄｉ１では、統合特性指標の値を１次元の線上の位置により区別して表示することができる。
【０１８１】
表示画像Ｄｉ１の例では、統合特性指標の値を各矩形部ｂ１〜ｂ５毎に０〜０．２（ｂ１）、０．２〜０．４（ｂ２）、０．４〜０．６（ｂ３）、０．６〜０．８（ｂ４）および０．８〜１．０（ｂ５）の５つの数値範囲にわけ、それぞれ異なる種類のハッチングで示している。統合特性指標の数値は、図中縦方向の位置により区別されて表示され、矢印Ａ１により、評価対象レンズの統合特性指標の値が示されている。表示画像Ｄｉ１では、統合特性指標が０で最も好ましい評価がされる場合には「推奨」、統合特性指標が０．５で標準的な評価がされる場合には「標準」、統合特性指標が１で最も好ましくない評価がされる場合には「非推奨」の、眼鏡レンズ製造業者の推奨度合を示す文字が対応する位置に示されている。これらの文字と並んで、統合特性指標の値が示されている。表示画像Ｄｉ１の下部には、複数の眼鏡レンズの間の装用感の違いを示していることを表すため、眼鏡レンズの光学特性に関する専門的な知識のない装用者等にもわかりやすいような名称（「ペアリング指数」）が付されている。
【０１８２】
図３０は、個別特性指標による評価対象レンズの評価を示す画像の一例を示す図である。表示画像Ｄｉ２は、画像作成部２１２により、個別加入度指標ＰＡＩＲ＿ａｄｄ、個別明視域指標ＰＡＩＲ＿ｒａｎｇｅ、個別ゆがみ指標ＰＡＩＲ＿ｄｉｓおよび個別処方指標ＰＡＩＲ＿ｐｒｅｓｃに基づいて作成されたものである。表示画像Ｄｉ２は、個別特性指標ごとに評価を表示する。
【０１８３】
表示画像Ｄｉ２は、加入度特性評価軸Ａｘａ、明視域の広さ評価軸Ａｘｗ、ゆがみ特性評価軸Ａｘｄおよび処方特性評価軸Ａｘｐを含む。各評価軸Ａｘａ，Ａｘｗ，Ａｘｄ，Ａｘｐは、原点Ｖｏが１の値に対応し、それぞれ正方形Ｖ１との交点が０．５の値に対応し、正方形Ｖ２との接点が０の値に対応する。評価対象レンズの個別加入度指標ＰＡＩＲ＿ａｄｄは、加入度特性評価軸Ａｘａ上のマークＰａにより示されている。評価対象レンズの個別明視域指標ＰＡＩＲ＿ｒａｎｇｅは、明視域の広さ評価軸Ａｘｗ上のマークＰｗにより示されている。評価対象レンズの個別ゆがみ指標ＰＡＩＲ＿ｄｉｓは、ゆがみ特性評価軸Ａｘｄ上のマークＰｄにより示されている。評価対象レンズの個別処方指標ＰＡＩＲ＿ｐｒｅｓｃは、処方特性評価軸Ａｘｐ上のマークＰｐにより示されている。
【０１８４】
マークＰａ、Ｐｄ、ＰｐおよびＰｗは、評価線Ｌｅにより結ばれている。表示画像Ｄｉ２を見た販売員または装用者等は、評価線Ｌｅを見ることにより、視覚的に個別特性指標のそれぞれの値を捉えることができ、評価対象レンズの評価を容易に理解することができる。
【０１８５】
図３１は、個別特性指標による評価対象レンズの評価を示す画像の他の例を示す図である。表示画像Ｄｉ３は、画像作成部２１２により、個別加入度指標ＰＡＩＲ＿ａｄｄ、個別明視域指標ＰＡＩＲ＿ｒａｎｇｅ、個別ゆがみ指標ＰＡＩＲ＿ｄｉｓ、個別揺れ指標ＰＡＩＲ＿ｙｕｒｅおよび個別処方指標ＰＡＩＲ＿ｐｒｅｓｃに基づいて作成されたものである。表示画像Ｄｉ３において、表示画像Ｄｉ２と同一の内容を表す部分については同一の符号で参照し、適宜説明を省略する。
【０１８６】
表示画像Ｄｉ３は、加入度特性評価軸Ａｘａ、明視域の広さ評価軸Ａｘｗ、ゆがみ特性評価軸Ａｘｄ、揺れ特性評価軸Ａｘｙおよび処方特性評価軸Ａｘｐを含む。表示画像Ｄｉ２と比較して揺れ特性評価軸Ａｘｙが加わっており、評価対象レンズの個別揺れ指標ＰＡＩＲ＿ｙｕｒｅは、揺れ特性評価軸Ａｘｙ上のマークＰｙにより示されている。表示画像Ｄｉ３では、個別特性指標が０で最も好ましい評価がされる場合には「推奨」、個別特性指標が０．５で標準的な評価がされる場合には「標準」、個別特性指標が１で最も好ましくない評価がされる場合には「非推奨」の、眼鏡レンズ製造業者の推奨度合を示す文字が対応する位置に示されている。これらの文字と並んで、個別特性指標の値が示されている。
なお、複数の眼鏡レンズを併用する場合の評価では、個別特性指標や統合特性指標は、複数の眼鏡レンズを併用することの適正度合、つまりその複数の眼鏡レンズの組み合わせで併用することを眼鏡レンズ製造業者が推奨する度合を示す情報でもある。
【０１８７】
マークＰａ、Ｐｙ、Ｐｄ、ＰｐおよびＰｗは、評価線Ｌｅにより結ばれている。表示画像Ｄｉ３を見た販売員または装用者等は、評価線Ｌｅを見ることにより、視覚的に個別特性指標のそれぞれの値を捉えることができ、評価対象レンズの評価を容易に理解することができる。個別特性指標を用いた評価は、装用者や販売員等誰に対して表示してもよい。しかし、各個別特性指標に対応する光学特性を理解している人間、特に眼鏡レンズの販売員等に向けた表示画像とすることが好ましい。
なお、評価対象レンズの評価を表示する方法は、個別特性指標や統合特性指標を利用するもので有れば特に限定されず、例えば上述の表示画像の例にさらに評価条件や装用者の眼や眼鏡レンズについてのデータ等を加えて適宜表示することができる。
【０１８８】
表示制御部２１３（図１）は、画像作成部２１２が作成した評価対象レンズの評価に関する画像を表示部２５０の表示装置に表示させる。
【０１８９】
眼鏡レンズの設計に係る眼鏡レンズ受発注システムについて説明する。本実施形態に係る眼鏡レンズ受発注システムは、評価対象レンズの評価により、装用者の装用感の違いに基づいて適切に選択された眼鏡レンズを提供することができる。以下では、販売店側に評価装置２００が配置されている例を示すが、個別特性指標および／または統合特性指標を用いた眼鏡レンズの評価を装用者および／または販売員等に向けて示すものであれば、眼鏡レンズ受発注システムの構成は特に限定されない。
【０１９０】
図３２は、本実施形態に係る眼鏡レンズ受発注システム１０の構成を示す図である。眼鏡レンズ受発注システム１０は、発注者側の眼鏡店に設置される発注装置１および評価装置２００と、受注者側のレンズ製造業者に設置される、受注装置２、加工機制御装置３、および眼鏡レンズ加工機４と、を含んで構成される。発注装置１と受注装置２とは、例えばインターネット等のネットワーク５を介して通信可能に接続されている。また、発注装置１には評価装置２００が接続されており、受注装置２には、加工機制御装置３が接続されており、加工機制御装置３には眼鏡レンズ加工機４が接続されている。
なお、図３２では、図示の都合上、発注装置１を１つのみ記載しているが、実際には複数の眼鏡店に設置された複数の発注装置１が受注装置２に接続されている。
【０１９１】
発注装置１は、眼鏡レンズの発注処理を行うコンピュータであり、制御部１１と、記憶部１２と、通信部１３と、表示部１４と、入力部１５とを含む。制御部１１は、記憶部１２に記憶されたプログラムを実行することにより、発注装置１を制御する。制御部１１は、眼鏡レンズの発注処理を行う発注処理部１６を備える。通信部１３は、受注装置２とネットワーク５を介して通信を行う。表示部１４は、例えば液晶モニタ等の表示装置であり、発注する眼鏡レンズの情報（発注情報）を入力するための発注画面等を表示する。入力部１５は、例えばマウス、キーボード等を含む。例えば、入力部１５を介して、発注画面の内容に応じた発注情報が入力される。
なお、表示部１４と入力部１５とはタッチパネル等により一体的に構成されていてもよい。
【０１９２】
受注装置２は、眼鏡レンズの受注処理や設計処理、光学性能の演算処理等を行うコンピュータであり、制御部２１と、記憶部２２と、通信部２３と、表示部２４と、入力部２５とを含んで構成される。制御部２１は、記憶部２２に記憶されたプログラムを実行することにより、受注装置２を制御する。制御部２１は、眼鏡レンズの受注処理を行う受注処理部２６と、眼鏡レンズの設計処理を行う設計部２７とを備える。通信部２３は、発注装置１とネットワーク５を介して通信を行ったり、加工機制御装置３と通信を行ったりする。記憶部２２は、眼鏡レンズ設計のための各種データを読み出し可能に記憶する。表示部２４は、例えばＣＲＴや液晶ディスプレイ等の表示装置であり、眼鏡レンズの設計結果等を表示する。入力部２５は、例えばマウスやキーボード等を含んで構成される。
なお、表示部２４と入力部２５とはタッチパネル等により一体的に構成されていてもよい。
【０１９３】
次に、眼鏡レンズ受発注システム１０において、眼鏡レンズを提供する手順について、図３３に示すフローチャートを用いて説明する。図３３の左側には発注者側で行う手順を示し、図３３の右側には受注者側で行う手順を示す。眼鏡レンズ受発注システム１０による眼鏡レンズの製造方法および眼鏡レンズの販売方法では、上述の眼鏡レンズの評価方法による評価に基づいて選択された眼鏡レンズが設計および製造される。
【０１９４】
ステップＳ１１において、眼鏡レンズ（評価対象レンズ）の評価に基づいて眼鏡レンズが選択される。
【０１９５】
図３４は、ステップＳ１１をさらに複数の段階に分けてその流れを示したフローチャートである。ステップＳ１１１において、評価装置２００のデータ取得部２１１は、複数の眼鏡レンズ（対象レンズ）の光学特性についてのデータを取得する。眼鏡店に来た装用者は、一または複数の新しい眼鏡レンズの使用目的やこれらの眼鏡レンズに求める装用感に関する情報を販売員に伝える。この使用目的に関する情報とは、今まで装用していた眼鏡レンズから新しい眼鏡レンズに切り替えて装用するか、新しい眼鏡レンズと今まで装用していた眼鏡レンズを併用するか、または複数の眼鏡レンズを併用する場合、光学特性に基づいて使い分けるか否か等の情報である。
【０１９６】
販売員は、装用者から得た情報に基づいて対象レンズおよび評価対象レンズならびに評価条件を評価装置２００の入力部２５０を介して入力する。データ取得部２１１は当該入力に基づいて記憶部２２０を参照して対象レンズの光学特性のデータを取得する。ステップＳ１１１が終了したらステップＳ１１２が開始される。
【０１９７】
ステップＳ１１２において、評価装置２００の個別特性指標算出部３１０は、複数の眼鏡レンズ（対象レンズ）の光学特性がどの程度類似しているかまたはどの程度異なっているかに基づいて、複数の光学特性のそれぞれについて、複数の眼鏡レンズ（対象レンズ）の間の装用感の違いを示す複数の指標（個別特性指標）を算出する。ステップＳ１１２が終了したら、ステップＳ１１３が開始される。
【０１９８】
ステップＳ１１３において、評価装置２００の統合特性指標算出部３３０は、ステップＳ１１２で算出した複数の指標（個別特性指標）に基づいて、複数の眼鏡レンズ（対象レンズ）の間の装用感の違いを示す指標（統合特性指標）を算出する。個別特性指標および／または統合特性指標に基づいて評価対象レンズの評価が行われる。ステップＳ１１３が終了したら、ステップＳ１１４が開始される。
【０１９９】
ステップＳ１１４において、評価装置２００の表示部２４０は、ステップＳ１１２および／またはＳ１１３で算出した指標に基づいた、評価対象レンズの評価を表示する。例えば、販売員に向けて表示される表示装置に個別特性指標に基づく表示画像Ｄｉ２またはＤｉ３等が表示され、装用者に向けて表示される表示装置に統合特性指標に基づく表示画像Ｄｉ１等が表示される。ステップＳ１１４が終了したら、ステップＳ１１５が開始される。
【０２００】
ステップＳ１１５において、ステップＳ１１４の評価に基づいて、眼鏡レンズが選択される。装用者は、評価対象レンズの評価に基づいて、装用する、すなわち、多くの場合購入する、眼鏡レンズを選択する。装用する眼鏡レンズは評価対象レンズや対象レンズに限られず、例えばこれらの眼鏡レンズの評価が好ましくない等の理由により他の眼鏡レンズを選択してもよい。ステップＳ１１５が終了したらステップＳ１２が開始される。
なお、評価装置２００が評価対象レンズの評価に基づいて眼鏡レンズを選択し、装用者が確認してもよい。
【０２０１】
ステップＳ１２（図３３）において、発注者は、ステップＳ１１５において選択された眼鏡レンズの発注情報を決定する。そして、発注者は、発注装置１の表示部１４に発注画面を表示させ、入力部１５を介して発注情報を入力する。発注画面は、変形例において後述する発注画面１００のレンズ情報１０１、加工指定情報１０２、染色情報１０３、アイポイント情報１０４およびフレーム情報１０５等の発注情報を入力するための画面である（図３９参照）。発注者が、発注画面の各項目を入力し、送信ボタン（不図示）をクリックすると、発注装置１の発注処理部１６は、発注情報を取得する。ステップＳ１２が終了したら、ステップＳ１３が開始される。
【０２０２】
ステップＳ１３において、発注装置１は、当該発注情報を、通信部１３を介して受注装置２へ送信する。図３３では、発注情報が発注装置１から受注装置２へと送信される点を、矢印Ａ２で模式的に示した。ステップＳ１３が終了したら、ステップＳ２１が開始される。
【０２０３】
発注装置１において、発注画面を表示する処理、発注画面において入力された発注情報を取得する処理、当該発注情報を受注装置２に送信する処理については、発注装置１の制御部１１が、記憶部１２に予めインストールされた所定のプログラムを実行することによって行う。
【０２０４】
ステップＳ２１（図３３）において、受注装置２の受注処理部２６は、通信部２３を介して、発注装置１から発注情報を受信する。ステップＳ２１が終了したら、ステップＳ２２に進む。
【０２０５】
ステップＳ２２において、受注装置２の設計部２７は、受信した発注情報に基づいて眼鏡レンズの設計を行う。設計部２７は、受信した発注情報に基づいて、設計する眼鏡レンズの目標収差を設定する。設計部２７は、設定された目標収差に基づいて、眼鏡レンズの形状の最適化設計を行う。この最適化設計では、眼鏡レンズの形状を設計した後、目標収差等の設計条件をどの程度満たしているかを示す値が算出され、当該値が最適な値になるように眼鏡レンズが適宜再設計される。予め設定された一定の基準を満たす眼鏡レンズの形状が設計されたら、眼鏡レンズの設計を完了する。ステップＳ２２が終了したら、ステップＳ２３が開始される。
【０２０６】
ステップＳ２３において、受注装置２は、ステップＳ２２で設計した眼鏡レンズの設計データを加工機制御装置３（図３２）に出力する。加工機制御装置３は、受注装置２から出力された設計データに基づいて、眼鏡レンズ加工機４に加工指示を送る。この結果、眼鏡レンズ加工機４によって、当該設計データに基づく眼鏡レンズが加工され、製造される。眼鏡レンズ加工機４によって製造された眼鏡レンズが眼鏡店に出荷され、眼鏡フレームにはめ込まれて顧客（装用者）に提供される。
【０２０７】
なお、受注装置２において、発注装置１から発注情報を受信する処理、受信した発注情報に基づいて眼鏡レンズを設計する処理、眼鏡レンズの設計データを加工機制御装置３に出力する処理については、受注装置２の制御部２１が、記憶部２２に予めインストールされた所定のプログラムを実行することによって行う。
なお、受注装置２の設計部２７は、受注装置２とは別の設計装置に配置されてもよい。
【０２０８】
上述の実施の形態によれば、次の作用効果が得られる。
（１）本実施形態の眼鏡レンズの評価方法は、評価部３００が、複数の対象レンズにおける光学特性がどの程度類似しているかまたはどの程度異なっているかに基づいて、複数の対象レンズの間の装用感の違いを示す統合特性指標および／または個別特性指標を算出すること、を含む。これにより、装用感の違いに基づいた眼鏡レンズの評価を行うことができる。
【０２０９】
（２）本実施形態の眼鏡レンズの評価方法において、表示制御部２１３は、複数の対象レンズにおける光学特性がどの程度類似しているかまたはどの程度異なっているかについての情報を表示装置に表示する。これにより、光学特性の違いに基づいた眼鏡レンズの評価を装用者や販売員等に提供することができる。
【０２１０】
（３）本実施形態の眼鏡レンズの評価方法において、個別特性指標算出部３１０は、複数の対象レンズにおける、複数の光学特性のそれぞれについて個別特性指標を算出する。これにより、それぞれの光学特性による装用感の違いへの影響に基づいた眼鏡レンズの評価を行うことができる。
【０２１１】
（４）本実施形態の眼鏡レンズの評価方法において、表示部２４０は、複数の個別特性指標に基づいて、複数の対象レンズにおける、複数の光学特性のそれぞれがどの程度類似しているかまたはどの程度異なっているかについての情報を表示する。これにより、それぞれの光学特性の違いに基づいた眼鏡レンズの評価を装用者や販売員等に提供することができる。
【０２１２】
（５）本実施形態の眼鏡レンズの評価方法において、データ取得部２１１は、複数の光学特性のうち、類似させたい光学特性と、異ならせたい光学特性とが選択された装用感情報を取得し、個別特性指標３１０は、類似させたい光学特性がどの程度類似しているか、および、異ならせたい光学特性がどの程度異なっているかに基づいて、複数の個別特性指標を算出する。これにより、装用者の光学特性への希望に基づいて、装用感の違いに基づいた眼鏡レンズの評価を行うことができる。
【０２１３】
（６）本実施形態の眼鏡レンズの評価方法において、個別特性指標算出部３１０は、過去に取得された、光学特性の変化に対する装用感の変化に関するデータに基づいて個別特性指標を算出する。これにより、過去のデータに基づいて、より精密に装用感の違いに基づいた眼鏡レンズの評価を行うことができる。
【０２１４】
（７）本実施形態の眼鏡レンズの評価方法において、光学特性の変化に対する装用感の変化に関するデータは、非線形の部分を含む関数とすることができる。これにより、より精密なデータに基づいて、より精密に装用感の違いに基づいた眼鏡レンズの評価を行うことができる。
【０２１５】
（８）本実施形態の眼鏡レンズの評価方法において、評価部３００は、装用者が評価対象レンズの少なくとも一部の領域に求める装用感にさらに基づいて、個別特性指標および／または統合特性指標を算出する。これにより、装用者が眼鏡レンズに求める装用感に基づいた眼鏡レンズの評価を行うことができる。
【０２１６】
（９）本実施形態の眼鏡レンズの評価方法において、評価部３００は、装用者が、光学特性の少なくとも一つを類似させたいかおよび／または異ならせたいかに基づいて、個別特性指標および／統合特性指標を算出する。これにより、装用者の光学特性への希望に基づいて、装用感の違いに基づいた眼鏡レンズの評価を行うことができる。
【０２１７】
（１０）本実施形態の眼鏡レンズの評価方法において、個別特性指標算出部３１０は、評価対象レンズが既存の眼鏡レンズから切り替える眼鏡レンズであるか、あるいは、評価対象レンズが使い分けて併用する複数のレンズであるかに基づいて、個別特性指標および／または統合特性指標を算出する方法を異ならせる。これにより、装用者の眼鏡レンズの使用目的等に基づいて、装用感の違いに基づいた眼鏡レンズの評価を行うことができる。
【０２１８】
（１１）本実施形態の眼鏡レンズの評価方法において、個別特性指標算出部３１０は、評価対象レンズが切り替えのための眼鏡レンズの場合、複数の対象レンズは 既存の眼鏡レンズを含み、既存の眼鏡レンズを基準として、個別特性指標および／または統合特性指標を算出する。これにより、装用者が眼鏡レンズを切り替える場合に合わせて、適切に装用感の違いに基づいた眼鏡レンズの評価を行うことができる。
【０２１９】
（１２）本実施形態の眼鏡レンズの評価方法において、評価対象レンズが併用する複数の眼鏡レンズである場合、併用する複数の眼鏡レンズのそれぞれを基準として、個別特性指標および／または統合特性指標を算出する。これにより、装用者が評価対象レンズを併用する場合に合わせて、装用感の違いに基づいた眼鏡レンズの評価を行うことができる。
【０２２０】
（１３）本実施形態の眼鏡レンズの評価方法において、光学特性は、処方データ、加入度曲線、眼鏡レンズの少なくとも一部の領域の加入度分布および収差分布、ならびに眼鏡レンズの少なくとも一部の領域による視野のゆがみおよび揺れからなる群から選択される少なくとも一つである。これにより、これらの光学特性による装用感への影響に基づいて、装用感の違いに基づいた眼鏡レンズの評価を行うことができる。
【０２２１】
（１４）本実施形態の眼鏡レンズの評価方法において、光学特性は、眼鏡レンズの少なくとも一部の領域による視野のゆがみを含み、ゆがみ特性指標算出部３１３は、この領域を通して対象物である格子Ｇｒを見る場合の網膜像における対象物の形状および／または大きさの変化に基づいて、ゆがみ指標を算出する。これにより、視野のゆがみによる装用感への影響に基づいて、装用感の違いに基づいた眼鏡レンズの評価を行うことができる。
【０２２２】
（１５）本実施形態の眼鏡レンズの評価方法において、光学特性は、眼鏡レンズのアイポイントよりも上方にある上方領域による視野のゆがみおよび／または眼鏡レンズのアイポイントよりも下方にある下方領域による視野のゆがみを含む。これにより、これらの領域における視野のゆがみによる装用感への影響に基づいて、装用感の違いに基づいた眼鏡レンズの評価を行うことができる。
【０２２３】
（１６）本実施形態の眼鏡レンズの評価方法において、光学特性は、加入度曲線を含み、複数の対象レンズは複数の累進屈折力レンズであり、加入度指標算出部３１１は、累進屈折力レンズの一または複数の所定の位置または範囲における加入度の差に基づいて、加入度指標を算出する。これにより、加入度曲線による装用感への影響に基づいて、装用感の違いに基づいた眼鏡レンズの評価を行うことができる。
【０２２４】
（１７）本実施形態の眼鏡レンズの評価方法において、上記累進屈折力レンズの一または複数の所定の位置は、遠用参照点を含む。これにより、遠用参照点での加入度による装用感への影響に基づいて、装用感の違いに基づいた眼鏡レンズの評価を行うことができる。
【０２２５】
（１８）本実施形態の眼鏡レンズの評価方法において、加入度指標算出部３２１は、累進屈折力レンズの遠用部Ｆおよび／または中間部Ｐにおける一または複数の所定の位置または範囲における加入度の差に基づいて、前記光学特性がどの程度類似しているかの指標を算出する。これにより、対象レンズの間で遠用部Ｆまたは中間部Ｐの装用感の違いが小さいことが好ましい場合に、適切に装用感の違いに基づいた眼鏡レンズの評価を行うことができる。
【０２２６】
（１９）本実施形態の眼鏡レンズの評価方法において、加入度指標算出部３２１は、累進屈折力レンズの近用部Ｎにおける一または複数の所定の位置または範囲における加入度の差に基づいて、光学特性がどの程度異なっているかの指標を算出する。これにより、対象レンズの間で遠用部Ｆまたは中間部Ｐの装用感の違いが大きいことが好ましい場合に、適切に装用感の違いに基づいた眼鏡レンズの評価を行うことができる。
【０２２７】
（２０）本実施形態の眼鏡レンズの評価方法において、光学特性は、眼鏡レンズの少なくとも一部の領域の加入度分布および／または収差分布であり、明視域指標算出部３２２は、この領域の加入度分布、収差分布および／または装用者の調節力に基づいて算出した、一または複数の所定の位置における明視域の広さに基づいて、明視域指標を算出する。これにより、明視域の広さによる装用感への影響に基づいて、装用感の違いに基づいた眼鏡レンズの評価を行うことができる。
【０２２８】
（２１）本実施形態の眼鏡レンズの評価方法において、光学特性は、処方データを含み、処方指標算出部３２５は、複数の対象レンズの球面度数、円柱度数、および／または乱視軸角度に基づいて、処方指標を算出する。これにより、眼鏡レンズの度数等の処方による装用感への影響に基づいて、装用感の違いに基づいた眼鏡レンズの評価を行うことができる。
【０２２９】
（２２）本実施形態の眼鏡レンズの評価方法において、処方指標算出部３２５は、装用者が完全矯正となる球面度数、円柱度数、および／または乱視軸角度にさらに基づいて、処方指標を算出する。これにより、球面度数、円柱度数、および／または乱視軸角度による装用感への影響に基づいて、装用感の違いに基づいた眼鏡レンズの評価を行うことができる。
【０２３０】
（２３）本実施形態の眼鏡レンズの評価方法において、処方指標算出部３２５は、球面度数、円柱度数、および／または乱視軸角度が装用者にとって過矯正となるか否かに基づいて、処方指標を算出する方法を異ならせる。これにより、過矯正による装用感への影響に基づいて、装用感の違いに基づいた眼鏡レンズの評価を行うことができる。
【０２３１】
（２４）本実施形態の眼鏡レンズの評価方法において、評価部３００は、装用者の完全矯正での視力、装用者の調節力、装用者が眼鏡レンズに優先的に求める性能にさらに基づいて個別特性指標および／または統合特性指標を算出する。これにより、完全矯正での視力および調節力による装用感への影響、ならびに装用者が眼鏡レンズに優先的に求める性能に基づいて、装用感の違いに基づいた眼鏡レンズの評価を行うことができる。
【０２３２】
（２５）本実施形態の眼鏡レンズの評価方法において、複数の対象レンズは、遠近両用レンズと中近両用レンズとを含み、評価対象レンズは、遠近両用レンズおよび／または中近両用レンズである。これにより、好適に併用される遠近両用レンズと中近両用レンズとの使用目的の違い等に基づいて、装用感の違いに基づいた眼鏡レンズの評価を行うことができる。
【０２３３】
（２６）本実施形態に係る眼鏡レンズの選択方法は、上述の眼鏡レンズの評価方法に基づいて眼鏡レンズを選択する。これにより、装用感の違いに基づいた眼鏡レンズの選択を行うことができる。
【０２３４】
（２７）本実施形態に係る眼鏡レンズの選択方法において、表示制御部２１３が、上述の眼鏡レンズの評価方法による評価を装用者および／または眼鏡レンズの販売員に示すために、当該評価に関する情報を表示装置に表示し、当該評価に基づいて、装用者が、購入する眼鏡レンズを選択するか、および／または、当該評価に基づいて販売員が装用者に勧める眼鏡レンズを選択し、当該選択した眼鏡レンズに関する情報を入力装置が取得する。これにより、装用感の違いに基づいた眼鏡レンズの評価が視覚を通じて装用者または販売員等に伝えられ、適切に眼鏡レンズの選択が行われる。
【０２３５】
（２８）本実施形態に係る眼鏡レンズの選択方法において、表示制御部２１３は、評価に関する情報として、眼鏡レンズの製造業者の推奨度合を示す情報である指標を表示部２４０に表示する。これにより、装用感の違いに基づいた眼鏡レンズの推奨度合を装用者や販売員等に適切に伝えることができる。
【０２３６】
（２９）本実施形態に係る眼鏡レンズの選択方法において、表示制御部２１３は、評価対象レンズが使い分けて併用する複数の眼鏡レンズである場合、評価に関する情報として、複数の眼鏡レンズを併用することの適性度合を示す情報である個別特性指標および／または統合特性指標を表示装置に表示する。これにより、装用感の違いに基づいた、眼鏡レンズを併用することの適正度合を装用者や販売員等に適切に伝えることができる。
【０２３７】
（３０）本実施形態に係る眼鏡レンズの製造方法は、上述の眼鏡レンズの評価方法に基づいて選択された眼鏡レンズを製造する。これにより、装用感の違いに基づいて好適に選択された眼鏡レンズを提供することができる。
【０２３８】
（３１）本実施形態に係る眼鏡レンズ評価装置は、複数の対象レンズにおける光学特性がどの程度類似しているかまたはどの程度異なっているかに基づいて、複数の対象レンズの間の装用感の違いを示す個別特性指標および／または統合特性指標を算出し、当該指標を用いて、評価対象レンズの評価を行う評価部３００を備える。これにより、装用感の違いに基づいた眼鏡レンズの評価を行うことができる。
【０２３９】
（３２）本実施形態に係る眼鏡レンズ受発注システムは、上述の眼鏡レンズの評価装置と、眼鏡レンズ発注装置と、眼鏡レンズ受注装置とを備える。これにより、装用感の違いに基づいて好適に選択された眼鏡レンズを提供することができる。
【０２４０】
（３３）本実施形態に係る眼鏡レンズの販売方法は、上述の眼鏡レンズの選択方法で選択された眼鏡レンズを販売する。これにより、装用感の違いに基づいて好適に選択された眼鏡レンズを提供することができる。
【０２４１】
次のような変形例も本発明の範囲内であり、上述の実施形態と組み合わせることが可能である。
（変形例１）
上述の実施形態では、加入度指標算出部３２１は、対象レンズの加入度曲線上の加入度の値に基づいて加入度指標を算出したが、加入度指標算出部３２１は、対象レンズの一部の領域の加入度の値に基づいて加入度指標を算出してもよい。特に、加入度指標算出部３２１は、それぞれの対象レンズにおける異なる大きさの領域における加入度分布に基づいて、加入度指標を算出してもよい。それぞれの対象レンズにおける当該領域は、光学特性について対応する領域であることが好ましい。
【０２４２】
図３５は、本変形例の眼鏡レンズの評価方法を説明するための概念図である。以下では、眼鏡レンズＡを遠近両用レンズＬＳＡとし、眼鏡レンズＢを中近両用レンズＬＳＢとして説明するが、当該評価方法は、光学特性に基づいて眼鏡レンズ間で対応する領域を設定することにより、これら以外の累進屈折力レンズや累進屈折力レンズ以外の眼鏡レンズにも適用できる。
【０２４３】
加入度特性値算出部３１１は、眼鏡レンズＡの加入度分布７１ａから、中間部Ｐおよび近用部Ｎを含む領域（以下、第１領域Ｒａ−１と呼ぶ）を、設定する。第１領域Ｒａ−１は、図３５ではアイポイントＥＰを中心に左右方向の幅がｗ１の長方形の部分としている。第１領域Ｒａ−１の高さ方向の範囲は、上端を遠用参照点ＦＶの高さとし、下端は非点収差が装用者にとって許容できなくなる値等に基づいて予め設定される。図３５では、第１領域Ｒａ−１を加入度分布７１ａから分離して示した（矢印Ａ３）。なお、第１領域Ｒａ−１は、予め定められた形状や、予め定められた範囲の大きさであればよく、その形状や大きさは上記に限定されない。
【０２４４】
加入度特性値算出部３１１は、眼鏡レンズＢの加入度分布７１ｂから第１領域Ｒａ−１に対応する第２領域Ｒｂを設定する。第２領域Ｒｂは、アイポイントＥＰを中心に左右方向の幅がｗ１の長方形の部分としている。第２領域Ｒｂの高さ方向の範囲は、上端を遠用参照点ＦＶの高さとし、下端は非点収差が装用者にとって許容できなくなる値等に基づいて設定される。
なお、第１領域Ｒａ−１および第２領域Ｒｂを設定する方法は、上記の方法に限定されず、加入度、非点収差等の収差の値等の光学特性に基づいて、適宜設定することができる。図３５では、第２領域Ｒｂを加入度分布７１ｂから分離して示した（矢印Ａ５）。
【０２４５】
加入度特性値算出部３１１は、第１領域Ｒａ−１を拡大し、第２領域Ｒｂと等しい大きさの拡大第１領域Ｒａ−２にして（矢印Ａ４）比較する（矢印Ａ６）。図３５の例では、加入度特性値算出部３１１は、第１領域Ｒａ−１を高さ方向に所定の倍率で伸長させ、第２領域Ｒｂと等しい高さにする。加入度特性値算出部３１１は、拡大第１領域Ｒａ−２と第２領域Ｒｂとの対応する位置の加入度の差の二乗を、これらの領域の全体にわたって算出平均した平方根を、本変形例の加入度特性値（以下、領域加入度特性値ＡｄｄＤと呼ぶ）として算出する。
なお、領域加入度特性値ＡｄｄＤの算出方法は、第１領域Ｒａ−１と第２領域Ｒｂとの間の加入度がどの程度類似しているかまたはどの程度異なっているかを定量できれば、特に限定されない。例えば、図３５の例のように、加入度や非点収差等の収差の値等の光学特性の等高線を示す図を、等高線の間隔を細かく設定し、値をグレースケールの濃淡で表して、これらを画像として、ＳＳＤ（Ｓｕｍ  ｏｆ  Ｓｑｕａｒｅｄ  Ｄｉｆｆｅｒｅｎｃｅ）、ＳＡＤ（Ｓｕｍ  ｏｆ  Ａｂｓｏｌｕｔｅ  Ｄｉｆｆｅｒｅｎｃｅ）等の公知のマッチング技術によって両者の類似度を算出してもよい。また、第１領域Ｒａ−１を拡大せずに、第２領域Ｒｂを縮小してもよいし、光学特性の比較に問題がなければ拡大および縮小の代わりにサンプリング間隔を変化させてもよい。第１領域Ｒａ−１の各位置と第２領域Ｒｂの各位置との間の対応付けができれば、その方法は特に限定されない。
【０２４６】
加入度指標算出部３２１（図２）は、上述の実施形態の場合と同様、領域加入度特性値ＡｄｄＤの変化に対する装用感の変化に関するデータに基づいて、領域加入度特性値ＡｄｄＤから予備領域加入度指標ＰＡＩＲ＿ａｄｄ＿ｄｏｍａｉｎを算出する。遠近両用レンズの中間部Ｐおよび近用部Ｎ等を拡大したような形状の中近両用レンズを設計することが行われ得るため、予備領域加入度指標ＰＡＩＲ＿ａｄｄ＿ｄｏｍａｉｎを用いると、当該拡大以外の光学特性についてどの程度類似しているかまたは異なっているかの情報を提供することができる。予備領域加入度指標ＰＡＩＲ＿ａｄｄ＿ｄｏｍａｉｎおよび他の加入度についての予備特性指標のうち最大値等を、個別加入度指標とすることができる。
なお、本変形例の評価方法は、加入度指標以外の、ゆがみ指標等についても適用することができる。
【０２４７】
本変形例の眼鏡レンズの評価方法において、複数の対象レンズは、複数の累進屈折力レンズであって、対象レンズのアイポイントＥＰよりも上方にある上方領域または対象レンズのアイポイントよりも下方にある下方領域で視認する想定距離が異なり、加入度指標算出部３２１は、複数の対象レンズのうち、第１対象レンズの一部領域である第１領域Ｒａ−１と、第１対象レンズとは異なる第２対象レンズの、第１領域Ｒａ−１よりも大きな第２領域Ｒｂとで、光学特性がどの程度類似しているかまたはどの程度異なっているかに基づいて、予備特性指標および／または個別特性指標を算出する。これにより、眼鏡レンズ関で大きさの異なる領域について、装用感の違いに基づいた眼鏡レンズの評価を行うことができる。
【０２４８】
本変形例の眼鏡レンズの評価方法において、上記第１対象レンズは、遠近両用レンズであるとともに、第１領域Ｒａ−１は、近用部Ｎから中間部Ｐを含む領域であり、第２対象レンズは、中近両用レンズであり、加入度指標算出部３２１は、第１領域Ｒａ−１を第２領域Ｒｂと同じ大きさに拡大したときの、光学特性がどの程度類似しているかまたはどの程度異なっているかに基づいて、個別特性指標および／または統合特性指標を算出する。これにより、遠近両用レンズと、中近両用レンズとの間で、中間部Ｐ等を広げたことによる光学特性の変化以外の光学特性の変化による、装用感の違いに基づいた眼鏡レンズの評価を行うことができる。
【０２４９】
（変形例２）
上述の実施形態では、加入度指標算出部３２１は、装用者が眼鏡レンズに優先的に求める性能にさらに基づいて、加入度特性値から加入度指標を算出してもよい。以下では、加入度指標算出部３２１が、眼鏡レンズＡを基準とした遠用部加入度特性値ΔＡｄｄｆ＿ａｂから、眼鏡レンズＡを基準とした遠用部加入度特性値ΔＡｄｄｆ＿ａｂの変化に対する装用感の変化に関するデータと、装用者が眼鏡レンズに優先的に求める性能とに基づいて、眼鏡レンズＡを基準とした予備遠用部加入度指標ＰＡＩＲ＿ａｄｄ＿ｆａｒ＿ａｂを算出する例を説明する。
なお、眼鏡レンズＢを基準とした予備遠用部加入度指標ＰＡＩＲ＿ａｄｄ＿ｆａｒ＿ｂａを算出する場合も以下と同様に算出することができる。
【０２５０】
図３６は、遠用部加入度特性値ΔＡｄｄｆ＿ａｂの変化に対する装用感の変化に関するデータの一例をグラフにより示したものである。このデータでは、眼鏡レンズＡを基準とした遠用部加入度特性値ΔＡｄｄｆ＿ａｂの各値と予備遠用部加入度指標ＰＡＩＲ＿ａｄｄ＿ｆａｒ＿ａｂとを対応づける関数が数式や二次元の配列等により示されている。遠用部加入度特性値ΔＡｄｄｆ＿ａｂの変化に対する装用感の変化に関するデータは、過去に取得された、遠用部Ｆにおける加入度の装用感への影響を示すデータまたは理論等に基づいて、予め生成され記憶部２２０に記憶されている。
【０２５１】
図３６の例では、装用者が遠用部Ｆの加入度をどの程度類似させたいかの優先度に基づいて、眼鏡レンズＡを基準とした遠用部加入度特性値ΔＡｄｄｆ＿ａｂの各値と予備遠用部加入度指標ＰＡＩＲ＿ａｄｄ＿ｆａｒ＿ａｂとを対応づける３つの特性曲線Ｃ１、Ｃ２およびＣ３が示されている。
【０２５２】
特性曲線Ｃ１は、眼鏡レンズＡに対して眼鏡レンズＢの遠用参照点ＦＶでの見え方が、略同一であることを期待している場合（以下、優先度「高」の場合と呼ぶ）の特性曲線である。例えば、眼鏡レンズＢの遠用参照点ＦＶでの見え方（性能）の優先順位が、遠用部以外の部分または加入度以外の光学特性による性能と同じ程度以上である場合や、装用者が眼鏡レンズＡの遠用参照点ＦＶと同じ高さの眼鏡レンズＢの主注視線上の位置を通して見たとき、矯正視力が略同一であることを期待している場合である。
【０２５３】
特性曲線Ｃ１では、以下の式（４１）のように眼鏡レンズＡを基準とした遠用部加入度特性値ΔＡｄｄｆ＿ａｂの各値に眼鏡レンズＡを基準とした予備遠用部加入度指標ＰＡＩＲ＿ａｄｄ＿ｆａｒ＿ａｂが対応づけられている。
ΔＡｄｄｆ＿ａｂ≦０．１ＤのときＰＡＩＲ＿ａｄｄ＿ｆａｒ＿ａｂ＝０
ΔＡｄｄｆ＿ａｂ＝０．２５ＤのときＰＡＩＲ＿ａｄｄ＿ｆａｒ＿ａｂ＝０．５
ΔＡｄｄｆ＿ａｂ≧０．５ＤのときＰＡＩＲ＿ａｄｄ＿ｆａｒ＿ａｂ＝１
…（４１）
ここで、０．１Ｄ＜ΔＡｄｄｆ＿ａｂ＜０．２５Ｄ、０．２５Ｄ＜ΔＡｄｄｆ＿ａｂ＜０．５Ｄの領域では、値が連続になるように直線により補間される。
なお、上記補間は直線の他、非線形の曲線によるものでもよい。
【０２５４】
特性曲線Ｃ２は、眼鏡レンズＡに対して眼鏡レンズＢの遠用参照点ＦＶでの見え方が、ある程度類似していることを期待している場合（以下、優先度「中」の場合と呼ぶ）の特性曲線である。例えば、眼鏡レンズＢの遠用参照点ＦＶでの見え方（性能）の優先順位が、遠用部以外の部分または加入度以外の光学特性による性能よりも同等またはやや低い場合である。他の例として、装用者が眼鏡レンズＡの遠用参照点ＦＶと同じ高さの眼鏡レンズＢの主注視線上の位置を通して見たとき、矯正視力がやや劣るが、数ｍｍ等、若干視線の通る眼鏡レンズ上の位置をずらすことで同一の視力を得られることを期待している場合である。
【０２５５】
特性曲線Ｃ２では、以下の式（４２）のように眼鏡レンズＡを基準とした遠用部加入度特性値ΔＡｄｄｆ＿ａｂの各値に眼鏡レンズＡを基準とした予備遠用部加入度指標ＰＡＩＲ＿ａｄｄ＿ｆａｒ＿ａｂが対応づけられている。
ΔＡｄｄｆ＿ａｂ≦０．２５ＤのときＰＡＩＲ＿ａｄｄ＿ｆａｒ＿ａｂ＝０
ΔＡｄｄｆ＿ａｂ＝０．５ＤのときＰＡＩＲ＿ａｄｄ＿ｆａｒ＿ａｂ＝０．５
ΔＡｄｄｆ＿ａｂ≧１ＤのときＰＡＩＲ＿ａｄｄ＿ｆａｒ＿ａｂ＝１
…（４２）
ここで、０．２５Ｄ＜ΔＡｄｄｆ＿ａｂ＜０．５Ｄ、０．５Ｄ＜ΔＡｄｄｆ＿ａｂ＜１Ｄの領域では、値が連続になるように直線により補間される。
なお、上記補間は直線の他、非線形の曲線によるものでもよい。
【０２５６】
特性曲線Ｃ３は、眼鏡レンズＡに対して眼鏡レンズＢの遠用参照点ＦＶでの見え方が、ある程度以上類似していることを期待していない場合（以下、優先度「低」の場合と呼ぶ）の特性曲線である。例えば、眼鏡レンズＢの遠用参照点ＦＶでの見え方（性能）の優先順位が、遠用部以外の部分または加入度以外の光学特性による性能よりも低い場合である。他の具体例として、装用者が眼鏡レンズＡの遠用参照点ＦＶと同じ高さにおける眼鏡レンズＢの主注視線上の位置を通して見たときに遠点が装用者の眼から１ｍより遠ければ許容できるという程度の期待しかしていないような場合である。
【０２５７】
特性曲線Ｃ３では、以下の式（４３）のように眼鏡レンズＡを基準とした遠用部加入度特性値ΔＡｄｄｆ＿ａｂの各値に眼鏡レンズＡを基準とした予備遠用部加入度指標ＰＡＩＲ＿ａｄｄ＿ｆａｒ＿ａｂが対応づけられている。
ΔＡｄｄｆ＿ａｂ≦０．５ＤのときＰＡＩＲ＿ａｄｄ＿ｆａｒ＿ａｂ＝０
ΔＡｄｄｆ＿ａｂ＝１ＤのときＰＡＩＲ＿ａｄｄ＿ｆａｒ＿ａｂ＝０．５
ΔＡｄｄｆ＿ａｂ≧１．７５ＤのときＰＡＩＲ＿ａｄｄ＿ｆａｒ＿ａｂ＝１
…（４３）
ここで、０．５Ｄ＜ΔＡｄｄｆ＿ａｂ＜１Ｄ、１Ｄ＜ΔＡｄｄｆ＿ａｂ＜１．７５Ｄの領域では、値が連続になるように直線により補間される。
なお、上記補間は直線の他、非線形の曲線によるものでもよい。
【０２５８】
装用者の優先度が高い眼鏡レンズ上の部分や光学特性については、特性曲線Ｃ１が示すように、より優先度が低い場合（特性曲線Ｃ２，Ｃ３）に比べて、光学特性の違いを示す特性値の少なくとも一部の範囲について装用感の違いを示す指標の値がより高くなるように設定される。このように、加入度指標算出部３２１は、装用者が眼鏡レンズに優先的に求める性能に基づいて、加入度指標の値を異ならせることができる。
なお、個別特性指標算出部３１０が、ゆがみ、明視域、揺れおよび処方に関する指標を算出する際にも、装用者が眼鏡レンズに優先的に求める性能に基づいてこれらの指標の値を異ならせることができる。個別特性指標算出部３１０は、装用者が、眼鏡レンズの一部の領域および／または特定の光学特性に求める優先度が高い場合、優先度が低い場合よりもこれらの指標がより装用者にとって好ましくない値を示すように設定することができる。
【０２５９】
（変形例３）
上述の実施形態において、発注装置１が評価装置２００を備え、発注装置１の少なくとも一部が評価装置２００の少なくとも一部と一体的に構成されていてもよい。これにより、適宜よりコンパクトな装置により発注および評価を行うことができる。
【０２６０】
（変形例４）
上述の実施形態では、対象レンズが指定された後に評価部３００が評価を行っているが、予め評価装置２００により行われた評価が販売者側の発注装置等の装置または当該装置に接続されたサーバ等に記憶されており、装用者から対象レンズが指定されたら、記憶された当該評価が装用者や販売員に向けて表示される構成にしてもよい。
【０２６１】
レンズ製造業者は、眼鏡レンズの種類、特徴または商品名に対応させて、特定のまたは一つ以上の代表的な処方による基本設計を定めている。レンズ製造業者等は、眼鏡レンズを切り替える場合や、複数の眼鏡レンズを併用する場合を想定して、特定の眼鏡レンズの組合せを対象レンズとして、予めこの基本設計における光学特性データを用いて上述の評価装置２００による評価を行っておく。レンズ製造業者等は、例えば、併用するのに好適な遠近両用レンズの商品と中近両用レンズの商品とについて予め基本設計を用いた評価を行っておくことが好ましい。
【０２６２】
上述の実施形態または以下の変形例における基本設計とは、眼鏡レンズの装用者の処方条件を反映する前の加入度および非点収差の分布などの収差特性を表すものである。装用者が実際に購入して装用する眼鏡レンズは、この基本設計を基にして、度数などの処方条件や眼鏡フレームなどの装用条件などを反映して眼鏡レンズの形状を最終的に決定するための最適化設計をした後の眼鏡レンズである。そして、この一旦最適化設計をした後の眼鏡レンズの特性から、装用者の眼の処方に依存する成分を取り除いたものが、上述の実施形態における残存収差である。基本設計と残存収差の違いは、残存収差には基本設計には無い最適化の誤差の影響が含まれていることである。
【０２６３】
基本設計を用いた評価は、販売者側の発注装置等の装置または当該装置に接続されたサーバ等に記憶され、販売者側の眼鏡店において眼鏡レンズを販売する場合等に、装用者および／または販売員等に向けて表示される。基本設計を用いた評価は装用者の処方とは一致しない場合が多いため、実際に装用者の処方に合わせた眼鏡レンズを用いて評価した場合とは完全に同じ評価とはならないが、かなり類似した評価が得られる。従って、基本設計を用いた評価に基づいた場合でも、装用感の違いに応じて好適に眼鏡レンズを選択することができる。
【０２６４】
本変形例の眼鏡レンズの選択方法において、評価対象レンズの評価は、特定の処方データおよび特定の眼鏡レンズの組合せに基づいて予め行われたものである。これにより、装用者が眼鏡レンズを選択する際に評価のための計算を行う必要がなく、効率的に眼鏡レンズの装用感の違いに基づいた評価を提供することができる。
【０２６５】
（変形例５）
上述の実施形態において、対象レンズが販売者側において指定された後に、レンズ製造者側に当該対象レンズについてのデータが送信され、レンズ製造者側の評価装置２００が評価対象レンズの評価を行う構成にしてもよい。
【０２６６】
図３７は、本変形例の眼鏡レンズ受発注システム１０ａの構成を示す図である。眼鏡レンズ受発注システム１０ａは、上述の眼鏡レンズ受発注システム１０と略同一の構成を示しているが、製造者側に評価装置２００を備え、販売者側に評価表示制御部１７を備える点が異なっている。眼鏡レンズ受発注システム１０と同一の機能を有する部分は同一の符号で参照して適宜説明を省略する。
【０２６７】
眼鏡レンズ受発注システム１０ａは、制御部１１ａを備える。制御部１１ａは、上述の制御部１１の機能に加え、評価表示制御部１７を備える。受注装置２は、評価装置２００と接続されている。
なお、受注装置２が評価装置２００を備え、受注装置２の少なくとも一部が評価装置２００の少なくとも一部と一体的に構成されていてもよい。これにより、適宜よりコンパクトな装置により受注および評価を行うことができる。
【０２６８】
次に、眼鏡レンズ受発注システム１０ａにおいて、眼鏡レンズを提供する手順について、図３８に示すフローチャートを用いて説明する。図３８の左側には発注者側で行う手順を示し、図３８の右側には受注者側で行う手順を示す。眼鏡レンズ受発注システム１０ａによる眼鏡レンズの製造方法および眼鏡レンズの販売方法では、上述の眼鏡レンズの評価方法による評価に基づいて眼鏡レンズが設計され製造される。
【０２６９】
ステップＳ１１ａにおいて、複数の眼鏡レンズが選択され、装用者が求める装用感についての情報が取得される。例えば、眼鏡レンズ販売店の販売員が、装用者から、新しく装用したい眼鏡レンズについての情報と、装用者が眼鏡レンズの全体またはいずれの部分のいかなる光学特性を類似させたいかまたは異ならせたいかの情報を取得する。なお、複数の眼鏡レンズには、新しく装用したい眼鏡レンズの他に、眼鏡レンズ販売店で過去に購入して現在も使用している眼鏡レンズが一対以上含まれていてもよい。このような過去に購入した眼鏡レンズについては、購入当時の発注情報が眼鏡店に保管されているので、対象レンズおよび評価対象レンズに容易に含めることができる。以下では、対象レンズおよび評価対象レンズを遠近両用レンズおよび中近両用レンズとして、装用者がこれらのレンズを併用する場合を例に説明するが、対象レンズ、評価対象レンズおよびその使用目的は特に限定されない。
【０２７０】
ステップＳ１２ａにおいて、発注者は、ステップＳ１１ａにおいて選択された眼鏡レンズの発注情報を決定する。そして、発注者は、発注装置１ａの表示部１４に発注画面を表示させ、入力部１５を介して発注情報を入力する。
【０２７１】
図３９は、発注画面１００の一例を示す図である。レンズ情報項目１０１では、注文するレンズの商品名、球面度数（Ｓ度数）、乱視度数（Ｃ度数）、乱視軸角度（軸度）、加入度等のレンズ注文度数に関連する項目を入力する。加工指定情報項目１０２は、注文するレンズの外径を指定する場合や、任意点厚さを指定する場合に利用される。染色情報項目１０３は、レンズの色を指定する場合に利用される。アイポイント（ＥＰ）情報項目１０４は、装用者の眼の位置情報を入力する。ＰＤは瞳孔間距離を表す。フレーム情報項目１０５では、フレームモデル名、フレーム種別等を入力する。レンズ情報項目１０１、加工指定情報項目１０２、染色情報項目１０２、アイポイント情報項目１０４およびフレーム情報項目１０５については、１つの対象レンズの分のみを示したが、他の対象レンズについても同様に表示され入力される。
【０２７２】
装用感情報項目１０６では、眼鏡レンズの一部または全部の領域と、当該領域に求める装用者の装用感とが対応付けられて入力される。発注画面１００では、装用者が評価対象レンズ間で遠用部Ｆおよび中間部Ｐの光学特性を類似させたいものとし、近用部Ｎの光学特性を異ならせたいものとしている場合の例を示したが、特に限定されない。さらに、装用者が眼鏡レンズに優先的に求める性能についての情報も、ここで入力されるように表示を適宜変更することもできる。
なお、発注画面１００では、上述の項目の他にも、装用者の調節力に関する情報等、様々な情報を追加することができる。また、発注画面１００に表示されていないが、発注情報には、現在も使用している眼鏡レンズが含まれてもよい。すなわち、ステップＳ１１ａにおいて選択された全ての眼鏡レンズの情報を、対象レンズとして別の任意の方法で入力することができる。
【０２７３】
発注者が、発注画面１００の各項目を入力し、送信ボタン（不図示）をクリックすると、発注装置１ａの発注処理部１６は、発注情報を取得する。ステップＳ１２ａが終了したら、ステップＳ１３ａが開始される。
【０２７４】
ステップＳ１３ａ（図３８）において、発注装置１ａは、当該発注情報を、通信部１３を介して受注装置２へ送信する。図３８では、発注情報が発注装置１から受注装置２へと送信される点を、矢印Ａ７で模式的に示した。ステップＳ１３ａが終了したら、ステップＳ２１ａが開始される。
【０２７５】
発注装置１ａにおいて、発注画面１００を表示する処理、発注画面１００において入力された発注情報を取得する処理、当該発注情報を受注装置２に送信する処理については、発注装置１ａの制御部１１ａが、記憶部１２に予めインストールされた所定のプログラムを実行することによって行う。
【０２７６】
ステップＳ２１ａ（図３８）において、受注装置２の受注処理部２６は、通信部２３を介して、発注装置１から発注情報を受信する。ステップＳ２１ａが終了したら、ステップＳ２２ａが開始される。
【０２７７】
ステップＳ２２ａにおいて、受信した発注情報に基づいて、評価装置２００の評価部３００は、基本設計に基づいて眼鏡レンズの評価を行い、受注装置２の設計部２７は、評価装置２００が行う眼鏡レンズの評価に基づいて、眼鏡レンズのうち今回新しく注文された眼鏡レンズの設計を行う。
【０２７８】
図４０は、ステップＳ２２ａに対応する眼鏡レンズの設計の手順を示すフローチャートである。ステップＳ２２１において、受注装置２は、受信された発注情報に含まれる、複数の眼鏡レンズの情報と、装用感情報とを取得する。ステップＳ２２１が終了したらステップＳ２２２が開始される。
【０２７９】
ステップＳ２２２において、受注装置２の設計部２７は、ステップＳ２２１で取得された複数の眼鏡レンズのうち、評価対象レンズである今回新しく注文された眼鏡レンズについて、その情報に含まれる商品名に基づいて、その商品名に対応する基本設計を決定する。レンズの基本設計が決定されたら、ステップＳ２２２を終了し、ステップＳ２２３が開始される。
【０２８０】
ステップＳ２２３において、評価装置２００は、装用者が眼鏡レンズに求める装用感に基づいて、ステップＳ１１１からＳ１１３（図３４）までの方法により、基本設計が決定された複数の評価対象レンズである眼鏡レンズについて、装用感の違いを示す指標を算出する。評価装置２００は、受注装置２から、ステップＳ２２２で基本設計が決定された評価対象レンズである眼鏡レンズの形状データおよびその他の光学特性および装用感情報に関するデータを取得する（ステップＳ１１１に対応）。当該データを取得したら、ステップＳ１１２により評価対象レンズの個別特性指標を算出し、その後ステップＳ１１３により統合特性指標を算出する。ステップＳ２２３が終了したら、ステップＳ２２４が開始される。
【０２８１】
ステップＳ２２４において、評価装置２００の評価部３００は、算出された個別特性指標および／または統合特性指標が所定の条件を満たすか否かを判定する。所定の条件とは、例えば統合特性指標が０．５等の閾値より小さいか否か等の条件である。このような閾値は、予め適宜設定される。なお、最も判定条件が緩く全てが肯定判定されるのは、例えば統合特性指標の閾値が１の場合である。この所定の条件が満たされる場合、評価部３００はステップＳ２２４を肯定判定してその旨を伝える情報を設計部２７に送信し、ステップＳ２２５が開始される。この所定の条件が満たされない場合、評価部３００はステップＳ２２４を否定判定してその旨を伝える情報を設計部２７に送信し、ステップＳ２２２が開始されて設計部２７は再評価を行う。この際、例えば、評価対象レンズの眼鏡レンズの種類を変更して、類似の光学特性を持つ別の眼鏡レンズの製品群から、Ｓ１１ａで選択されなかった眼鏡レンズを選択してもよい。この場合、装用者が候補としていなかった眼鏡レンズを推奨眼鏡レンズとして後で提案することができる。
なお、ステップＳ２２４における判定は受注装置側で行ってもよい。また、設計部２７は、評価対象レンズの眼鏡レンズのうち少なくとも一つの上記評価が基準より悪かった場合に、全ての評価対象レンズの眼鏡レンズの種類を変更してもよい。これにより、評価結果が良好になる眼鏡レンズの種類の対を柔軟に提案することができ、より装用者が求める装用感に近い眼鏡レンズの対を提案することができる。
【０２８２】
ステップＳ２２５において、設計部２７は、評価対象レンズである眼鏡レンズの個別最適化設計を行う。個別最適化設計では、光線追跡等による通常の最適化処理により、発注情報に含まれる装用者の処方データに適するように眼鏡レンズの形状が決定される。ステップＳ２２５が終了したら、ステップＳ２２６が開始される。ステップＳ２２６において、受注装置２の設計部２７は、眼鏡レンズの屈折力、非点収差等の光学特性が所定の条件を満たすかを判定する。ステップＳ２２６における所定の条件とは、累進屈折力レンズ等の眼鏡レンズで一般的に必要とされる、加入度分布や非点収差分布等が製品としての品質基準を満たしているかという条件である。この所定の条件が満たされる場合、設計部２７はステップＳ２２６を肯定判定し、設計処理を終了し、ステップＳ２３ａ（図３８参照）に進む。この所定の条件を満たさない場合、設計部２７はステップＳ２２６を否定判定し、最適化の初期条件や評価関数の重みなどの条件を少しだけ変えてからステップＳ２２５が開始されて再度、最適化設計が行われる。
【０２８３】
ステップＳ２３ａにおいて、受注装置２の通信部２３は、眼鏡レンズの評価結果を発注装置１ａに送信する（矢印Ａ８）。ステップＳ２３ａが終了したら、ステップＳ１４ａが開始される。ステップＳ１４ａにおいて、発注装置１ａの通信部１３は、眼鏡レンズの評価結果を受信する。ステップＳ１４ａが終了したら、ステップＳ１５ａが開始される。
【０２８４】
ステップＳ１５ａにおいて、発注装置１１ａの評価表示制御部１７が眼鏡レンズの評価結果を表示部１４等に表示し、ユーザが眼鏡レンズの評価結果を確認し、ステップＳ２２ａで決定された基本設計を持つ眼鏡レンズまたは他の眼鏡レンズを装用者が装用する眼鏡レンズとして決定するか否かを判定する。眼鏡レンズが決定されない場合、ステップＳ１５ａは否定判定されステップＳ１１ａに戻る。眼鏡レンズが決定される場合、ステップＳ１５ａは肯定判定されステップＳ１６ａが開始される。ステップＳ１６ａにおいて、ユーザにより決定された眼鏡レンズが発注装置１ａの入力部１５を介して入力され、発注装置１ａの通信部１３は決定された眼鏡レンズの情報（決定情報）を受注装置２に送信する（矢印Ａ９）。ステップＳ１６ａが終了したら、ステップＳ２４ａが開始される。ステップＳ２４ａにおいて、受注装置２の通信部２３は、決定情報を受信する。ステップＳ２４ａが終了したら、ステップＳ２５ａが開始される。なお、ここでユーザとは、発注者側で発注装置を操作している眼鏡レンズ販売店の販売員や、望ましくは購入を予定している装用者のことである。
【０２８５】
ステップＳ２５ａにおいて、決定情報に基づいて、決定された眼鏡レンズが加工される。眼鏡レンズの加工の方法は、上述の実施形態の眼鏡レンズの製造方法の流れを示すフローチャート（図３３）のステップＳ２３と同様なため説明を省略する。
なお、受注装置２において、発注装置１から発注情報を受信する処理、受信した発注情報に基づいて眼鏡レンズを設計する処理、眼鏡レンズの設計データを加工機制御装置３に出力する処理については、受注装置２の制御部２１が、記憶部２２に予めインストールされた所定のプログラムを実行することによって行う。
【０２８６】
なお、本変形例での評価部３００による評価および設計部２７による評価は、装用感情報を適宜利用しない構成で行ってもよい。設計部２７は、上述の実施形態の眼鏡レンズの評価方法による眼鏡レンズの評価に基づいて、装用感の違いが小さくなるように眼鏡レンズの種類を選択して基本設計を決定することができる。これにより、例えば眼鏡レンズを今まで装用していたレンズから新しい眼鏡レンズに切り替える場合や、ファッションやその日の気分で眼鏡レンズを使い分ける場合に、違和感の小さい眼鏡レンズを提供することができる。
【０２８７】
また、本変形例の眼鏡レンズの選択方法において、評価部３００による評価は、装用者の処方データに基づいてレンズ面の形状が個別最適化設計された後の眼鏡レンズについて行われてもよいし、対象レンズおよび評価対象レンズの眼鏡レンズの残存収差について行われてもよい。これにより、装用者の処方に基づき、実際に提供される眼鏡レンズにより近い眼鏡レンズの光学特性データに基づいて精密に評価を行うことができる。また、評価部３００による評価は、装用者の処方データと基本設計のそれぞれについて行われてもよい。これにより、基本設計の光学特性データとともに、装用者の処方データにも基づいて精密に評価を行うことができる。
【０２８８】
本変形例の眼鏡レンズの設計方法は、上述の眼鏡レンズの評価方法による評価に基づいて眼鏡レンズを設計してもよい。これにより、装用感の違いに基づいて装用者に適した眼鏡レンズを提供することができる。
なお、本変形例のように評価部３００による評価を眼鏡レンズの種類および基本設計の決定に用いる他、評価部３００による評価を利用して眼鏡レンズの種類および基本設計を決定することができればその決定方法は特に限定されない。
【０２８９】
（変形例６）
上述の実施形態において評価部３００による評価を表示部２４０に表示する際、評価対象レンズの使用目的に基づいて表示方法を変えてもよい。以下では、眼鏡レンズを今まで装用していたレンズから新しいレンズに切り替える場合を使用目的１とし、ファッションやその日の気分等により複数の眼鏡レンズを併用し、当該眼鏡レンズの光学特性を異ならせる必要が無い場合を使用目的２とし、遠近両用や中近両用等、光学特性の違いにより複数の眼鏡レンズを併用する場合を使用目的３とする。
【０２９０】
図４１は、本変形例での評価部３００による評価を表示する画像の一例を示す図である。表示画像Ｄｉ４は画像作成部２１２により作成される。個別特性指標算出部３１０は、上記の使用目的１〜３のそれぞれの場合について個別加入度特性指標ＰＡＩＲ＿ａｄｄおよび個別明視域指標ＰＡＩＲ＿ｒａｎｇｅを算出する。表示画像Ｄｉ４において、表示画像Ｄｉ３と同一の内容を表す部分については同一の符号で参照し、適宜説明を省略する。
【０２９１】
表示画像Ｄｉ４は、処方特性、ゆがみ特性および揺れ特性についての評価軸Ａｘｐ、ＡｘｄおよびＡｘｙに加え、使用目的１、２および３のそれぞれについての加入度特性評価軸Ａｘａ１、Ａｘａ２およびＡｘａ３、ならびに、使用目的１、２および３のそれぞれについての明視域の広さ評価軸Ａｘｗ１、Ａｘｗ２およびＡｘｗ３を含む。
【０２９２】
使用目的１、２および３のそれぞれの場合についての個別加入度特性指標ＰＡＩＲ＿ａｄｄは、それぞれ加入度特性評価軸Ａｘａ１、Ａｘａ２およびＡｘａ３上のマークＰａ１、Ｐａ２およびＰａ３により示されている。使用目的１、２および３のそれぞれの場合についての個別明視域指標ＰＡＩＲ＿ｒａｎｇｅは、それぞれ明視域の広さ評価軸Ａｘｗ１、Ａｘｗ２およびＡｘｗ３上のマークＰｗ１、Ｐｗ２およびＰｗ３により示されている。
【０２９３】
Ｐａ１、Ｐａ２およびＰａ３ならびにマークＰｗ１、Ｐｗ２およびＰｗ３は、評価線Ｌｅにより結ばれている。表示画像Ｄｉ４を見た販売員または装用者等は、評価線Ｌｅを見ることにより、視覚的に個別特性指標のそれぞれの値を捉えることができ、それぞれの使用目的についての評価対象レンズの評価を容易に理解することができる。使用目的ごとの個別特性指標を用いた評価は、装用者や販売員等誰に対して表示してもよい。しかし、各個別特性指標に対応する光学特性を理解している人間、特に眼鏡レンズの販売員等に向けた表示画像とすることが好ましい。
【０２９４】
（変形例７）
評価装置２００の情報処理機能を実現するためのプログラムをコンピュータ読み取り可能な記録媒体に記録して、この記録媒体に記録された、上述した指標算出処理等の評価処理および表示処理ならびにそれに関連する処理の制御に関するプログラムをコンピュータシステムに読み込ませ、実行させてもよい。なお、ここでいう「コンピュータシステム」とは、ＯＳ（Ｏｐｅｒａｔｉｎｇ  Ｓｙｓｔｅｍ）や周辺機器のハードウェアを含むものとする。また、「コンピュータ読み取り可能な記録媒体」とは、フレキシブルディスク、光磁気ディスク、光ディスク、メモリカード等の可搬型記録媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持するものを含んでもよい。また上記のプログラムは、前述した機能の一部を実現するためのものであってもよく、さらに前述した機能をコンピュータシステムにすでに記録されているプログラムとの組み合わせにより実現するものであってもよい。
【０２９５】
また、パーソナルコンピュータ（以下、ＰＣと記載）等に適用する場合、上述した制御に関するプログラムは、ＣＤ−ＲＯＭ、ＤＶＤ−ＲＯＭ等の記録媒体やインターネット等のデータ信号を通じて提供することができる。図４２はその様子を示す図である。ＰＣ９５０は、ＣＤ−ＲＯＭ９５３を介してプログラムの提供を受ける。また、ＰＣ９５０は通信回線９５１との接続機能を有する。コンピュータ９５２は上記プログラムを提供するサーバーコンピュータであり、ハードディスク等の記録媒体にプログラムを格納する。通信回線９５１は、インターネット、パソコン通信などの通信回線、あるいは専用通信回線などである。コンピュータ９５２はハードディスクを使用してプログラムを読み出し、通信回線９５１を介してプログラムをＰＣ９５０に送信する。すなわち、プログラムをデータ信号として搬送波により搬送して、通信回線９５１を介して送信する。このように、プログラムは、記録媒体や搬送波などの種々の形態のコンピュータ読み込み可能なコンピュータプログラム製品として供給できる。
【０２９６】
上述した情報処理機能を実現するためのプログラムとして、複数の対象レンズの光学特性についてのデータを取得するデータ取得処理と、複数の対象レンズにおける光学特性がどの程度類似しているかまたはどの程度異なっているかに基づいて、複数の対象レンズの間の装用感の違いを示す個別特性指標および／または統合特性指標を算出する指標算出処理とを処理装置に行わせるためのプログラムが含まれる。
【０２９７】
（変形例８）
上述の実施形態では、販売者側において眼鏡レンズを選択する際に評価装置２００による評価を利用する例を示したが、眼鏡レンズ製造業者等が、処方に依存しない眼鏡レンズの基本設計を設計する場合に当該評価を利用してもよい。本変形例では、上述の実施形態の眼鏡レンズの評価方法による評価に基づいて眼鏡レンズが設計される。
【０２９８】
図４３は、本変形例の眼鏡レンズの設計方法の流れを示すフローチャートである。以下では、眼鏡レンズ製造者側に配置された受注装置２の設計部２７（図３７）により基本設計を設計するものとするが、設計装置は受注装置と一体化したものでなくともよく、任意の設計装置を用いて眼鏡レンズを設計することができる。また、以下では、設計部２７が既存の眼鏡レンズを比較対象として改良した眼鏡レンズを設計する例を示すが、全く新しい眼鏡レンズを設計してもよく、さらに比較対象とする眼鏡レンズは任意に設定することができる。
なお、基本設計の他、処方を反映した眼鏡レンズの形状を決定する場合にも本変形例と同様に設計を行うことができる。
【０２９９】
ステップＳ３０１において、設計部２７は、眼鏡レンズを設計する。このとき、既存の眼鏡レンズの基本設計の設計データに変更を加えた、光学特性データを含む設計データを作成する。この設計データの変更の方法は特に限定されず、所定の評価関数が好ましい値に変化するようにパラメータを変化させる等、予め定められたアルゴリズム等に基づいて適宜設定される。ステップＳ３０１が終了したら、ステップＳ３０２が開始される。
【０３００】
ステップＳ３０２において、設計部２７は、比較対象となる眼鏡レンズの光学特性データを取得する。この例では、比較対象となる眼鏡レンズとして、既存の眼鏡レンズを用いる。設計部２７は、受注装置２の記憶部２２等に記憶されている既存の眼鏡レンズの光学特性データを取得する。ステップＳ３０１およびＳ３０２において取得された光学特性のデータは、評価装置２００に送信される。ステップＳ３０２が終了したら、ステップＳ３０３が開始される。
【０３０１】
ステップＳ３０３において、ステップＳ３０１およびＳ３０２において光学特性データが取得された眼鏡レンズについて、評価装置２００の評価部３００は、ステップＳ１１１（図３４）からステップＳ１１４の方法により、装用感の違いを示す指標を算出する。ただし、基本設計について評価する場合は、処方についての指標は除く。装用感情報は、例えば想定される装用者の求める装用感に基づいて設定されたものを用いてもよいし、装用感情報を利用せずに評価を行ってもよい。ここでは、評価部３００は、既存の眼鏡レンズとステップＳ３０１で設計した眼鏡レンズとを対象レンズとし、ステップＳ３０１で設計した眼鏡レンズを評価対象レンズとして評価を行う。ステップＳ３０３が終了したら、ステップＳ３０４が開始される。
なお、評価部３００は、装用感の違いが小さい場合に好ましい値となるよう評価対象レンズの評価を行うことができる。その場合、評価部３００による眼鏡レンズの評価に基づいて、設計部２７は、比較対象のレンズと比べ、装用感の違いが小さくなるように眼鏡レンズを設計することができる。これにより、例えば既存の眼鏡レンズと掛け替えの際に違和感の少ない眼鏡レンズを設計することができる。
【０３０２】
ステップＳ３０４において、評価部３００は、ステップＳ３０３で算出された指標が所定の条件を満たすか否かを判定する。この所定の条件とは、例えば統合特性指標が０．５以下である等、適宜予め設定される。評価部３００は、所定の条件を満たす場合、ステップＳ３０４を肯定判定し、評価が予め設定された条件を満たしたことについての情報を受注装置２に送信する。受注装置２は当該情報を受信するとステップＳ３０１で設計した眼鏡レンズの基本設計を設計データとして眼鏡レンズの設計を終了する。評価部３００は、所定の条件が満たされない場合、ステップＳ３０４を否定判定し、評価が予め設定された条件を満たさなかったことについての情報を受注装置２に送信し、ステップＳ３０１に戻って設計部２７は再設計を行う。
【０３０３】
（変形例９）
上述の変形例では、既存の眼鏡レンズとの比較により新しい眼鏡レンズを設計する例を示したが、複数の眼鏡レンズを、これらの眼鏡レンズの間の装用感の違いの評価に基づいて設計することもできる。設計する複数の眼鏡レンズとしては、例えば遠近両用レンズおよび中近両用レンズとすることが好ましいが、これに限定されない。
【０３０４】
図４４は、本変形例の眼鏡レンズの設計方法の流れを示すフローチャートである。以下では、眼鏡レンズ製造者側に配置された受注装置２の設計部２７（図３７）により複数の眼鏡レンズの基本設計を設計するものとするが、設計装置は受注装置と一体化したものでなくともよく、任意の設計装置を用いて眼鏡レンズを設計することができる。
なお、基本設計の他、処方を反映した眼鏡レンズの形状を決定する場合にも本変形例と同様に設計を行うことができる。
【０３０５】
ステップＳ４０１において、設計部２７は、複数の眼鏡レンズを設計し、当該眼鏡レンズの光学特性データを取得する。設計部２７は、所定の評価関数が好ましい値に変化するようにパラメータを変化させる等、予め定められたアルゴリズム等に基づいて複数の眼鏡レンズを設計する。ステップＳ４０３からＳ４０１へ戻った後再設計を行う場合は、再設計後の個別特性指標または統合特性指標が最小となるように、例えば統合特性指標および／または個別特性指標の目標値と設計値との差についての最小二乗法等に基づいて自動修正されることが好ましい。ここで、自動修正される過程で装用感の違いを示す指標が必要な場合は、内部的に適宜に評価装置２００と送受信を行い、評価装置２００の評価部３００が、ステップＳ１１１（図３４）からステップＳ１１４の方法により算出した、装用感の違いを示す指標を使う。装用感情報は、例えば想定する装用者の求める装用感に基づいて設定されたものを用いてもよいし、装用感情報を利用せずに評価を行ってもよい。ここでは、評価部３００は、自動設計している複数の眼鏡レンズを対象レンズとし、かつ評価対象レンズとして評価を行う。これにより、比較的設計値がばらつくような、自由度の高い設計パラメータについても、個別特性指標または統合特性指標が相乗的に高くなるような評価関数を設けることで、効率よく、良い設計解を得ることができる。ステップＳ４０１が終了したら、ステップＳ４０２が開始される。
【０３０６】
ステップＳ４０２において、ステップＳ４０１において光学特性データが取得された複数の眼鏡レンズについて、当該光学特性データが評価装置２００に送信され、評価装置２００の評価部３００は、ステップＳ１１１（図３４）からステップＳ１１４の方法により、装用感の違いを示す指標を算出する。装用感情報は、例えば想定する装用者の求める装用感に基づいて設定されたものを用いてもよいし、装用感情報を利用せずに評価を行ってもよい。ここでは、評価部３００は、ステップＳ４０１で設計した複数の眼鏡レンズを対象レンズとし、かつ評価対象レンズとして評価を行う。ステップＳ４０２が終了したら、ステップＳ４０３が開始される。
【０３０７】
ステップＳ４０３において、評価部３００は、ステップＳ４０２で算出された指標が所定の条件を満たすか否かを判定する。この所定の条件とは、例えば複数の眼鏡レンズの全てにおいて統合特性指標が０．５以下である等、適宜予め設定される。評価部３００は、所定の条件を満たす場合、ステップＳ４０３を肯定判定し、評価が予め設定された条件を満たしたことについての情報を受注装置２に送信する。受注装置２は当該情報を受信するとステップＳ４０１で設計した眼鏡レンズの基本設計を設計データとして記憶部２２に記憶し眼鏡レンズの設計を終了する。評価部３００は、所定の条件が満たされない場合、ステップＳ４０３を否定判定し、評価が予め設定された条件を満たさなかったことについての情報を受注装置２に送信し、ステップＳ４０１に戻って設計部２７は再設計を行う。
なお、ステップＳ４０３が肯定判定され基本設計が完了した後、得られた設計データに対応する評価部３００による評価を、販売者側の発注装置や電子計算機等に送信して記憶しておくことが好ましい。これにより、予め得られた評価に基づいて、装用者や販売員等に迅速に眼鏡レンズの評価についての情報を提供することができる。
【０３０８】
本変形例の眼鏡レンズの設計方法において、設計部２７は、設計する複数の眼鏡レンズのうち少なくとも一つの評価が基準より悪かった場合に、設計する全ての眼鏡レンズを再設計してもよい。これにより、一部の眼鏡レンズのみを再設計する場合に比べて、効率よく装用感の違いに基づいた眼鏡レンズを設計することができる。
【実施例】
【０３０９】
以下では、具体的な数値に基づいた実施例を示すが、本発明はこれらの数値により限定されるものではない。【０３１０】
眼鏡レンズの装用者Ｗは、１年前の検眼において、老視のため調節力が１Ｄであると測定され、遠近両用の累進屈折力レンズである眼鏡レンズａを購入し、現在も装用している。今回、近方がより楽に、眼鏡レンズの広い範囲を通して見えることを期待して中近両用の累進屈折力レンズである眼鏡レンズｂまたはｃを眼鏡店で購入しようとしている。【０３１１】
装用者Ｗの今回の検眼において、両眼とも完全矯正での遠方視力は１．２と測定され、乱視度数が０．１２５Ｄほどマイナス側に強くなっていた。調節力を含めた他の処方は全く変わりなかった。装用者Ｗは、中近両用の累進屈折力レンズの購入について眼科医や眼鏡店の販売員と相談した。その結果、装用者Ｗは、老視がある程度進んでいるので中近両用の累進屈折力レンズには遠近両用の累進屈折力レンズである眼鏡レンズａほどの遠方の見やすさは期待しないこととした。装用者Ｗは、遠方を見るときに視線が通過する眼鏡レンズ上の位置を多少高めに変えることでほぼ同じ視力が得られれば良いとし、中間から近方の見やすさを重視することとした。【０３１２】
図４５（Ａ）、図４５（Ｂ）、図４６（Ａ）および図４６（Ｂ）は、それぞれ眼鏡レンズａの加入度の分布と、明視度ＣＶの分布と、非点収差の分布と、主注視線上の加入度とを示す図である。各分布を示す図（以下、分布図と呼ぶ）はアイポイントを中心に直径５０ｍｍの範囲で描いている。等高線は加入度分布および非点収差分布で０．５Ｄ間隔、明視度の分布で０．２５Ｄ間隔の各値に対応している。分布図中の環状で示された部分は上から順に遠用参照点、アイポイント、近用参照点の位置を示している。ここで加入度と非点収差は、全て装用者Ｗの今回の検眼結果での処方に依存する成分を取り除いた、眼鏡レンズの製品としての特徴を表す残存収差であり、明視度ＣＶはこれらから算出されたものである。分布図の描き方についての上記説明は眼鏡レンズｂおよびｃの分布図においても同様である。眼鏡レンズａは公称加入度が２Ｄであり、アイポイントを基準に遠用参照点は５ｍｍの高さにあり、近用参照点は−１４ｍｍの高さにある。【０３１３】
図４７（Ａ）、図４７（Ｂ）、図４８（Ａ）および図４８（Ｂ）は、それぞれ眼鏡レンズｂの加入度の分布と、明視度ＣＶの分布と、非点収差の分布と、主注視線上の加入度とを示す図である。眼鏡レンズｂは公称加入度が２Ｄであり、アイポイントを基準に遠用参照点は１０ｍｍの高さにあり、近用参照点は−１４ｍｍの高さにある。【０３１４】
図４９（Ａ）、図４９（Ｂ）、図５０（Ａ）および図５０（Ｂ）は、それぞれ眼鏡レンズｃの加入度の分布と、明視度ＣＶの分布と、非点収差の分布と、主注視線上の加入度とを示す図である。眼鏡レンズｃは公称加入度が２Ｄであり、アイポイントを基準に遠用参照点は１０ｍｍの高さにあり、近用参照点は−１４ｍｍの高さにある。【０３１５】
（加入度に関する個別特性指標の算出）
以下では、個別加入度指標ＰＡＩＲ＿ａｄｄを算出する。遠用参照点での見え方についての装用者Ｗの優先度は「中」に相当する。眼鏡レンズａの遠用参照点の位置での眼鏡レンズｂの加入度ΔＡｄｄｆ＿ａｂは０．４０Ｄで、眼鏡レンズｂの遠用参照点の位置での眼鏡レンズａの加入度ΔＡｄｄｆ＿ｂａは−０．０７Ｄである。従って、眼鏡レンズａを基準とした予備遠用部加入度指標ＰＡＩＲ＿ａｄｄ＿ｆａｒ＿ａｂおよび眼鏡レンズｂを基準とした予備遠用部加入度指標ＰＡＩＲ＿ａｄｄ＿ｆａｒ＿ｂａは、図３６のグラフに基づいて以下ののように算出された。
ＰＡＩＲ_ａｄｄ_ｆａｒ_ａｂ ＝ ０．３
ＰＡＩＲ_ａｄｄ_ｆａｒ_ｂａ ＝ ０【０３１６】
眼鏡レンズにおけるアイポイントよりも下方の領域については、装用者Ｗは遠近両用の眼鏡レンズａと中近両用の新しい眼鏡レンズｂまたはｃとで異なる見え方を期待している。上述の眼鏡レンズの評価方法により、片方の眼鏡レンズによるピントが合う距離範囲に対する両方の眼鏡レンズによるピントが合う距離範囲の比率に基づいて比率加入度特性値Ｒａｄｄが算出された。【０３１７】
アイポイントについてのピントが合う距離範囲の比率Ｒａｄｄ１、アイポイントを基準に−５ｍｍの高さについてのピントが合う距離範囲の比率Ｒａｄｄ２、アイポイントを基準に−１０ｍｍの高さについてのピントが合う距離範囲の比率Ｒａｄｄ３は、以下のように算出された。
Ｒａｄｄ１ ＝ １．８３
Ｒａｄｄ２ ＝ １．６０
Ｒａｄｄ３ ＝ １．２９
Ｒａｄｄ１，Ｒａｄｄ２およびＲａｄｄ３に対応するそれぞれの重みＷａｄｄ１、Ｗａｄｄ２およびＷａｄｄ３は、上述の実施形態と同様に以下のように算出された。
Ｗａｄｄ１  ＝  １
Ｗａｄｄ２  ＝  ０．６４
Ｗａｄｄ３  ＝  ０．２９【０３１８】
比率加入度特性値Ｒａｄｄは、ピントが合う距離範囲の比率Ｒａｄｄ１、Ｒａｄｄ２およびＲａｄｄ３ならびにこれらそれぞれの重みＷａｄｄ１、Ｗａｄｄ２およびＷａｄｄ３に基づいて以下のように算出された。
Ｒａｄｄ＝Ｓｑｒｔ（（Ｗａｄｄ１＊Ｒａｄｄ１＾２＋Ｗａｄｄ２＊Ｒａｄｄ２＾２＋Ｗａｄｄ３＊Ｒａｄｄ３＾２ ）／（Ｗａｄｄ１＋Ｗａｄｄ２＋Ｗａｄｄ３ ））
＝Ｓｑｒｔ（（１＊１．８３＾２＋０．６４＊１．６０＾２＋０．２９＊１．２９＾２）／（１ ＋ ０．６４ ＋ ０．２９））
＝１．６８【０３１９】
予備比率加入度指標ＰＡＩＲ＿ａｄｄ＿ｕｎｄｅｒｅｐは、図８のグラフに基づいて、以下のように算出された。
ＰＡＩＲ_ａｄｄ_ｕｎｄｅｒｅｐ ＝ ０．３２
個別加入度指標ＰＡＩＲ＿ａｄｄは、以下のように算出された。
ＰＡＩＲ_ａｄｄ＝Ｍａｘ（ＰＡＩＲ_ａｄｄ_ｆａｒ_ａｂ，ＰＡＩＲ_ａｄｄ_ｆａｒ_ｂａ，ＰＡＩＲ_ａｄｄ_ｕｎｄｅｒｅｐ ）
＝Ｍａｘ（０．３，０，０．３２）
＝０．３２【０３２０】
同様に、眼鏡レンズｃについて、眼鏡レンズａを基準とした予備遠用部加入度指標ＰＡＩＲ_ａｄｄ_ｆａｒ_ａｃおよび眼鏡レンズｃを基準とした予備遠用部加入度指標ＰＡＩＲ_ａｄｄ_ｆａｒ_ｃａは、以下のように算出された。
ＰＡＩＲ_ａｄｄ_ｆａｒ_ａｃ ＝ ０．３４
ＰＡＩＲ_ａｄｄ_ｆａｒ_ｃａ ＝ ０
眼鏡レンズｃについて、比率加入度特性値Ｒａｄｄおよび予備比率加入度指標ＰＡＩＲ_ａｄｄ_ｕｎｄｅｒｅｐは、以下のように算出された。
Ｒａｄｄ ＝ １．８２
ＰＡＩＲ_ａｄｄ_ｕｎｄｅｒｅｐ ＝ ０．１８
以上から、眼鏡レンズｃについて、個別加入度指標ＰＡＩＲ＿ａｄｄは、以下のように算出された。
ＰＡＩＲ_ａｄｄ＝Ｍａｘ（０．３４，０，０．１８）＝０．３４【０３２１】
眼鏡レンズａとｂについての個別加入度指標ＰＡＩＲ＿ａｄｄは０．３２であり、眼鏡レンズａとｃについての個別加入度指標ＰＡＩＲ＿ａｄｄは０．３４であり、加入度の特性については眼鏡レンズａとｂとの組み合わせの方が併用により適することがわかった。【０３２２】
（明視域の広さに関する個別特性指標の算出）
以下では、個別明視域指標ＰＡＩＲ＿ｒａｎｇｅを算出する。眼鏡レンズａとｂの遠用参照点の位置を比較すると、より低い位置はアイポイントを基準に上方５ｍｍの位置（以下、遠用部位置と呼ぶ）であった。眼鏡レンズａとｂの近用参照点の位置を比較すると、より高い位置はアイポイントを基準に１４ｍｍ下方の位置（以下、近用部位置）であった。そして、主注視線上の加入度が公称加入度の５０％になる位置（以下中間部位置と呼ぶ）は、眼鏡レンズａではアイポイントの６ｍｍ下方の位置であり、眼鏡レンズｂではアイポイントの位置（０ｍｍ）である。装用者Ｗの完全矯正での遠方視力Ｖは１．２であるので、明視度の閾値ＣＶｌｉｍｉｔは以下のように算出された。
ＣＶｌｉｍｉｔ＝（０．４／Ｖ＋０．６）／２＝（０．４／１．２＋０．６）／２＝ ０．４６７【０３２３】
図５１、図５２および図５３は、それぞれ眼鏡レンズａ、ｂおよびｃにおける、遠用部位置（図中「遠用部」に対応）、中間部位置（図中「中間部」に対応）および近用部位置（図中「近用部」に対応）の高さにおける明視度ＣＶと、閾値ＣＶｌｉｍｉｔの値を示す図である。【０３２４】
遠用部位置における眼鏡レンズａおよびｂの明視域の幅Ｗｃｖ１ａおよびＷｃｖ１ｂは、図５１および図５２における遠用部のＣＶがＣＶｌｉｍｉｔ以下となる幅により算出された。中間部位置における眼鏡レンズａおよびｂの明視域の幅ＷｃｖｍａおよびＷｃｖｍｂ、ならびに近用部位置における眼鏡レンズａおよびｂの明視域の幅Ｗｃｖ３ａおよびＷｃｖ３ｂについても同様である。これらの値から、眼鏡レンズａおよびｂの明視域の幅の比率Ｒｗｃｖ１、Ｒｗｃｖ２およびＲｗｃｖ３は以下のように算出された。
Ｒｗｃｖ１＝Ｗｃｖ１ｂ／Ｗｃｖ１ａ＝１３．６／１７．０＝０．８０
Ｒｗｃｖ２＝Ｗｃｖｍａ／Ｗｃｖｍｂ ＝１０．０／１１．８＝０．８５
Ｒｗｃｖ３＝Ｗｃｖ３ａ／Ｗｃｖ３ｂ ＝１１．０／１６．１＝０．６８【０３２５】
眼鏡レンズａおよびｂの明視域の幅の比率Ｒｗｃｖ１、Ｒｗｃｖ２およびＲｗｃｖ３の二乗の算術平均の平方根から、明視域特性値Ｒｗｃｖは、以下のように算出された。
Ｒｗｃｖ ＝ ０．７８
この明視域特性値Ｒｗｃｖから、図１２のグラフに基づいて、個別明視域指標ＰＡＩＲ＿ｒａｎｇｅが、以下のように算出された。
ＰＡＩＲ_ｒａｎｇｅ ＝ ０．３５【０３２６】
同様に、眼鏡レンズａとｃについては、図５１および図５３から、眼鏡レンズａおよびｃの明視域の幅の比率Ｒｗｃｖ１、Ｒｗｃｖ２およびＲｗｃｖ３は以下のように算出された。
Ｒｗｃｖ１＝Ｗｃｖ１ｃ／Ｗｃｖ１ａ＝１０．７／１７．０＝０．６３
Ｒｗｃｖ２＝Ｗｃｖｍａ／Ｗｃｖｍｃ＝１０．０／８．６＝１．１６
Ｒｗｃｖ３＝Ｗｃｖ３ａ／Ｗｃｖ３ｃ＝１１．０／１０．６＝１．０４【０３２７】
眼鏡レンズａおよびｃの明視域の幅の比率Ｒｗｃｖ１、Ｒｗｃｖ２およびＲｗｃｖ３の二乗の算術平均の平方根から、明視域特性値Ｒｗｃｖは、以下のように算出された。
Ｒｗｃｖ ＝ ０．９７
この明視域特性値Ｒｗｃｖから、図１２のグラフに基づいて、個別明視域指標ＰＡＩＲ＿ｒａｎｇｅが、以下のように算出された。
ＰＡＩＲ_ｒａｎｇｅ ＝ ０．８５【０３２８】
眼鏡レンズａとｂの個別明視域指標ＰＡＩＲ＿ｒａｎｇｅは０．３５であり、眼鏡レンズａとｃの個別明視域指標ＰＡＩＲ＿ｒａｎｇｅは０．８５であり、明視域の広さについては眼鏡レンズａとｂの組合せの方が併用により適することがわかる。【０３２９】
（ゆがみに関する個別特性指標の算出）
以下では、個別ゆがみ指標ＰＡＩＲ＿ｄｉｓを算出する。【０３３０】
図５４は、正方格子の各点と、眼鏡レンズａを通してこの正方格子を見たと仮定した場合に算出された網膜像における当該各点の位置を示す図である。上端点Ｆｏおよび下端点Ｎｏは、中心点Ｅｏと眼の回旋中心を結ぶ線から上に２５度、下に２５度の方向に位置する。図５２で符号が示された各点は中心点Ｅｏと上端点Ｆｏの距離が１になるように規格化された位置に配置されている。【０３３１】
白抜きの四角は、眼鏡レンズから１ｍの距離にある正方格子上の９つの格子点（遠用左側格子点Ｆｌｇ、中間左側格子点Ｅｌｇ、近用左側格子点Ｎｌｇ、上端点Ｆｏ、中心点Ｅｏ、下端点Ｎｏ、遠用右側格子点Ｆｒｇ、中間右側格子点Ｅｒｇおよび近用右側格子点Ｎｒｇ）の位置を示している。【０３３２】
遠用左側像点Ｆｌａは、遠用左側格子点Ｆｌｇを眼鏡レンズａを通して見たときに装用者Ｗにとって見える像点の位置を示している。同様に、中間左側像点Ｅｌａ、近用左側像点Ｎｌａ、上端対応点Ｆａ、中心対応点Ｅａ、下端対応点Ｎａ、遠用右側像点Ｆｒａ、中間右側像点Ｅｒａおよび近用右側像点Ｎｒａは、それぞれ中間左側格子点Ｅｌｇ、近用左側格子点Ｎｌｇ、上端点Ｆｏ、中心点Ｅｏ、下端点Ｎｏ、遠用右側格子点Ｆｒｇ、中間右側格子点Ｅｒｇおよび近用右側格子点Ｎｒｇを眼鏡レンズａを通して見たときに装用者Ｗにとって見える像点の位置を示している。【０３３３】
図５４において、上側の６つの像点Ｆｌａ，Ｆａ，Ｆｒａ，Ｅｒａ，ＥａおよびＥｌａで囲まれる領域の面積（上側面積）Ｓｆａは、上端点Ｆａの高さをＦａＨとしてこの値により規格化すると、以下のように算出された。
Ｓｆａ＝２．２５５／ＦａＨ＾２＝２．２５５／１．０５１＾２＝２．０４２
そして、下側の６つの像点Ｎｌａ，Ｎａ，Ｎｒａ，Ｅｒａ，ＥａおよびＥｌａで囲まれる領域の面積（下側面積）Ｓｎａは、下端点Ｎａの高さをＮａＨとしてこの値により規格化すると、以下のように算出された。
Ｓｎａ＝２．４３１／ＮａＨ＾２＝２．４３１／１．０９１＾２＝２．０４１【０３３４】
図５５は、正方格子の各点と、眼鏡レンズｂを通してこの正方格子を見たと仮定した場合に算出された網膜像における当該各点の位置を示す図である。遠用左側像点Ｆｌｂは、遠用左側格子点Ｆｌｇを眼鏡レンズｂを通して見たときに装用者Ｗにとって見える像点の位置を示している。同様に、中間左側像点Ｅｌｂ、近用左側像点Ｎｌｂ、上端対応点Ｆｂ、中心対応点Ｅｂ、下端対応点Ｎｂ、遠用右側像点Ｆｒｂ、中間右側像点Ｅｒｂおよび近用右側像点Ｎｒｂは、それぞれ中間左側格子点Ｅｌｇ、近用左側格子点Ｎｌｇ、上端点Ｆｏ、中心点Ｅｏ、下端点Ｎｏ、遠用右側格子点Ｆｒｇ、中間右側格子点Ｅｒｇおよび近用右側格子点Ｎｒｇを眼鏡レンズｂを通して見たときに装用者Ｗにとって見える像点の位置を示している。【０３３５】
図５５において、上側の６つの像点Ｆｌｂ，Ｆｂ，Ｆｒｂ，Ｅｒｂ，ＥｂおよびＥｌｂで囲まれる領域の面積（上側面積）Ｓｆｂは、上端点Ｆｂの高さをＦｂＨとしてこの値により規格化すると、以下のように算出された。
Ｓｆｂ＝２．２６０／ＦｂＨ＾２＝２．２６０／１．０５１＾２＝２．０４５
そして、下側の６つの像点Ｎｌｂ，Ｎｂ，Ｎｒｂ，Ｅｒｂ，ＥｂおよびＥｌｂで囲まれる領域の面積（下側面積）Ｓｎｂは、下端点Ｎｂの高さをＮｂＨとしてこの値により規格化すると、以下のように算出された。
Ｓｎｂ＝２．４７８／ＮｂＨ＾２＝２．４７８／１．１１２＾２＝２．００４【０３３６】
眼鏡レンズの上側部分のゆがみ特性値Ｒｆは、眼鏡レンズａについての上側面積Ｓｆａと、眼鏡レンズｂについての上側面積Ｓｆｂとから、以下のように算出される。
Ｒｆ＝Ｍａｘ（Ｓｆａ，Ｓｆｂ）／Ｍｉｎ（Ｓｆａ，Ｓｆｂ）＝２．０４５／２．０４２ ＝ １．００１
眼鏡レンズの下側部分のゆがみ特性値Ｒｎは、眼鏡レンズａについての下側面積Ｓｎａと、眼鏡レンズｂについての下側面積Ｓｎｂとから、以下のように算出される。
Ｒｎ＝Ｍａｘ（Ｓｎａ，Ｓｎｂ）／Ｍｉｎ（Ｓｎａ，Ｓｎｂ）＝２．０４１／２．００４＝ １．０１８【０３３７】
眼鏡レンズの上側部分のゆがみ特性値Ｒｆから、図１９に基づいて眼鏡レンズの上側部分の予備ゆがみ指標ＰＡＩＲ＿ｄｉｓ＿ｆａｒが以下のように算出された。
ＰＡＩＲ_ｄｉｓ_ｆａｒ ＝ ０．０２５
眼鏡レンズの下側部分のゆがみ特性値Ｒｎから、図２２に基づいて眼鏡レンズの下側部分の予備ゆがみ指標ＰＡＩＲ＿ｄｉｓ＿ｎｅａｒが以下のように算出された。
ＰＡＩＲ_ｄｉｓ_ｎｅａｒ ＝ ０．３５
個別ゆがみ指標ＰＡＩＲ＿ｄｉｓは、以下のように算出された。
ＰＡＩＲ_ｄｉｓ＝Ｍａｘ（ＰＡＩＲ_ｄｉｓ_ｆａｒ，ＰＡＩＲ_ｄｉｓ_ｎｅａｒ）＝０．３５【０３３８】
同様に、眼鏡レンズｃについての上側面積Ｓｆｃおよび下側面積Ｓｎｃは、以下のように算出された。
Ｓｆｃ＝２．２６４／ＦｃＨ＾２＝２．２６４／１．０５４＾２＝２．０３７
Ｓｎｃ＝２．４７３／ＮｃＨ＾２＝２．４７３／１．１１４＾２＝１．９９５
従って、眼鏡レンズａとｃについてのゆがみ特性値ＲｆおよびＲｎは以下のように算出された。
Ｒｆ＝Ｍａｘ（Ｓｆａ，Ｓｆｃ）／Ｍｉｎ（Ｓｆａ，Ｓｆｃ）＝２．０４２／２．０３７ ＝ １．００２
Ｒｎ＝Ｍａｘ（Ｓｎａ，Ｓｎｃ）／Ｍｉｎ（Ｓｎａ，Ｓｎｃ）＝２．０４１／１．９９５ ＝ １．０２３【０３３９】
眼鏡レンズａとｃについて、眼鏡レンズの上側部分の予備ゆがみ指標ＰＡＩＲ＿ｄｉｓ＿ｆａｒおよび眼鏡レンズの下側部分の予備ゆがみ指標ＰＡＩＲ＿ｄｉｓ＿ｎｅａｒが以下のように算出された。
ＰＡＩＲ_ｄｉｓ_ｆａｒ ＝ ０．０５
ＰＡＩＲ_ｄｉｓ_ｎｅａｒ ＝ ０．４１
個別ゆがみ指標ＰＡＩＲ＿ｄｉｓは、以下のように算出された。
ＰＡＩＲ_ｄｉｓ＝Ｍａｘ（ＰＡＩＲ_ｄｉｓ_ｆａｒ，ＰＡＩＲ_ｄｉｓ_ｎｅａｒ）＝０．４１【０３４０】
眼鏡レンズａとｂについての個別ゆがみ指標ＰＡＩＲ＿ｄｉｓは０．３５であり、眼鏡レンズａとｃの個別ゆがみ指標ＰＡＩＲ_ｄｉｓは０．４１であり、ゆがみ特性については眼鏡レンズａとｂとの組合せの方が併用により適することがわかる。【０３４１】
（揺れに関する個別特性指標の算出）
以下では、個別揺れ指標ＰＡＩＲ＿ｙｕｒｅを算出する。眼鏡レンズａおよびｂの近用参照点の位置は、いずれもアイポイントを原点として、高さが−１４ｍｍで、左右方向について鼻側に２ｍｍ寄った位置である。加入度分布から、近用参照点から左右方向に片側１０ｍｍずつの線分上において、眼鏡レンズａおよびｂのそれぞれの加入度の最大値と最小値の差ＰｏｗＰＰａおよびＰｏｗＰＰｂは、以下のように算出された。
ＰｏｗＰＰａ ＝ ０．６０
ＰｏｗＰＰｂ ＝ ０．５６
同じ線分上において、非点収差分布から、眼鏡レンズａおよびｂのそれぞれの非点収差の最大値と最小値の差ＡｓｔＰＰａおよびＡｓｔＰＰｂは、以下のように算出された。
ＡｓｔＰＰａ ＝ ０．８５
ＡｓｔＰＰｂ ＝ ０．６７【０３４２】
ＰｏｗＰＰａおよびＰｏｗＰＰｂ、ならびにＡｓｔＰＰａおよびＡｓｔＰＰｂから、眼鏡レンズａとｂについての揺れ特性値Ｙｕｒｅは、以下のように算出された。
Ｙｕｒｅ＝Ｓｑｒｔ（（（ＰｏｗＰＰａ−ＰｏｗＰＰｂ）＾２＋（ＡｓｔＰＰａ−ＡｓｔＰＰｂ）＾２）／２）
＝ Ｓｑｒｔ（（（０．６０−０．５６）＾２＋（０．８５−０．６７）＾２）／２）
＝ ０．１３
眼鏡レンズａとｂについての個別揺れ指標ＰＡＩＲ＿ｙｕｒｅは、揺れ特性値Ｙｕｒｅから、図２４に基づいて以下のように算出された。
ＰＡＩＲ_ｙｕｒｅ ＝ ０．２０【０３４３】
同様に、眼鏡レンズｃについて、上記線分上の加入度の最大値と最小値の差ＰｏｗＰＰｃおよび非点収差の最大値と最小値の差ＡｓｔＰＰｃは、以下のように算出された。
ＰｏｗＰＰｃ ＝ １．０１
ＡｓｔＰＰｃ ＝ １．５９
眼鏡レンズａとｃについての揺れ特性値Ｙｕｒｅは、以下のように算出された。
Ｙｕｒｅ＝Ｓｑｒｔ（（（ＰｏｗＰＰａ−ＰｏｗＰＰｃ）＾２＋（ＡｓｔＰＰａ−ＡｓｔＰＰｃ）＾２）／２
＝Ｓｑｒｔ（（（０．６０−１．０１）＾２＋（０．８５−１．５９）＾２）／２）
＝ ０．６０
眼鏡レンズａとｃについての個別揺れ指標ＰＡＩＲ＿ｙｕｒｅは、揺れ特性値Ｙｕｒｅから、図２４に基づいて以下のように算出された。
ＰＡＩＲ_ｙｕｒｅ ＝ ０．８０【０３４４】
眼鏡レンズａとｂの個別揺れ指標ＰＡＩＲ＿ｙｕｒｅは０．２０であり眼鏡レンズａとｃの個別揺れ指標ＰＡＩＲ＿ｙｕｒｅは０．８０であり、揺れ特性については眼鏡レンズａとｂとの組合せの方が併用により適することがわかる。【０３４５】
（処方に関する個別特性指標の算出）
以下では、個別処方指標ＰＡＩＲ＿ｐｒｅｓｃを算出する。第一に、完全矯正からの矯正誤差の程度が変わることで感じる違和感を評価する予備矯正誤差処方指標ＰＡＩＲ＿ｐｒｅｓｃ＿ｐを算出する。眼鏡レンズｂおよびｃはどちらも完全矯正であるが、眼鏡レンズａは、購入時からの装用者Ｗの乱視度数の変化により、現在では、完全矯正に対して乱視度数がマイナス側に０．１２５Ｄ弱くなっている。【０３４６】
眼鏡レンズａおよびｂの矯正度数について、球面度数についての予備矯正誤差処方指標ＰＡＩＲ＿ｐｒｅｓｃ＿ｐ＿ｓは、球面度数についての矯正誤差処方特性値ＳｒＭａｘが０Ｄであるため、以下のように算出された。
ＰＡＩＲ_ｐｒｅｓｃ_ｐ_ｓ ＝ ０
円柱度数についての予備矯正誤差処方指標ＰＡＩＲ＿ｐｒｅｓｃ＿ｐ＿ｃは、円柱度数についての矯正誤差処方特性値ＣｒＭａｘが０．１２５Ｄであるため、以下のように算出された。
ＰＡＩＲ_ｐｒｅｓｃ_ｐ_ｃ ＝ ０．２５
過矯正についての予備矯正誤差処方指標ＰＡＩＲ＿ｐｒｅｓｃ＿ｐ＿ｏｖｅｒは、過矯正についての矯正誤差処方特性値ＳＥｒＭａｘが０Ｄであるため、以下のように算出された。
ＰＡＩＲ_ｐｒｅｓｃ_ｐ_ｏｖｅｒ ＝ ０【０３４７】
予備矯正誤差処方指標ＰＡＩＲ＿ｐｒｅｓｃ＿ｐは、球面度数、円柱度数および過矯正についての予備矯正誤差処方指標ＰＡＩＲ＿ｐｒｅｓｃ＿ｐ＿ｓ、ＰＡＩＲ＿ｐｒｅｓｃ＿ｐ＿ｃおよびＰＡＩＲ＿ｐｒｅｓｃ＿ｐ＿ｏｖｅｒから、以下のように算出された。
ＰＡＩＲ_ｐｒｅｓｃ_ｐ＝Ｍａｘ（ＰＡＩＲ_ｐｒｅｓｃ_ｐ_ｓ，ＰＡＩＲ_ｐｒｅｓｃ_ｐ_ｃ，ＰＡＩＲ_ｐｒｅｓｃ_ｐ_ｏｖｅｒ）
＝Ｍａｘ（０，０．２５，０）＝０．２５
この値は眼鏡レンズａとｃの場合についても同じ値である。【０３４８】
次に、眼鏡の倍率が変わることで視界の見かけの大きさや形状が変わるために生じる違和感を評価する、予備眼鏡倍率処方指標ＰＡＩＲ＿ｐｒｅｓｃ＿ｄ＿ｃを算出する。眼鏡レンズａから眼鏡レンズｂに掛け替えたときに、眼鏡倍率処方特性値｜Ｃｄ｜は、０．１２５Ｄである。眼鏡倍率処方特性値｜Ｃｄ｜から、図２８のグラフに基づいて予備眼鏡倍率処方指標ＰＡＩＲ＿ｐｒｅｓｃ＿ｄ＿ｃは以下のように算出された。
ＰＡＩＲ_ｐｒｅｓｃ_ｄ_ｃ ＝ ０．１２５【０３４９】
算出された予備矯正誤差処方指標ＰＡＩＲ＿ｐｒｅｓｃ＿ｐおよび予備眼鏡倍率処方指標ＰＡＩＲ＿ｐｒｅｓｃ＿ｄ＿ｃに基づいて、個別処方指標ＰＡＩＲ＿ｐｒｅｓｃは以下のように算出された。
ＰＡＩＲ_ｐｒｅｓｃ＝Ｍａｘ（ＰＡＩＲ_ｐｒｅｓｃ_ｐ，ＰＡＩＲ_ｐｒｅｓｃ_ｄ＿ｃ）
＝Ｍａｘ（ＰＡＩＲ_ｐｒｅｓｃ_ｐ，ＰＡＩＲ_ｐｒｅｓｃ_ｄ）
＝Ｍａｘ（０．２５，０．１２５）＝０．２５
この値は眼鏡レンズａとｃの場合についても同じ値である。【０３５０】
（統合特性指標の算出）
眼鏡レンズａとｂについての統合特性指標ＰＡＩＲは、算出された個別特性指標のうち最も大きな値として、以下のように算出された。
ＰＡＩＲ＝Ｍａｘ（ＰＡＩＲ＿ａｄｄ，ＰＡＩＲ＿ｒａｎｇｅ，ＰＡＩＲ＿ｄｉｓ，ＰＡＩＲ＿ｙｕｒｅ，ＰＡＩＲ＿ｐｒｅｓｃ）
＝ Ｍａｘ（０．３２，０．３５，０．３５，０．２０，０．２５）＝０．３５
眼鏡レンズａとｃについての統合特性指標ＰＡＩＲは、算出された個別特性指標のうち、最も大きな値として、以下のように算出された。
ＰＡＩＲ＝Ｍａｘ（０．３４，０．８５，０．４１，０．８０，０．２５）＝０．８５
となる。【０３５１】
眼鏡レンズａとｂとを比較した場合（「ａおよびｂ」）および眼鏡レンズａとｃとを比較した場合（「ａおよびｃ」）について、光学特性のそれぞれに対応した個別特性指標と、統合特性指標とを以下の表１に示した。
表１
光学特性（指標）                          ａおよびｂ    ａおよびｃ
加入度（ＰＡＩＲ＿ａｄｄ）                ０．３２      ０．３４
明視域の広さ（ＰＡＩＲ＿ｒａｎｇｅ）      ０．３５      ０．８５
ゆがみ（ＰＡＩＲ＿ｄｉｓ）                ０．３５      ０．４１
揺れ（ＰＡＩＲ＿ｙｕｒｅ）                ０．２０      ０．８０
処方（ＰＡＩＲ＿ｐｒｅｓｃ）              ０．２５      ０．２５
統合（ＰＡＩＲ）                          ０．３５      ０．８５【０３５２】
図５６は、実施例で算出された、眼鏡レンズａとｂとの組合せ、および眼鏡レンズａとｃとの組合せについての個別特性指標を表示する表示画像を示す図である。表示画像Ｄｉ５は、レーダーチャートにより各個別特性指標の値を示している。図３１と同一の情報を示す部分については、同一の符号で参照し適宜説明を省略する。図５６のレーダーチャートでは外側にいくほど、個別特性指標が最も推奨される好ましい値である０に近づいていることを示す。【０３５３】
実施例における評価により、遠近両用の累進屈折力レンズである眼鏡レンズａと併用するための中近両用の累進屈折力レンズとしては、光学特性全体からは眼鏡レンズｂの方が適していることがわかる。特に、眼鏡レンズｂは、明視域の広さと揺れ特性において眼鏡レンズｃよりもはるかに優れていることがわかる。よって、眼鏡レンズ販売店において眼鏡レンズｂとｃを比較したときは、眼鏡レンズｂを眼鏡レンズａと併用する眼鏡レンズとして推奨して販売することができる。また、ここでの各指標の値は、眼鏡レンズａとｂの設計データを保持している眼鏡レンズ製造業者が、眼鏡レンズａと組み合わせて併用する場合の眼鏡レンズｂの推奨の度合を定量的に判定した結果、全ての項目で標準値（０．５）を上回る推奨度合であると判定した結果である。眼鏡レンズ販売店の販売員は、この結果を装用者Ｗに対して、製造業者が標準以上の推奨度合と判定した製品であると通知して、販売を勧めることができる。
なお、眼鏡レンズｃが眼鏡レンズｂに比べて非常に安価である等、ここでの評価に含まれない理由で優れている場合で、かつ／または、装用者Ｗが、明視域の広さと揺れ特性についてあまり優先的に機能を欲しない場合等には、適宜眼鏡レンズｃの購入を勧めてもよい。【０３５４】
本発明は上記実施形態の内容に限定されるものではない。本発明の技術的思想の範囲内で考えられるその他の態様も本発明の範囲内に含まれる。
【符号の説明】
【０３５５】
１，１ａ…発注装置、２…受注装置、１０，１０ａ…眼鏡レンズ受発注システム、１１，１１ａ…発注装置の制御部、１３…発注装置の通信部、２１…受注装置の制御部、２３…受注装置の通信部、１００…発注画面、１０６…装用感情報項目、２００…評価装置、２１０…評価装置の制御部、２１１…データ取得部、２１２…画像作成部、２１３…表示制御部、３００…評価部、３１０…個別特性指標算出部、３１１…加入度特性値算出部、３１２…明視域特性値算出部、３１３…ゆがみ特性値算出部、３１４…揺れ特性値算出部、３１５…処方特性値算出部、３２１…加入度指標算出部、３２２…明視域指標算出部、３２３…ゆがみ指標算出部、３２４…揺れ指標算出部、３２５…処方指標算出部、３３０…統合特性指標算出部、Ａｘａ…加入度特性評価軸、Ａｘｄ…ゆがみ特性評価軸、Ａｘｐ…処方特性評価軸、Ａｘｗ…明視域の広さ評価軸、Ａｘｙ…揺れ特性評価軸、ＥＰ…アイポイント、Ｆ…遠用部、ＦＶ…近用参照点、Ｇｒ…格子、Ｉａ１，Ｉｂ１…網膜像、Ｍ…主注視線、Ｎ…近用部、ＮＶ…近用参照点、Ｐ…中間部、Ｒａ−１…第１領域、Ｒａ−２…拡大第１領域、Ｒｂ…第２領域。
【図１】
0006934272.tif 000002
【図２】
0006934272.tif 000003
【図３】
0006934272.tif 000004
【図４】
0006934272.tif 000005
【図５】
0006934272.tif 000006
【図６】
0006934272.tif 000007
【図７】
0006934272.tif 000008
【図８】
0006934272.tif 000009
【図９】
0006934272.tif 000010
【図１０】
0006934272.tif 000011
【図１１】
0006934272.tif 000012
【図１２】
0006934272.tif 000013
【図１３】
0006934272.tif 000014
【図１４】
0006934272.tif 000015
【図１５】
0006934272.tif 000016
【図１６】
0006934272.tif 000017
【図１７】
0006934272.tif 000018
【図１８】
0006934272.tif 000019
【図１９】
0006934272.tif 000020
【図２０】
0006934272.tif 000021
【図２１】
0006934272.tif 000022
【図２２】
0006934272.tif 000023
【図２３】
0006934272.tif 000024
【図２４】
0006934272.tif 000025
【図２５】
0006934272.tif 000026
【図２６】
0006934272.tif 000027
【図２７】
0006934272.tif 000028
【図２８】
0006934272.tif 000029
【図２９】
0006934272.tif 000030
【図３０】
0006934272.tif 000031
【図３１】
0006934272.tif 000032
【図３２】
0006934272.tif 000033
【図３３】
0006934272.tif 000034
【図３４】
0006934272.tif 000035
【図３５】
0006934272.tif 000036
【図３６】
0006934272.tif 000037
【図３７】
0006934272.tif 000038
【図３８】
0006934272.tif 000039
【図３９】
0006934272.tif 000040
【図４０】
0006934272.tif 000041
【図４１】
0006934272.tif 000042
【図４２】
0006934272.tif 000043
【図４３】
0006934272.tif 000044
【図４４】
0006934272.tif 000045
【図４５】
0006934272.tif 000046
【図４６】
0006934272.tif 000047
【図４７】
0006934272.tif 000048
【図４８】
0006934272.tif 000049
【図４９】
0006934272.tif 000050
【図５０】
0006934272.tif 000051
【図５１】
0006934272.tif 000052
【図５２】
0006934272.tif 000053
【図５３】
0006934272.tif 000054
【図５４】
0006934272.tif 000055
【図５５】
0006934272.tif 000056
【図５６】
0006934272.tif 000057